(57)【要約】  本発明は、無停電電源供給が可能な電源供給システムに関し、複数の電源供給装置が接続された電路のそれぞれを断続する遮断器を備え、システム上で発生する様々な状況に応じて前記遮断器を開閉して電源の受供給を制御することにより、複数の電源供給装置間でＵＰＳ機能を実行する電源供給システムに関する。
2021536218.tif 000002
【特許請求の範囲】
【請求項１】
１つ以上の電源供給源から供給された電源をＤＣ電源に変換し、前記ＤＣ電源を負荷の駆動電源に変換し、前記負荷に供給する複数の電源盤と、
一端と他端が接続され、前記複数の電源盤のそれぞれにおいて前記ＤＣ電源が入出力される電源端のそれぞれが接続され、前記複数の電源盤で変換された前記ＤＣ電源が導通するＤＣ電路と、
前記ＤＣ電路上で前記電源端間のそれぞれに配置され、配置された電路に接続された２つの電源端を接続又は分離する複数の遮断器とを含み、
前記複数の遮断器は、
前記複数の電源盤の１つ以上の電源供給状態によって開閉を変えて、前記複数の電源盤間で前記ＤＣ電源を接続又は切断し、前記複数の電源盤の１つ以上において電源供給が中断されると、前記電源供給が中断された電源盤の電源端に接続された遮断器の１つ以上が閉路され、前記電源供給が中断された電源盤の電源端を前記電源供給が中断された電源盤の電源端の両側の電源端の１つ以上に接続することを特徴とする電源供給システム。
【請求項２】
前記１つ以上の電源供給源は、
ＡＣ電源を供給する第１交流電源及び第２交流電源と、
ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含むことを特徴とする請求項１に記載の電源供給システム。
【請求項３】
前記バッテリ電源は、
前記電源供給が中断されてから前記電源供給が切り替えられて復旧されるまで、前記蓄えられた電源を前記複数の電源盤に無瞬断で供給することを特徴とする請求項２に記載の電源供給システム。
【請求項４】
前記１つ以上の電源供給源は、
前記第１交流電源、前記第２交流電源及び前記バッテリ電源の電源供給が中断されると、非常発電電源を前記負荷に供給する非常用電源をさらに含むことを特徴とする請求項２に記載の電源供給システム。
【請求項５】
前記複数の電源盤のそれぞれは、
前記１つ以上の電源供給源から供給された電源を前記ＤＣ電源に変換する１つ以上の第１電力変換装置と、
前記１つ以上の第１電力変換装置から供給された前記ＤＣ電源を前記駆動電源に変換して前記負荷に供給する第２電力変換装置とを含むことを特徴とする請求項２に記載の電源供給システム。
【請求項６】
前記複数の電源盤は、
前記１つ以上の電源供給源の状態によって、前記１つ以上の第１電力変換装置のいずれかにより前記第２電力変換装置に前記ＤＣ電源を供給することを特徴とする請求項５に記載の電源供給システム。
【請求項７】
前記複数の電源盤は、
前記第２電力変換装置に前記ＤＣ電源を供給する変換装置の電源供給が中断されると、前記変換装置以外の他の変換装置により前記第２電力変換装置に前記ＤＣ電源を供給することを特徴とする請求項６に記載の電源供給システム。
【請求項８】
前記１つ以上の第１電力変換装置は、
前記変換装置が前記他の変換装置に切り替えられる間、前記バッテリ電源から電源供給を受ける変換装置により前記第２電力変換装置に前記ＤＣ電源を供給することを特徴とする請求項７に記載の電源供給システム。
【請求項９】
前記複数の電源盤は、
前記ＤＣ電路上に接続された一側の電源端と他側の電源端が接続され、前記電源端間の接続が連続することを特徴とする請求項２に記載の電源供給システム。
【請求項１０】
前記複数の電源盤は、
前記電源端間の接続が連続し、前記複数の電源盤間の接続がループ構造を形成することを特徴とする請求項９に記載の電源供給システム。
【請求項１１】
前記複数の遮断器は、
前記複数の電源盤間で前記ＤＣ電源を接続する場合に閉路され、前記複数の電源盤間で前記ＤＣ電源を切断する場合に開路されることを特徴とする請求項２に記載の電源供給システム。
【請求項１２】
前記複数の遮断器は、
前記複数の電源盤の１つ以上の電源供給が中断されると、前記電源供給が中断された電源盤と前記電源供給が中断された電源盤に隣接する電源盤間に配置された１つ以上の遮断器が閉路され、前記電源供給が中断された電源盤を前記隣接する電源盤に接続し、前記隣接する電源盤から前記電源供給が中断された電源盤に前記ＤＣ電源が供給されるようにすることを特徴とする請求項２に記載の電源供給システム。
【請求項１３】
前記電源供給が中断された電源盤は、
前記電源供給が中断されてから前記隣接する電源盤から導通した前記ＤＣ電源が供給されるまで、前記バッテリ電源に接続された変換装置から前記ＤＣ電源が供給されることを特徴とする請求項１２に記載の電源供給システム。
【請求項１４】
１つ以上の電源供給源から供給された電源をＤＣ電源に変換し、前記変換されたＤＣ電源を負荷の駆動電源に変換し、前記負荷に供給する複数の電源盤と、
１つ以上の電源供給源から供給された電源をＤＣ電源に変換し、前記複数の電源盤のうちいずれか２つの電源盤間に配置され、前記２つの電源盤のいずれかに接続されると、前記変換されたＤＣ電源を接続された電源盤に供給する供給盤と、
一端と他端が接続され、前記複数の電源盤及び前記供給盤のそれぞれにおいて前記ＤＣ電源が入出力される電源端が接続され、前記複数の電源盤及び前記供給盤で変換された前記ＤＣ電源が導通するＤＣ電路と、
前記ＤＣ電路上で前記電源端間のそれぞれに配置され、配置された電路に接続された２つの電源端を接続又は分離する複数の遮断器とを含み、
前記複数の遮断器は、
前記複数の電源盤の１つ以上の電源供給状態によって開閉を変えて、前記複数の電源盤のそれぞれに隣接する電源盤又は前記供給盤間で前記ＤＣ電源を接続又は切断し、前記複数の電源盤の１つ以上において電源供給が中断されると、前記隣接する電源盤及び前記供給盤の１つ以上から前記電源供給が中断された電源盤に前記ＤＣ電源が供給されるように、前記電源供給が中断された電源盤の電源端に接続された遮断器の１つ以上が閉路され、前記電源供給が中断された電源盤の電源端を前記電源供給が中断された電源盤の電源端の両側の電源端の１つ以上に接続することを特徴とする電源供給システム。
【請求項１５】
前記複数の電源盤は、
前記ＤＣ電源が入出力される電源端が隣接する２つの電源盤の電源端のそれぞれに接続されるか、又は隣接する１つの電源盤の電源端及び前記供給盤の電源端のそれぞれに接続され、一側の電源盤の電源端と他側の電源盤又は前記供給盤の電源端が接続され、前記電源端間の接続が連続することを特徴とする請求項１４に記載の電源供給システム。
【請求項１６】
前記複数の電源盤及び前記供給盤は、
前記電源端間の接続が連続し、前記複数の電源盤及び前記供給盤間の接続がループ構造を形成することを特徴とする請求項１５に記載の電源供給システム。
【請求項１７】
前記供給盤は、
前記複数の電源盤のうちいずれか２つの電源盤間に配置されることを特徴とする請求項１４に記載の電源供給システム。
【請求項１８】
前記供給盤に電源を供給する電源供給源は、
少なくともバッテリ電源を含むことを特徴とする請求項１４に記載の電源供給システム。
【請求項１９】
前記供給盤は、
前記第１交流電源及び前記第２交流電源からさらに電源が供給され、
前記１つ以上の電源供給源から供給された電源を前記ＤＣ電源に変換する１つ以上の第１電力変換装置を含むことを特徴とする請求項１８に記載の電源供給システム。
【請求項２０】
前記複数の遮断器は、
前記複数の電源盤のうち前記供給盤に接続された電源盤に異常が発生すると、前記異常が発生した電源盤と前記供給盤間に配置された遮断器が閉路され、前記異常が発生した電源盤を前記供給盤に接続し、前記供給盤から前記異常が発生した電源盤に前記ＤＣ電源が供給されるようにすることを特徴とする請求項１４に記載の電源供給システム。
【請求項２１】
前記複数の遮断器は、
前記複数の電源盤のうち前記供給盤に隣接しない電源盤に異常が発生すると、前記異常が発生した電源盤、前記供給盤に隣接する電源盤、及び前記供給盤間のそれぞれに配置された遮断器が閉路され、前記隣接する電源盤から前記異常が発生した電源盤に前記ＤＣ電源が供給され、前記供給盤から前記隣接する電源盤に前記ＤＣ電源が供給されるようにすることを特徴とする請求項１４に記載の電源供給システム。
【請求項２２】
１つ以上の電源供給源から供給された電源をＤＣ電源に変換し、前記変換されたＤＣ電源を負荷の駆動電源に変換し、前記負荷に供給する複数の電源盤と、
１つ以上の電源供給源から供給された電源をＤＣ電源に変換し、バスラインを介して前記複数の電源盤に接続されると、前記変換されたＤＣ電源を前記複数の電源盤に供給する供給盤と、
前記複数の電源盤のそれぞれの電源端及び前記供給盤の電源端が接続され、前記複数の電源盤及び前記供給盤で変換された前記ＤＣ電源が導通する前記バスラインと、
前記電源端のそれぞれと前記バスライン間に配置され、前記複数の電源盤の１つ以上の電源供給状態によって開閉を変えて、前記電源端のそれぞれと前記バスラインを接続又は分離する複数の遮断器とを含み、
前記複数の遮断器は、
前記複数の電源盤の１つ以上の電源供給が中断されると、前記バスラインを介して、前記電源供給が中断された電源盤以外の他の電源盤及び前記供給盤の１つ以上から前記電源供給が中断された電源盤に前記ＤＣ電源が導通するように、前記他の電源盤及び前記供給盤の１つ以上と前記電源供給が中断された電源盤に接続された遮断器が閉路され、前記他の電源盤及び前記供給盤の１つ以上と前記電源供給が中断された電源盤を前記バスラインに接続することを特徴とする電源供給システム。
【請求項２３】
前記１つ以上の電源供給源は、
ＡＣ電源を供給する第１交流電源及び第２交流電源と、
ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含み、
前記バッテリ電源は、
前記電源供給が中断されてから前記電源供給が切り替えられて復旧されるまで、前記蓄えられた電源を前記複数の電源盤に無瞬断で供給することを特徴とする請求項２２に記載の電源供給システム。
【請求項２４】
前記供給盤に電源を供給する電源供給源は、
少なくとも前記バッテリ電源を含むことを特徴とする請求項２３に記載の電源供給システム。
【請求項２５】
前記供給盤は、
前記第１交流電源及び前記第２交流電源からさらに電源が供給され、
前記１つ以上の電源供給源から供給された電源を前記ＤＣ電源に変換する１つ以上の第１電力変換装置を含むことを特徴とする請求項２４に記載の電源供給システム。
【請求項２６】
前記供給盤は、
複数からなり、複数の供給盤のそれぞれが前記バスラインに接続されることを特徴とする請求項２３に記載の電源供給システム。
【請求項２７】
前記供給盤は、
複数の供給盤毎にそれぞれ前記複数の電源盤のうち前記ＤＣ電源を供給する供給対象が予め指定され、前記予め指定された供給対象に対して前記ＤＣ電源を供給することを特徴とする請求項２６に記載の電源供給システム。
【請求項２８】
前記供給盤は、
前記複数の電源盤のそれぞれが所定距離以内で離隔する位置に備えられることを特徴とする請求項２３に記載の電源供給システム。
【請求項２９】
前記複数の遮断器は、
前記複数の電源盤の１つ以上の電源供給が中断されると、前記電源供給が中断された電源盤に接続された遮断器、前記他の電源盤の１つ以上の電源盤に接続された遮断器、及び前記供給盤に接続された遮断器が閉路され、前記バスラインを介して、前記他の電源盤の１つ以上及び前記供給盤から前記電源供給が中断された電源盤に前記ＤＣ電源が供給されるようにすることを特徴とする請求項２３に記載の電源供給システム。
【請求項３０】
前記電源供給が中断された電源盤は、
前記電源供給が中断されてから前記供給盤から導通した前記ＤＣ電源が供給されるまで、前記バッテリ電源に接続された変換装置から前記ＤＣ電源が供給されることを特徴とする請求項２９に記載の電源供給システム。
【発明の詳細な説明】
【技術分野】
【０００１】
本発明は、無停電電源供給が可能な電源供給システムに関する。
【背景技術】
【０００２】
本発明の背景となる技術は、複数の電源供給装置を含むシステムである。
【０００３】
複数の電源装置がそれぞれの負荷に電源を供給するシステムは、ＤＣバスラインを介して共通に接続されるようにしてもよい。このように共通のバスラインを介して接続された場合、ＤＣバスラインを介して隣接する電源装置と電源を受供給できるという利点がある。しかし、このようにシステムを構成した場合、システムの安定性の問題、電源受供給の制御の困難性、事故発生時の対処方法の不在などの限界がある。
【０００４】
複雑な構成からなる電源装置を複数備えるので、装置間の互換性が劣る場合、システムの運用が安定して行われなくなる。また、各装置から電源供給を受ける負荷が電源供給を常時必要とする重要負荷である場合、異常状態に対応するためのＵＰＳ装置を別途備えることが要求されるが、ＵＰＳ装置を備える場合、システムの構成がさらに複雑になり、構造的／設計的制約によりＵＰＳ装置を備えること自体も容易でないという問題がある。その上、構成が複雑になることにより、各装置及びシステムの制御がさらに複雑にならざるを得ず、故障や事故などの発生の危険性も高くなる。つまり、安定性及び信頼性のある電源供給が困難になり、負荷の運転が不安定にならざるを得ず、様々な事故の発生に対して適切な運転対応が取れなくなるという問題がある。
【発明の概要】
【発明が解決しようとする課題】
【０００５】
本発明は、前述した従来技術の限界を改善することを課題とする。
【０００６】
すなわち、本発明は、従来技術の限界を改善できる電源供給システムを提供する。
【０００７】
具体的には、システムに備えられた複数の電源供給装置間で電源の受供給が行われ、複数の電源供給装置のそれぞれが相互間でＵＰＳ機能を実行できる電源供給システムを提供する。
【０００８】
また、様々な異常状況で負荷への電源供給を効果的に維持できる電源供給システムを提供する。
【０００９】
さらに、様々な異常状況に対処して安定かつ適切に電源の受供給を行える電源供給システムを提供する。
【課題を解決するための手段】
【００１０】
上記課題を解決するための本発明による電源供給システムは、複数の電源供給装置が接続された電路のそれぞれを断続する遮断器を備え、システム上で発生する様々な状況に応じて前記遮断器を開閉して電源の受供給を制御することを解決手段とする。
【００１１】
すなわち、本発明による電源供給システムは、複数の電源供給装置に対応する遮断器を備え、前記遮断器を制御して電源を受供給することにより、前記複数の電源供給装置間でＵＰＳ機能を実行することを技術的特徴とする。
【００１２】
上記技術的特徴は、電源供給システムに適用して実施することができ、本発明は、上記技術的特徴を有する電源供給システムの実施形態を提供する。
【００１３】
上記技術的特徴を課題解決手段とする本発明の一実施形態による電源供給システムは、１つ以上の電源供給源から供給された電源をＤＣ電源に変換し、前記ＤＣ電源を負荷の駆動電源に変換し、前記負荷に供給する複数の電源盤と、一端と他端が接続され、前記複数の電源盤のそれぞれにおいて前記ＤＣ電源が入出力される電源端のそれぞれが接続され、前記複数の電源盤で変換された前記ＤＣ電源が導通するＤＣ電路と、前記ＤＣ電路上で前記電源端間のそれぞれに配置され、配置された電路に接続された２つの電源端を接続又は分離する複数の遮断器とを含み、前記複数の遮断器は、前記複数の電源盤の１つ以上の電源供給状態によって開閉を変えて、前記複数の電源盤間で前記ＤＣ電源を接続又は切断し、前記複数の電源盤の１つ以上において電源供給が中断されると、前記電源供給が中断された電源盤の電源端に接続された遮断器の１つ以上が閉路され、前記電源供給が中断された電源盤の電源端を前記電源供給が中断された電源盤の電源端の両側の電源端の１つ以上に接続する。
【００１４】
一実施形態において、前記１つ以上の電源供給源は、ＡＣ電源を供給する第１交流電源及び第２交流電源と、ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含んでもよい。
【００１５】
一実施形態において、前記バッテリ電源は、前記電源供給が中断されてから前記電源供給が切り替えられて復旧されるまで、前記蓄えられた電源を前記複数の電源盤に無瞬断で供給するようにしてもよい。
【００１６】
一実施形態において、前記１つ以上の電源供給源は、前記第１交流電源、前記第２交流電源及び前記バッテリ電源の電源供給が中断されると、非常発電電源を前記負荷に供給する非常用電源をさらに含んでもよい。
【００１７】
一実施形態において、前記複数の電源盤のそれぞれは、前記１つ以上の電源供給源から供給された電源を前記ＤＣ電源に変換する１つ以上の第１電力変換装置と、前記１つ以上の第１電力変換装置から供給された前記ＤＣ電源を前記駆動電源に変換して前記負荷に供給する第２電力変換装置とを含んでもよい。
【００１８】
一実施形態において、前記複数の電源盤は、前記１つ以上の電源供給源の状態によって、前記１つ以上の第１電力変換装置のいずれかにより前記第２電力変換装置に前記ＤＣ電源を供給するようにしてもよい。
【００１９】
一実施形態において、前記複数の電源盤は、前記第２電力変換装置に前記ＤＣ電源を供給する変換装置の電源供給が中断されると、前記変換装置以外の他の変換装置により前記第２電力変換装置に前記ＤＣ電源を供給するようにしてもよい。
【００２０】
一実施形態において、前記１つ以上の第１電力変換装置は、前記変換装置が前記他の変換装置に切り替えられる間、前記バッテリ電源から電源供給を受ける変換装置により前記第２電力変換装置に前記ＤＣ電源を供給するようにしてもよい。
【００２１】
一実施形態において、前記複数の電源盤は、前記ＤＣ電路上に接続された一側の電源端と他側の電源端が接続され、前記電源端間の接続が連続するようにしてもよい。
【００２２】
一実施形態において、前記複数の電源盤は、前記電源端間の接続が連続し、前記複数の電源盤間の接続がループ構造を形成するようにしてもよい。
【００２３】
一実施形態において、前記複数の電源盤は、前記電源端間の接続が連続し、前記複数の電源盤間の接続がループ構造を形成するようにしてもよい。
【００２４】
一実施形態において、前記複数の遮断器は、前記複数の電源盤間で前記ＤＣ電源を接続する場合に閉路され、前記複数の電源盤間で前記ＤＣ電源を切断する場合に開路されるようにしてもよい。
【００２５】
一実施形態において、前記複数の遮断器は、前記複数の電源盤の１つ以上の電源供給が中断されると、前記電源供給が中断された電源盤と前記電源供給が中断された電源盤に隣接する電源盤間に配置された１つ以上の遮断器が閉路され、前記電源供給が中断された電源盤を前記隣接する電源盤に接続し、前記隣接する電源盤から前記電源供給が中断された電源盤に前記ＤＣ電源が供給されるようにしてもよい。
【００２６】
一実施形態において、前記電源供給が中断された電源盤は、前記電源供給が中断されてから前記隣接する電源盤から導通した前記ＤＣ電源が供給されるまで、前記バッテリ電源に接続された変換装置から前記ＤＣ電源が供給されるようにしてもよい。
【００２７】
一実施形態において、前記電源供給システムは、前記複数の電源盤及び前記複数の遮断器の少なくとも１つの状態を監視し、監視結果に基づいて前記複数の電源盤及び前記複数の遮断器の少なくとも１つを制御する制御装置をさらに含んでもよい。
【００２８】
また、上記技術的特徴を課題解決手段とする本発明の他の実施形態による電源供給システムは、複数の負荷と、複数の電源供給源のそれぞれから供給された電源をＤＣ電源に変換し、前記ＤＣ電源を前記複数の負荷の駆動のための駆動電源に変換し、前記駆動電源を前記複数の負荷に供給する複数の電源盤と、前記複数の電源盤のそれぞれが接続される電路のそれぞれに備えられ、前記複数の電源盤間の接続を断続する複数の遮断器と、前記複数の電源盤のそれぞれの状態によって前記複数の遮断器の開閉を制御して、前記複数の電源盤間の前記ＤＣ電源の受供給を制御する制御装置とを含む。
【００２９】
一実施形態において、前記複数の電源盤は、複数の電源供給源のそれぞれから供給された電源をＤＣ電源に変換する複数のコンバータと、前記ＤＣ電源を複数の負荷の駆動のための駆動電源に変換し、前記駆動電源を前記複数の負荷に供給する複数のインバータと、前記複数のコンバータの出力が共通に接続される出力端と前記出力端に接続される外部接続端間に備えられ、前記出力端と前記接続端の接続を断続する遮断器と、前記ＤＣ電源又は前記駆動電源の状態によって前記遮断器の開閉を制御することにより、前記ＤＣ電源の受供給を制御する制御部とを含んでもよい。
【００３０】
一実施形態において、前記制御部は、前記複数の電源供給源の状態によって前記複数のコンバータのいずれかを選択し、選択したコンバータにより前記複数のインバータのそれぞれに前記ＤＣ電源を送るように制御してもよい。
【００３１】
一実施形態において、前記制御部は、前記複数のインバータに前記ＤＣ電源を送っているコンバータ及び前記コンバータに対応する電源供給源のいずれか１つ以上に異常が発生すると、前記コンバータ以外の他のコンバータにより前記複数のインバータに前記ＤＣ電源を送るように制御してもよい。
【００３２】
一実施形態において、前記制御部は、前記複数の電源供給源のうち２つ以上に異常が発生すると、前記遮断器を閉路し、他の電源供給装置から前記ＤＣ電源が供給されるように制御してもよい。
【００３３】
一実施形態において、前記制御部は、前記バスラインに接続された他の電源供給装置に異常が発生すると、前記遮断器を閉路し、前記他の電源供給装置にＤＣ電源が供給されるように制御してもよい。
【００３４】
一実施形態において、前記複数の電源盤のそれぞれは、前記ＤＣ電源が出力される出力端が隣接する２つの電源盤の出力端のそれぞれに接続されてもよい。
【００３５】
一実施形態において、前記複数の電源盤は、一側の電源盤の出力端と他側の電源盤の出力端が接続され、前記出力端間の接続がループ構造を形成するようにしてもよい。
【００３６】
一実施形態において、前記複数の電源盤は、前記複数の電源供給源の状態によって前記ＤＣ電源への変換を行う複数のコンバータのいずれかを選択し、選択したコンバータにより前記駆動電源への変換を行う複数のインバータのそれぞれに前記ＤＣ電源を送るようにしてもよい。
【００３７】
一実施形態において、前記複数の電源盤は、前記駆動電源への変換を行う複数のインバータに前記ＤＣ電源を送っているコンバータ及び前記コンバータに対応する電源供給源のいずれか１つ以上に異常が発生すると、前記コンバータ以外の他のコンバータにより前記複数のインバータに前記ＤＣ電源を送るようにしてもよい。
【００３８】
一実施形態において、前記複数の遮断器のそれぞれは、前記複数の電源盤のそれぞれに含まれてもよい。
【００３９】
一実施形態において、前記複数の遮断器は、平時に開路され、動作時に閉路されることにより、前記複数の電源盤間の接続を断続するようにしてもよい。
【００４０】
一実施形態において、前記制御装置は、前記複数の電源盤のいずれか１つ以上に異常が発生すると、前記異常が発生した電源盤と前記異常が発生した電源盤に隣接する電源盤が接続された電路のいずれか１つの電路の遮断器を閉路し、前記隣接する電源盤から前記異常が発生した電源盤に前記ＤＣ電源が供給されるように制御してもよい。
【００４１】
一方、上記技術的特徴を課題解決手段とする本発明のさらに他の実施形態による電源供給システムは、１つ以上の電源供給源から供給された電源をＤＣ電源に変換し、前記変換されたＤＣ電源を負荷の駆動電源に変換し、前記負荷に供給する複数の電源盤と、一端と他端が接続され、前記複数の電源盤及び前記供給盤のそれぞれにおいて前記ＤＣ電源が入出力される電源端が接続され、前記複数の電源盤及び前記供給盤で変換された前記ＤＣ電源が導通するＤＣ電路と、前記ＤＣ電路上で前記電源端間のそれぞれに配置され、配置された電路に接続された２つの電源端を接続又は分離する複数の遮断器とを含み、前記複数の遮断器は、前記複数の電源盤の１つ以上の電源供給状態によって開閉を変えて、前記複数の電源盤のそれぞれに隣接する電源盤又は前記供給盤間で前記ＤＣ電源を接続又は切断し、前記複数の電源盤の１つ以上において電源供給が中断されると、前記隣接する電源盤及び前記供給盤の１つ以上から前記電源供給が中断された電源盤に前記ＤＣ電源が供給されるように、前記電源供給が中断された電源盤の電源端に接続された遮断器の１つ以上が閉路され、前記電源供給が中断された電源盤の電源端を前記電源供給が中断された電源盤の電源端の両側の電源端の１つ以上に接続する。
【００４２】
一実施形態において、前記複数の電源盤は、前記ＤＣ電源が入出力される電源端が隣接する２つの電源盤の電源端のそれぞれに接続されるか、又は隣接する１つの電源盤の電源端及び前記供給盤の電源端のそれぞれに接続されるようにしてもよい。
【００４３】
一実施形態において、前記複数の電源盤は、一側の電源盤の電源端と他側の電源盤又は前記供給盤の電源端が接続され、前記電源端間の接続が連続するようにしてもよい。
【００４４】
一実施形態において、前記複数の電源盤及び前記供給盤は、前記電源端間の接続が連続し、前記複数の電源盤及び前記供給盤間の接続がループ構造を形成するようにしてもよい。
【００４５】
一実施形態において、前記複数の電源盤及び前記供給盤は、前記電源端間の接続がループ構造を形成するようにしてもよい。
【００４６】
一実施形態において、前記供給盤は、前記複数の電源盤のうちいずれか２つの電源盤間に配置されてもよい。
【００４７】
一実施形態において、前記供給盤に電源を供給する電源供給源は、少なくともバッテリ電源を含んでもよい。
【００４８】
一実施形態において、前記供給盤は、前記第１交流電源及び前記第２交流電源からさらに電源が供給され、前記１つ以上の電源供給源から供給された電源を前記ＤＣ電源に変換する１つ以上の第１電力変換装置を含んでもよい。
【００４９】
一実施形態において、前記供給盤は、前記１つ以上の電源供給源の状態によって、前記１つ以上の第１電力変換装置のいずれかにより前記複数の電源盤に前記ＤＣ電源を供給するようにしてもよい。
【００５０】
一実施形態において、前記複数の遮断器は、前記複数の電源盤間又は前記複数の電源盤と前記供給盤間で前記ＤＣ電源を接続する場合に閉路され、前記複数の電源盤間又は前記複数の電源盤と前記供給盤間で前記ＤＣ電源を切断する場合に開路されるようにしてもよい。
【００５１】
一実施形態において、前記複数の遮断器は、前記複数の電源盤のうち前記供給盤に接続された電源盤に異常が発生すると、前記異常が発生した電源盤と前記供給盤間に配置された遮断器が閉路され、前記異常が発生した電源盤を前記供給盤に接続し、前記供給盤から前記異常が発生した電源盤に前記ＤＣ電源が供給されるようにしてもよい。
【００５２】
一実施形態において、前記複数の遮断器は、前記複数の電源盤のうち前記供給盤に隣接しない電源盤に異常が発生すると、前記異常が発生した電源盤、前記供給盤に隣接する電源盤、及び前記供給盤間のそれぞれに配置された遮断器が閉路され、前記隣接する電源盤から前記異常が発生した電源盤に前記ＤＣ電源が供給され、前記供給盤から前記隣接する電源盤に前記ＤＣ電源が供給されるようにしてもよい。
【００５３】
また、上記技術的特徴を課題解決手段とする本発明のさらに他の実施形態による電源供給システムは、１つ以上の電源供給源から供給された電源をＤＣ電源に変換し、前記複数の電源盤のうちいずれか２つの電源盤間に配置され、前記２つの電源盤のいずれかに接続されると、前記変換されたＤＣ電源を接続された電源盤に供給する供給盤と、一端と他端が接続されるループ構造に形成され、前記複数の電源盤及び前記供給盤のそれぞれにおいて前記ＤＣ電源が入出力される電源端が接続され、前記複数の電源盤及び前記供給盤で変換された前記ＤＣ電源が導通するバスラインと、前記バスライン上で前記複数の電源盤のそれぞれの電源端の一側及び前記供給盤の電源端の一側にそれぞれ配置され、前記複数の電源盤のそれぞれと隣接する電源盤又は前記供給盤を接続又は分離する複数の遮断器とを含み、前記複数の遮断器は、前記複数の電源盤の１つ以上の電源供給状態によって開閉を変えて、前記複数の電源盤間又は前記複数の電源盤と前記供給盤間で前記ＤＣ電源を接続又は切断し、前記複数の電源盤の１つ以上において電源供給が中断されると、前記供給盤から前記電源供給が中断された電源盤に前記ＤＣ電源が供給されるように１つ以上が閉路され、前記複数の電源盤の１つ以上を前記供給盤に接続する。
【００５４】
一実施形態において、前記複数の電源盤は、複数の電源供給源のそれぞれから供給された電源をＤＣ電源に変換する複数のコンバータと、前記ＤＣ電源を複数の負荷の駆動のための駆動電源に変換し、前記駆動電源を前記複数の負荷に供給する複数のインバータと、前記複数のコンバータの出力が共通に接続される出力端と前記出力端に接続される外部接続端間に備えられ、前記出力端と前記接続端の接続を断続する遮断器と、前記ＤＣ電源又は前記駆動電源の状態によって前記遮断器の開閉を制御することにより、前記ＤＣ電源の受供給を制御する制御部とを含んでもよい。
【００５５】
一実施形態において、前記制御部は、前記複数の電源供給源の状態によって前記複数のコンバータのいずれかを選択し、選択したコンバータにより前記複数のインバータのそれぞれに前記ＤＣ電源を送るように制御してもよい。
【００５６】
一実施形態において、前記制御部は、前記複数のインバータに前記ＤＣ電源を送っているコンバータ及び前記コンバータに対応する電源供給源のいずれか１つ以上に異常が発生すると、前記コンバータ以外の他のコンバータにより前記複数のインバータに前記ＤＣ電源を送るように制御してもよい。
【００５７】
一実施形態において、前記制御部は、前記複数の電源供給源のうち２つ以上に異常が発生すると、前記遮断器を閉路し、他の電源供給装置から前記ＤＣ電源が供給されるように制御してもよい。
【００５８】
一実施形態において、前記制御部は、前記バスラインに接続された他の電源供給装置に異常が発生すると、前記遮断器を閉路し、前記他の電源供給装置にＤＣ電源が供給されるように制御してもよい。
【００５９】
一実施形態において、前記複数の電源盤のそれぞれは、前記ＤＣ電源が出力される出力端が隣接する２つの電源盤の出力端のそれぞれに接続されてもよい。
【００６０】
一実施形態において、前記複数の電源盤は、一側の電源盤の出力端と他側の電源盤の出力端が接続され、前記出力端間の接続がループ構造を形成するようにしてもよい。
【００６１】
一実施形態において、前記複数の電源盤は、前記複数の電源供給源の状態によって前記ＤＣ電源への変換を行う複数のコンバータのいずれかを選択し、選択したコンバータにより前記駆動電源への変換を行う複数のインバータのそれぞれに前記ＤＣ電源を送るようにしてもよい。
【００６２】
一実施形態において、前記複数の電源盤は、前記駆動電源への変換を行う複数のインバータに前記ＤＣ電源を送っているコンバータ及び前記コンバータに対応する電源供給源のいずれか１つ以上に異常が発生すると、前記コンバータ以外の他のコンバータにより前記複数のインバータに前記ＤＣ電源を送るようにしてもよい。
【００６３】
一実施形態において、前記複数の電源盤のそれぞれは、前記ＤＣ電源が出力される出力端が隣接する２つの電源盤の出力端のそれぞれに接続されるか、又は隣接する１つの電源盤の出力端及び前記供給盤の出力端のそれぞれに接続されるようにしてもよい。
【００６４】
一実施形態において、前記複数の電源盤及び前記供給盤は、前記出力端間の接続がループ構造を形成するようにしてもよい。
【００６５】
一実施形態において、前記供給盤は、前記複数の電源盤のうちいずれか２つの電源盤間に備えられてもよい。
【００６６】
一実施形態において、前記供給盤は、前記複数の電源盤に前記ＤＣ電源を供給する場合、前記複数の電源供給源の状態によって前記ＤＣ電源への変換を行う複数のコンバータのいずれかを選択し、選択したコンバータにより前記複数の電源盤に前記ＤＣ電源を送るようにしてもよい。
【００６７】
一実施形態において、前記複数の遮断器は、平時に開路され、動作時に閉路されることにより、前記複数の電源盤間の接続と前記複数の電源盤及び前記供給盤間の接続を断続するようにしてもよい。
【００６８】
一実施形態において、前記制御装置は、前記複数の電源盤のうち前記供給盤に接続された電源盤に異常が発生すると、前記異常が発生した電源盤と前記供給盤が接続された電路の遮断器を閉路し、前記供給盤から前記異常が発生した電源盤に前記ＤＣ電源が供給されるように制御してもよい。
【００６９】
一実施形態において、前記制御装置は、前記複数の電源盤のうち前記供給盤に隣接しない電源盤に異常が発生すると、前記異常が発生した電源盤と前記供給盤間の電路に備えられた遮断器を閉路し、前記隣接する電源盤から前記異常が発生した電源盤に前記ＤＣ電源が供給され、前記供給盤から前記隣接する電源盤に前記ＤＣ電源が供給されるように制御してもよい。
【００７０】
一方、上記課題を解決するための本発明による電源供給システムは、複数の電源供給装置が接続された電源バスに接続を断続する遮断器を備え、システム上で発生する様々な状況に応じて前記遮断器を開閉して電源の受供給を制御することを解決手段とする。
【００７１】
すなわち、本発明による電源供給システムは、複数の電源供給装置に対応する遮断器を備え、前記遮断器を制御して電源バスを介して電源を受供給することにより、前記複数の電源供給装置間でＵＰＳ機能を実行することを技術的特徴とする。
【００７２】
上記技術的特徴は、電源供給システムに適用して実施することができ、本発明は、上記技術的特徴を有する電源供給システムの実施形態を提供する。
【００７３】
上記技術的特徴を課題解決手段とする本発明の一実施形態による電源供給システムは、１つ以上の電源供給源から供給された電源をＤＣ電源に変換し、前記変換されたＤＣ電源を負荷の駆動電源に変換し、前記負荷に供給する複数の電源盤と、１つ以上の電源供給源から供給された電源をＤＣ電源に変換し、バスラインを介して前記複数の電源盤に接続されると、前記変換されたＤＣ電源を前記複数の電源盤に供給する供給盤と、前記複数の電源盤のそれぞれの電源端及び前記供給盤の電源端が接続され、前記複数の電源盤及び前記供給盤で変換された前記ＤＣ電源が導通する前記バスラインと、前記電源端のそれぞれと前記バスライン間に配置され、前記電源端のそれぞれと前記バスラインを接続又は分離する複数の遮断器とを含み、前記複数の遮断器は、前記複数の電源盤の１つ以上の電源供給状態によって開閉を変えて、前記電源端と前記バスライン間で前記ＤＣ電源を接続又は切断し、前記複数の電源盤の１つ以上の電源供給が中断されると、前記バスラインを介して、前記電源供給が中断された電源盤以外の他の電源盤及び前記供給盤の１つ以上から前記電源供給が中断された電源盤に前記ＤＣ電源が導通するように、前記他の電源盤及び前記供給盤の１つ以上と前記電源供給が中断された電源盤に接続された遮断器が閉路され、前記他の電源盤及び前記供給盤の１つ以上と前記電源供給が中断された電源盤を前記バスラインに接続するようにしてもよい。
【００７４】
一実施形態において、前記１つ以上の電源供給源は、ＡＣ電源を供給する第１交流電源及び第２交流電源と、ＤＣ電源が蓄えられ、前記第１交流電源及び前記第２交流電源の電源供給が中断されると、前記電源供給が切り替えられて復旧される間、蓄えられた電源を前記複数の電源盤に供給するバッテリ電源とを含んでもよい。
【００７５】
一実施形態において、前記バッテリ電源は、前記電源供給が中断されてから前記電源供給が切り替えられて復旧されるまで、前記蓄えられた電源を前記複数の電源盤に無瞬断で供給するようにしてもよい。
【００７６】
一実施形態において、前記１つ以上の電源供給源は、前記第１交流電源、前記第２交流電源及び前記バッテリ電源の電源供給が中断されると、非常発電電源を前記負荷に供給する非常用電源をさらに含んでもよい。
【００７７】
一実施形態において、前記複数の電源盤のそれぞれは、前記１つ以上の電源供給源から供給された電源を前記ＤＣ電源に変換する１つ以上の第１電力変換装置と、前記１つ以上の第１電力変換装置から供給された前記ＤＣ電源を前記駆動電源に変換して前記負荷に供給する第２電力変換装置とを含んでもよい。
【００７８】
一実施形態において、前記複数の電源盤は、前記１つ以上の電源供給源の状態によって、前記１つ以上の第１電力変換装置のいずれかにより前記第２電力変換装置に前記ＤＣ電源を供給するようにしてもよい。
【００７９】
一実施形態において、前記複数の電源盤は、前記第２電力変換装置に前記ＤＣ電源を供給する変換装置の電源供給が中断されると、前記変換装置以外の他の変換装置により前記第２電力変換装置に前記ＤＣ電源を供給するようにしてもよい。
【００８０】
一実施形態において、前記１つ以上の第１電力変換装置は、前記変換装置が前記他の変換装置に切り替えられる間、前記バッテリ電源から電源供給を受ける変換装置により前記第２電力変換装置に前記ＤＣ電源を供給するようにしてもよい。
【００８１】
一実施形態において、前記供給盤に電源を供給する電源供給源は、少なくとも前記バッテリ電源を含んでもよい。
【００８２】
一実施形態において、前記供給盤は、前記第１交流電源及び前記第２交流電源からさらに電源が供給され、前記１つ以上の電源供給源から供給された電源を前記ＤＣ電源に変換する１つ以上の第１電力変換装置を含んでもよい。
【００８３】
一実施形態において、前記供給盤は、前記１つ以上の電源供給源の状態によって、前記１つ以上の第１電力変換装置のいずれかにより前記複数の電源盤に前記ＤＣ電源を供給するようにしてもよい。
【００８４】
一実施形態において、前記供給盤は、複数からなり、複数の供給盤毎にそれぞれ前記複数の電源盤のうち前記ＤＣ電源を供給する供給対象が予め指定され、前記予め指定された供給対象に対して前記ＤＣ電源を供給するようにしてもよい。
【００８５】
一実施形態において、前記供給盤は、前記複数の電源盤のそれぞれが所定距離以内で離隔する位置に備えられてもよい。
【００８６】
一実施形態において、前記複数の遮断器は、前記電源端と前記バスライン間で前記ＤＣ電源を接続する場合に閉路され、前記電源端と前記バスライン間で前記ＤＣ電源を切断する場合に開路されるようにしてもよい。
【００８７】
一実施形態において、前記複数の遮断器は、前記複数の電源盤の１つ以上の電源供給が中断されると、前記電源供給が中断された電源盤に接続された遮断器及び前記供給盤に接続された遮断器が閉路され、前記電源供給が中断された電源盤と前記供給盤を前記バスラインに接続し、前記供給盤から前記電源供給が中断された電源盤に前記ＤＣ電源が供給されるようにしてもよい。
【００８８】
一実施形態において、前記電源供給が中断された電源盤は、前記電源供給が中断されてから前記供給盤から導通した前記ＤＣ電源が供給されるまで、前記バッテリ電源に接続された変換装置から前記ＤＣ電源が供給されるようにしてもよい。
【００８９】
一実施形態において、前記複数の遮断器は、前記他の電源盤の１つ以上の電源盤に接続された遮断器及び前記供給盤に接続された遮断器が閉路され、前記バスラインを介して、前記他の電源盤の１つ以上及び前記供給盤から前記電源供給が中断された電源盤に前記ＤＣ電源が供給されるようにしてもよい。
【００９０】
一実施形態において、前記電源供給システムは、前記複数の電源盤、前記供給盤及び前記複数の遮断器の少なくとも１つの状態を監視し、監視結果に基づいて前記複数の電源盤、前記供給盤及び前記複数の遮断器の少なくとも１つを制御する制御装置をさらに含んでもよい。
【００９１】
また、上記技術的特徴を課題解決手段とする本発明の他の実施形態による電源供給システムは、１つ以上の電源供給源のそれぞれから供給された電源をＤＣ電源に変換し、前記ＤＣ電源を負荷の駆動のための駆動電源に変換し、前記駆動電源を前記負荷に供給する複数の電源盤と、前記複数の電源盤の状態によって前記１つ以上の電源供給源のそれぞれから供給された電源を前記ＤＣ電源に変換し、前記ＤＣ電源を前記複数の電源盤に供給する供給盤と、前記複数の電源盤及び前記供給盤のそれぞれにおいて前記ＤＣ電源が入出力される電源端が共通に接続され、前記複数の電源盤及び前記供給盤で変換された前記ＤＣ電源が送られるバスラインと、前記電源端のそれぞれと前記バスラインが接続される電路に備えられ、前記複数の電源盤及び前記供給盤のそれぞれと前記バスラインの接続を断続する複数の遮断器と、前記複数の電源盤のそれぞれの状態によって前記複数の遮断器の開閉を制御して、前記複数の電源盤のそれぞれの前記ＤＣ電源の受供給を制御する制御装置とを含む。
【００９２】
一実施形態において、前記複数の電源盤は、１つ以上の電源供給源のそれぞれから供給された電源をＤＣ電源に変換する１つ以上の第１電力変換装置と、前記ＤＣ電源を負荷の駆動のための駆動電源に変換し、前記駆動電源を前記負荷に供給する第２電力変換装置と、前記１つ以上の第１電力変換装置の出力端及び前記第２電力変換装置の入力端が共通に接続される電源端と前記電源端が接続されるバスライン間に備えられ、前記電源端と前記バスラインの接続を断続する遮断器と、前記ＤＣ電源又は前記駆動電源の状態によって前記遮断器の開閉を制御することにより、前記バスラインを介しての前記ＤＣ電源の受供給を制御する制御部とを含んでもよい。
【００９３】
一実施形態において、前記制御部は、前記１つ以上の電源供給源の状態によって前記１つ以上の第１電力変換装置のいずれかを選択し、選択した変換装置により前記第２電力変換装置のそれぞれに前記ＤＣ電源を送るように制御してもよい。
【００９４】
一実施形態において、前記制御部は、前記第２電力変換装置に前記ＤＣ電源を送っている変換装置及び前記変換装置に対応する電源供給源のいずれか１つ以上に異常が発生すると、前記変換装置以外の他のコンバータから前記第２電力変換装置に前記ＤＣ電源が送られるように制御してもよい。
【００９５】
一実施形態において、前記制御部は、前記１つ以上の電源供給源のうち２つ以上に異常が発生すると、前記遮断器を閉路し、前記バスラインを介して、前記バスラインに接続された他の電源供給装置から前記ＤＣ電源が供給されるように制御してもよい。
【００９６】
一実施形態において、前記制御部は、前記バスラインに接続された他の電源供給装置に異常が発生すると、前記遮断器を閉路し、前記バスラインを介して、前記他の電源供給装置に前記ＤＣ電源が供給されるように制御してもよい。
【００９７】
一実施形態において、前記１つ以上の電源供給源は、ＡＣ電源を供給する第１交流電源及び第２交流電源と、ＤＣ電源を蓄えるバッテリ電源とを含んでもよい。
【００９８】
一実施形態において、前記１つ以上の電源供給源は、前記第１交流電源、前記第２交流電源及び前記バッテリ電源に異常が発生すると、非常発電電源を前記負荷に供給する非常用電源をさらに含んでもよい。
【００９９】
一実施形態において、前記遮断器は、平時に開路され、動作時に閉路されることにより、前記変換装置と前記バスラインの接続を断続するようにしてもよい。
【０１００】
一実施形態において、前記複数の電源盤は、前記１つ以上の電源供給源の状態によって前記ＤＣ電源への変換を行う１つ以上の第１電力変換装置のいずれかを選択し、選択したコンバータにより前記駆動電源への変換を行う第２電力変換装置のそれぞれに前記ＤＣ電源を送るようにしてもよい。
【０１０１】
一実施形態において、前記複数の電源盤は、前記駆動電源への変換を行う第２電力変換装置に前記ＤＣ電源を送っている変換装置及び前記変換装置に対応する電源供給源のいずれか１つ以上に異常が発生すると、前記変換装置以外の他の変換装置により前記第２電力変換装置に前記ＤＣ電源を送るようにしてもよい。
【０１０２】
一実施形態において、前記制御装置は、前記複数の電源盤のいずれか１つ以上に異常が発生すると、前記異常が発生した電源盤及び前記供給盤の遮断器を閉路し、前記バスラインを介して、前記供給盤から前記異常が発生した電源盤に前記ＤＣ電源が供給されるように制御してもよい。
【０１０３】
一実施形態において、前記供給盤は、前記異常が発生した電源盤に前記ＤＣ電源を供給する場合、前記１つ以上の電源供給源の状態によって前記ＤＣ電源への変換を行う１つ以上の第１電力変換装置のいずれかを選択し、選択した変換装置により前記バスラインに前記ＤＣ電源を送るようにしてもよい。
【０１０４】
一実施形態において、前記制御装置は、前記供給盤に異常が発生すると、前記異常が発生した電源盤に最も隣接する電源盤の遮断器を閉路し、前記バスラインを介して、前記隣接する電源盤から前記異常が発生した電源盤に前記ＤＣ電源が供給されるように制御してもよい。
【０１０５】
一実施形態において、前記制御装置は、前記異常が発生した電源盤が複数の場合、前記異常が発生した電源盤のそれぞれの異常状態によって前記供給盤及び前記異常が発生した電源盤に最も隣接する電源盤の１つ以上の遮断器を閉路し、前記バスラインを介して、前記供給盤及び前記隣接する電源盤の１つ以上から前記異常が発生した電源盤のそれぞれに前記ＤＣ電源が供給されるように制御してもよい。
【０１０６】
一実施形態において、前記供給盤は、複数からなり、複数の供給盤毎にそれぞれ前記複数の電源盤のうち前記ＤＣ電源を供給する供給対象が予め指定され、前記予め指定された供給対象に対して前記ＤＣ電源を供給するようにしてもよい。
【０１０７】
一実施形態において、前記供給盤は、前記複数の電源盤のそれぞれが所定距離以内で離隔する位置に備えられてもよい。
【０１０８】
前述したような本発明による電源供給システムは、ＤＣ電源を供給／使用する電源供給装置、電源供給システム、電源供給システムの運用方法に適用して実施することができる。特に、ＤＣ ＵＰＳモジュール及びそれを備える電源供給システムに有効に適用して実施することができる。しかし、本明細書に開示される技術は、これらに限定されるものではなく、当該技術の技術的思想を適用できるあらゆる電源装置、電源供給装置、電源制御装置、電源供給システム、電力システム、電力制御システム、プラントシステム、プラント制御システム、プラント制御方法、エネルギー蓄積システム、エネルギー蓄積システムの制御方法又は運用方法、複数のモータ負荷を制御するモータ制御盤、モータ制御システム、モータ運転システムなどにも適用して実施することができる。
【発明の効果】
【０１０９】
本発明による電源供給システムは、互いに接続された複数の電源供給装置のそれぞれの遮断器を制御して電源の受供給を制御することにより、複数の電源供給装置間でＵＰＳ機能を実行することができるという効果がある。
【０１１０】
また、本発明による電源供給システムは、電源バスに接続された複数の電源供給装置のそれぞれの遮断器を制御して電源バスを介して電源の受供給を制御することにより、複数の電源供給装置間でＵＰＳ機能を実行することができるという効果がある。
【０１１１】
さらに、本発明による電源供給システムは、互いに接続された複数の電源供給装置のそれぞれの遮断器を発生状況に応じて制御して電源の受供給を制御したり、電源バスに接続された複数の電源供給装置のそれぞれの遮断器を発生状況に応じて制御して電源バスを介して電源の受供給を制御することにより、最小限の手段で効率的な運用を行えるという効果がある。
【０１１２】
よって、系統／システム上で様々な異常状況が発生しても、負荷への電源供給を中断することなく維持できるという効果がある。
【０１１３】
すなわち、本発明による電源供給システムは、系統／システム上で発生する様々な異常状況に対処して適切かつ安定して電源供給を行えるという効果がある。
【０１１４】
さらに、本発明による電源供給システムは、大容量システムの運用の安定性、信頼性及び効用性を増大させるという効果がある。
【０１１５】
その結果、本発明による電源供給システムは、上記課題を解決し、従来技術の限界を改善できるという効果がある。
【図面の簡単な説明】
【０１１６】
【図１】本発明の一実施形態による電源供給システムの構成を示す第１構成図である。
【図２】本発明の一実施形態による電源供給システムの電源盤の構成を示す構成図である。
【図３】本発明の一実施形態による電源供給システムの電源盤の具体的な構造構成を示す構成図である。
【図４ａ】本発明の一実施形態による電源供給システムの電源盤の接続構造を示す第１例示図である。
【図４ｂ】本発明の一実施形態による電源供給システムの電源盤の接続構造を示す第２例示図である。
【図５】本発明の一実施形態による電源供給システムの構成を示す第２構成図である。
【図６】本発明の一実施形態による電源供給システムの具体例を示す第１例示図である。
【図７】本発明の一実施形態による電源供給システムの具体例を示す第２例示図である。
【図８】本発明の一実施形態による電源供給システムの具体例を示す第３例示図である。
【図９】本発明の一実施形態による電源供給システムの具体例を示す第４例示図である。
【図１０】本発明の他の実施形態による電源供給システムの構成を示す構成図である。
【図１１】本発明の他の実施形態による電源供給システムの電源盤の構成を示す構成図である。
【図１２】本発明の他の実施形態による電源供給システムの電源盤の具体的な構造構成を示す構成図である。
【図１３】本発明の他の実施形態による電源供給システムの具体例を示す第１例示図である。
【図１４】本発明の他の実施形態による電源供給システムの具体例を示す第２例示図である。
【図１５】本発明の他の実施形態による電源供給システムの具体例を示す第３例示図である。
【図１６】本発明の他の実施形態による電源供給システムの具体例を示す第４例示図である。
【発明を実施するための形態】
【０１１７】
本明細書で用いられる技術用語は、単に特定の実施形態を説明するために用いられるものであり、本明細書に開示される技術の思想を限定するものではない。また、本明細書で用いられる技術用語は、本明細書において特に断らない限り、本明細書に開示される技術の属する分野における通常の知識を有する者に一般的に理解される意味で解釈されるべきであり、非常に包括的な意味で解釈されたり、非常に狭い意味で解釈されたりしてはならない。さらに、本明細書で用いられる技術用語が本明細書に開示される技術の思想を正確に表現できない誤った技術用語である場合は、当業者が正しく理解できる技術用語で代替して理解すべきである。さらに、本明細書で用いられる一般的な用語は、辞書の定義に従って、又は前後の文脈によって解釈されなければならず、非常に狭い意味で解釈されてはならない。
【０１１８】
さらに、本明細書で用いられる単数の表現には、特に断らない限り、複数の表現が含まれる。本明細書において、「構成される」や「含む」などの用語は、明細書に記載された様々な構成要素又は段階の全てを必ず含むものと解釈されてはならず、そのうち一部の構成要素又は段階を含まないこともあり、さらなる構成要素又は段階をさらに含むこともあるものと解釈されるべきである。
【０１１９】
以下、添付図面を参照して本発明の実施形態を詳細に説明するが、図面番号に関係なく同一又は類似の構成要素には同一の符号を付し、それについての説明は省略する。
【０１２０】
また、本発明を説明するにあたり、関連する公知技術についての具体的な説明が本発明の要旨を不明にすると判断される場合は、その詳細な説明を省略する。なお、添付図面は本発明の技術思想を容易に理解できるようにするためのものにすぎず、添付図面によりその技術の思想が制限されるように解釈されてはならない。
【０１２１】
以下、本発明の一実施形態による電源供給システムについて説明する。
【０１２２】
前記電源供給システムは、後述する実施形態の組み合わせ又は区分された形態で実施することができる。
【０１２３】
前記電源供給システムは、複数の電源供給装置が含まれる電源供給システムであってもよい。
【０１２４】
前記電源供給システムは、複数のパッケージ化した電源装置を含んで電源を供給するシステムであってもよい。
【０１２５】
ここで、前記電源装置は、複数の電源制御装置をパッケージ化した電源盤であってもよい。
【０１２６】
電源供給システム１０００（以下、システムという）は、図１に示すように、１つ以上の電源供給源１０から供給された電源をＤＣ電源に変換し、前記ＤＣ電源を負荷２０の駆動電源に変換し、負荷２０に供給する複数の電源盤１００、２００、３００、４００と、一端と他端が接続され、複数の電源盤１００、２００、３００、４００のそれぞれにおいて前記ＤＣ電源が入出力される電源端のそれぞれが接続され、複数の電源盤１００、２００、３００、４００で変換された前記ＤＣ電源が導通するＤＣ電路と、前記ＤＣ電路上で前記電源端間のそれぞれに配置され、配置された電路に接続された２つの電源端を接続又は分離する複数の遮断器１３０、２３０、３３０、４３０とを含む。
【０１２７】
システム１０００において、複数の遮断器１３０、２３０、３３０、４３０は、複数の電源盤１００、２００、３００、４００の１つ以上の動作状態によって開閉を変えて、複数の電源盤１００、２００、３００、４００間で前記ＤＣ電源を接続又は切断する。
【０１２８】
システム１０００において、複数の遮断器１３０、２３０、３３０、４３０は、複数の電源盤１００、２００、３００、４００の１つ以上において電源供給が中断されると、前記電源供給が中断された電源盤の電源端に接続された遮断器の１つ以上が閉路され、前記電源供給が中断された電源盤の電源端を前記電源供給が中断された電源盤の電源端の両側の電源端の１つ以上に接続する。
【０１２９】
すなわち、システム１０００において、複数の電源盤１００、２００、３００、４００のそれぞれは、前記ＤＣ電路を介して２つの電源盤の電源端に接続され、電源供給が中断されると、２つの電源盤の１つ以上から前記ＤＣ電源が供給されるようにしてもよい。
【０１３０】
また、システム１０００において、複数の遮断器１３０、２３０、３３０、４３０は、複数の電源盤１００、２００、３００、４００の１つ以上において電源供給が中断されると、前記電源供給が中断された電源盤に前記ＤＣ電源が供給されるように１つ以上が閉路され、複数の電源盤１００、２００、３００、４００の１つ以上を接続する。
【０１３１】
ここで、複数の電源盤１００、２００、３００、４００のそれぞれは、図２及び図３に示すような電源供給装置１００であってもよい。
【０１３２】
すなわち、複数の電源盤１００、２００、３００、４００は、図２及び図３に示すような電源供給装置の構成からなるようにしてもよく、また、電源供給システム１０００は、図２及び図３に示すような電源供給装置１００の形態の電源盤を複数含み、複数の電源盤１００、２００、３００、４００を含むようにしてもよい。
【０１３３】
複数の電源盤１００、２００、３００、４００は、複数の電源制御装置が含まれるモジュールであってもよい。
【０１３４】
複数の電源盤１００、２００、３００、４００は、前記複数の電源制御装置をパッケージ化した電源装置であってもよい。
【０１３５】
ここで、複数の電源盤１００、２００、３００、４００のそれぞれは、図２及び図３に示すような電源供給装置１００であってもよい。
【０１３６】
すなわち、複数の電源盤１００、２００、３００、４００は、図２及び図３に示すような電源供給装置の構成からなるようにしてもよく、また、電源供給システム１０００は、図２及び図３に示すような電源供給装置１００の形態の電源盤を複数含み、複数の電源盤１００、２００、３００、４００を含むようにしてもよい。
【０１３７】
複数の電源盤１００、２００、３００、４００は、複数の電源制御装置が含まれるモジュールであってもよい。
【０１３８】
複数の電源盤１００、２００、３００、４００は、前記複数の電源制御装置をパッケージ化した電源装置であってもよい。
【０１３９】
例えば、複数の電源盤１００、２００、３００、４００は、前記複数の電源制御装置をパッケージ化した電源盤であってもよい。
【０１４０】
複数の電源盤１００、２００、３００、４００は、発電所、プラント、工場、ビル、マンションなど高電力を必要とする建物に備えられて電源を供給するパッケージ型電源盤であってもよい。
【０１４１】
また、複数の電源盤１００、２００、３００、４００は、ある１つの空間に構成されるパッケージ型電源盤であってもよい。
【０１４２】
複数の電源盤１００、２００、３００、４００は、前記複数の電源制御装置がパッケージ化され、負荷に電源を供給するようにしてもよい。
【０１４３】
複数の電源盤１００、２００、３００、４００は、図２に示すように、１つ以上の電源供給源１０のそれぞれから供給された電源を前記ＤＣ電源に変換する１つ以上の第１電力変換装置１１０と、前記ＤＣ電源を負荷２０の駆動のための前記駆動電源に変換し、前記駆動電源を負荷２０に供給する１つ以上の第２電力変換装置１２０とを含んでもよい。
【０１４４】
このように、複数の電源盤１００、２００、３００、４００は、１つ以上の第１電力変換装置１１０及び第２電力変換装置１２０を含み、１つ以上の電源供給源１０から供給された電源を前記駆動電源に変換して負荷２０に供給する。
【０１４５】
１つ以上の第１電力変換装置１１０及び第２電力変換装置１２０を含む複数の電源盤１００、２００、３００、４００の具体的な構成は、図２及び図３に示すようにしてもよい。
【０１４６】
複数の電源盤１００、２００、３００、４００に電源を供給する１つ以上の電源供給源１０は、外部から１つ以上の第１電力変換装置１１０に接続され、１つ以上の第１電力変換装置１１０のそれぞれに電源を供給するようにしてもよい。
【０１４７】
１つ以上の電源供給源１０のそれぞれは、１つ以上の第１電力変換装置１１０のそれぞれに接続され、１つ以上の第１電力変換装置１１０のそれぞれに直流又は交流電源を供給するようにしてもよい。
【０１４８】
１つ以上の電源供給源１０は、図２及び図３に示すように、ＡＣ電源を供給する第１交流電源１０＃１及び第２交流電源１０＃３と、ＤＣ電源を蓄えるバッテリ電源１０＃２とを含んでもよい。
【０１４９】
ここで、第１交流電源１０＃１はＡＣ電源を供給する主系統電源Ｇであり、第２交流電源１０＃３はＡＣ電源を供給するバイパス系統電源Ｐであり、バッテリ電源１０＃２はＤＣ電源を供給するバッテリ電源Ｂであってもよい。
【０１５０】
すなわち、１つ以上の電源供給源１０は、図４に示すように、系統電源Ｇ、バイパス電源Ｐ及びバッテリ電源Ｂを含んでもよい。
【０１５１】
よって、複数の電源盤１００、２００、３００、４００のそれぞれには、系統電源Ｇ、バイパス電源Ｐ及びバッテリ電源Ｂのそれぞれから電源が供給されることになる。
【０１５２】
第１交流電源１０＃１は、系統電源Ｇであってもよい。
【０１５３】
第１交流電源１０＃１は、４４０［Ｖ］のＡＣ電源を供給する系統電源Ｇであってもよい。
【０１５４】
第２交流電源１０＃３は、バイパス電源Ｐであってもよい。
【０１５５】
第２交流電源１０＃３は、４４０［Ｖ］のＡＣ電源を供給するバイパス電源Ｐであってもよい。
【０１５６】
バッテリ電源１０＃２は、ＤＣ電源を蓄え、非常時に蓄えられたＤＣ電源を供給する非常用バッテリであってもよい。
【０１５７】
バッテリ電源１０＃２は、第１交流電源１０＃１及び第２交流電源１０＃３に異常が発生すると、蓄えられたＤＣ電源を複数の電源盤１００、２００、３００、４００に供給するようにしてもよい。
【０１５８】
バッテリ電源Ｂには前記ＤＣ電源が蓄えられており、第１交流電源１０＃１及び第２交流電源１０＃３の電源供給が中断されると、前記電源供給が切り替えられて復旧される間、バッテリ電源Ｂに蓄えられた電源が複数の電源盤１００、２００、３００、４００に供給されるようにしてもよい。
【０１５９】
バッテリ電源Ｂは、前記電源供給が中断されてから前記電源供給が切り替えられて復旧されるまで、前記蓄えられた電源を複数の電源盤１００、２００、３００、４００に無瞬断で供給するようにしてもよい。
【０１６０】
また、１つ以上の電源供給源１０は、第１交流電源Ｇ、第２交流電源Ｐ及びバッテリ電源Ｂの電源供給が中断されると、非常発電電源を負荷２０に供給する非常用電源Ａをさらに含んでもよい。
【０１６１】
非常用電源Ａは、第１交流電源Ｇ、第２交流電源Ｐ及びバッテリ電源Ｂに異常が発生すると、非常発電電源を負荷２０に供給するようにしてもよい。
【０１６２】
非常用電源Ａは、複数の電源盤１００、２００、３００、４００のそれぞれに電源を供給する第１交流電源Ｇ、第２交流電源Ｐ及びバッテリ電源Ｂの全てに異常が発生して電源を供給できない場合、非常用電源を負荷２０のそれぞれに供給して負荷２０の駆動を所定時間維持する電源であってもよい。
【０１６３】
例えば、非常用電源Ａは、非常用発電機を含む電源であってもよい。
【０１６４】
複数の電源盤１００、２００、３００、４００のそれぞれには、図４に示すように、３つの電源供給源１０、すなわち系統電源Ｇ、バイパス電源Ｐ及びバッテリ電源Ｂから電源が供給され、非常用電源Ａからは系統電源Ｇ、バイパス電源Ｐ及びバッテリ電源Ｂが電源を供給できない場合にのみ電源が供給されることが好ましい。
【０１６５】
ここで、複数の電源盤１００、２００、３００、４００のそれぞれに電源を供給する１つ以上の電源供給源１０のそれぞれは、１つの系統から複数の電源盤１００、２００、３００、４００のそれぞれに電源を供給するようにしてもよく、分離された配電盤により分離された配電盤のそれぞれから複数の電源盤１００、２００、３００、４００のそれぞれに電源を供給するようにしてもよい。
【０１６６】
複数の電源盤１００、２００、３００、４００のそれぞれは、１つ以上の電源供給源１０から供給された電源を前記ＤＣ電源に変換する１つ以上の第１電力変換装置１１０、２１０、３１０、４１０と、１つ以上の第１電力変換装置１１０、２１０、３１０、４１０から供給された前記ＤＣ電源を前記駆動電源に変換して負荷２０に供給する第２電力変換装置１２０、２２０、３２０、４２０とを含んでもよい。
【０１６７】
ここで、１つ以上の第１電力変換装置１１０、２１０、３１０、４１０及び第２電力変換装置１２０、２２０、３２０、４２０は、複数からなるようにしてもよい。
【０１６８】
複数の電源盤１００、２００、３００、４００のそれぞれは、１つ以上の電源供給源１０の状態によって、１つ以上の第１電力変換装置１１０、２１０、３１０、４１０のいずれかにより１つ以上の第２電力変換装置１２０、２２０、３２０、４２０に前記ＤＣ電源が供給されるようにしてもよい。
【０１６９】
第１電力変換装置１１０、２１０、３１０、４１０は、供給された電源をＤＣ電源に変換する装置であり、例えばコンバータであってもよい。
【０１７０】
第１電力変換装置１１０、２１０、３１０、４１０は、ＡＣ電源をＤＣ電源に変換するＡＣ／ＤＣコンバータであってもよく、ＤＣ電源をＤＣ電源に変換するＤＣ／ＤＣコンバータであってもよい。
【０１７１】
１つ以上の第１電力変換装置１１０、２１０、３１０、４１０は、ＡＣ電源をＤＣ電源に変換するＡＣ／ＤＣコンバータ及びＤＣ電源のレベルを変換するＤＣ／ＤＣコンバータの１つ以上を含んでもよい。
【０１７２】
１つ以上の第１電力変換装置１１０、２１０、３１０、４１０は、１つ以上の電源供給源１０のそれぞれに対応して、３つの変換装置１１０＃１〜＃３、２１０＃１〜＃３、３１０＃１〜＃３、４１０＃１〜＃３を含んでもよい。
【０１７３】
１つ以上の第１電力変換装置１１０、２１０、３１０、４１０は、第１交流電源１０＃１、バッテリ電源１０＃２及び第２交流電源１０＃３のそれぞれに接続され、接続された電源供給源から電源が供給される第１〜第３変換装置１１０＃１〜＃３、２１０＃１〜＃３、３１０＃１〜＃３、４１０＃１〜＃３を含んでもよい。
【０１７４】
これによれば、第１交流電源１０＃１は、第１変換装置１１０＃１、２１０＃１、３１０＃１、４１０＃１に接続され、第１変換装置１１０＃１、２１０＃１、３１０＃１、４１０＃１にＡＣ電源を供給し、バッテリ電源１０＃２は、第２変換装置１１０＃２、２１０＃２、３１０＃２、４１０＃２に接続され、第２変換装置１１０＃２、２１０＃２、３１０＃２、４１０＃２にＤＣ電源を供給し、第２交流電源１０＃３は、第３変換装置１１０＃３、２１０＃３、３１０＃３、４１０＃３に接続され、第３変換装置１１０＃３、２１０＃３、３１０＃３、４１０＃３にＡＣ電源を供給することになる。
【０１７５】
第１変換装置１１０＃１、２１０＃１、３１０＃１、４１０＃１は、ＡＣ電源をＤＣ電源に変換するＡＣ／ＤＣコンバータであってもよく、また、第２変換装置１１０＃２、２１０＃２、３１０＃２、４１０＃２は、ＤＣ電源のレベルを変換するＤＣ／ＤＣコンバータであってもよく、また、第３変換装置１１０＃３、２１０＃３、３１０＃３、４１０＃３は、ＡＣ電源をＤＣ電源に変換するＡＣ／ＤＣコンバータであってもよい。
【０１７６】
１つ以上の第１電力変換装置１１０、２１０、３１０、４１０のそれぞれは、前段及び後段のそれぞれに接続を開閉する開閉手段を含んでもよい。
【０１７７】
前記開閉手段は、１つ以上の第１電力変換装置１１０、２１０、３１０、４１０のそれぞれの入力端及び出力端のそれぞれに備えられ、１つ以上の第１電力変換装置１１０、２１０、３１０、４１０において入出力される電源を断続するスイッチであってもよい。
【０１７８】
ここで、前記入力端に備えられる開閉手段は、過電流を検知して回路を遮断する遮断器であってもよい。
【０１７９】
より具体的には、第１交流電源１０＃１及び第２交流電源１０＃３からＡＣ電源が供給される第１変換装置１１０＃１、２１０＃１、３１０＃１、４１０＃１及び第３変換装置１１０＃３、２１０＃３、３１０＃３、４１０＃３の入力端には、交流気中遮断器（ACB: Air Circuit Breaker）が備えられ、バッテリ電源１０＃２からＤＣ電源が供給される第２変換装置１１０＃２、２１０＃２、３１０＃２、４１０＃２の入力端には、直流配線用遮断器（MCCB: Molded Circuit Breaker）が備えられてもよい。
【０１８０】
前記開閉手段は、１つ以上の第１電力変換装置１１０、２１０、３１０、４１０の動作によって１つ以上の第１電力変換装置１１０、２１０、３１０、４１０の接続を開閉するようにしてもよい。
【０１８１】
例えば、１つ以上の電源供給源１０から電源供給を受けない場合、前記入力端及び前記出力端のそれぞれに備えられる開閉手段が開路され、当該変換装置の接続が分離されるようにしてもよい。
【０１８２】
１つ以上の第１電力変換装置１１０、２１０、３１０、４１０は、前記出力端が１つの電源端に接続されてもよい。
【０１８３】
すなわち、１つ以上の第１電力変換装置１１０、２１０、３１０、４１０は、前記出力端が前記電源端に共通に接続され、１つ以上の第１電力変換装置１１０、２１０、３１０、４１０で変換された前記ＤＣ電源が流れるようにしてもよい。
【０１８４】
よって、前記電源端は、１つ以上の第１電力変換装置１１０、２１０、３１０、４１０の出力端が共通に接続され、１つ以上の第１電力変換装置１１０、２１０、３１０、４１０から出力された前記ＤＣ電源が流れる電路であってもよい。
【０１８５】
前記電源端は、複数の電源盤１００、２００、３００、４００のうち隣接する電源盤の電源端及び第２電力変換装置１２０、２２０、３２０、４２０の入力端に接続されてもよい。
【０１８６】
前記電源端は、他の電源盤１００、２００、３００、４００のうち隣接する２つの電源盤の電源端に接続されてもよい。
【０１８７】
前記電源端は、他の電源盤１００、２００、３００、４００のうち隣接する２つの電源盤の電源端及び第２電力変換装置１２０、２２０、３２０、４２０のそれぞれの入力端に接続され、前記電源端を介して、前記ＤＣ電源が前記隣接する電源盤又は第２電力変換装置１２０、２２０、３２０、４２０に送られるようにしてもよい。
【０１８８】
前記電源端は、複数の遮断器１３０、２３０、３３０、４３０のうちいずれか２つの遮断器に接続されてもよい。
【０１８９】
すなわち、前記電源端は、前記電源端に接続されたいずれか２つの遮断器により他の電源盤１００、２００、３００、４００間の接続を断続するようにしてもよい。
【０１９０】
よって、前記電源端から他の電源盤１００、２００、３００、４００に送られるか、又は他の電源盤１００、２００、３００、４００から送られる前記ＤＣ電源は、前記電源端に接続された遮断器により制御することができる。
【０１９１】
このように、１つ以上の第１電力変換装置１１０、２１０、３１０、４１０の出力端が共通に接続された前記電源端が前記隣接する電源盤の電源端及び第２電力変換装置１２０、２２０、３２０、４２０の入力端に接続されることにより、前記電源端を介して、１つ以上の第１電力変換装置１１０、２１０、３１０、４１０で変換されて出力された前記ＤＣ電源を送ることができるようになる。
【０１９２】
１つ以上の第１電力変換装置１１０、２１０、３１０、４１０で変換されて出力された前記ＤＣ電源は、第２電力変換装置１２０、２２０、３２０、４２０に送られるようにしてもよい。
【０１９３】
１つ以上の第１電力変換装置１１０、２１０、３１０、４１０は、第１〜第３変換装置１１０＃１〜＃３、２１０＃１〜＃３、３１０＃１〜＃３、４１０＃１〜＃３のいずれかが動作し、第２電力変換装置１２０、２２０、３２０、４２０に前記ＤＣ電源を供給するようにしてもよい。
【０１９４】
複数の電源盤１００、２００、３００、４００は、第２電力変換装置１２０、２２０、３２０、４２０に前記ＤＣ電源を供給する変換装置１１０＃１〜＃３、２１０＃１〜＃３、３１０＃１〜＃３、４１０＃１〜＃３の電源供給が中断されると、変換装置１１０＃１〜＃３、２１０＃１〜＃３、３１０＃１〜＃３、４１０＃１〜＃３以外の他の変換装置により第２電力変換装置１２０、２２０、３２０、４２０に前記ＤＣ電源が供給されるようにしてもよい。
【０１９５】
１つ以上の第１電力変換装置１１０、２１０、３１０、４１０は、第２電力変換装置１２０、２２０、３２０、４２０に前記ＤＣ電源を供給する変換装置１１０＃１〜＃３、２１０＃１〜＃３、３１０＃１〜＃３、４１０＃１〜＃３の電源供給が中断されると、変換装置１１０＃１〜＃３、２１０＃１〜＃３、３１０＃１〜＃３、４１０＃１〜＃３が前記他の変換装置に切り替えられる間、バッテリ電源１０＃２から電源供給を受ける変換装置１１０＃２、２１０＃２、３１０＃２、４１０＃２により第２電力変換装置１２０、２２０、３２０、４２０に前記ＤＣ電源を供給するようにしてもよい。
【０１９６】
ここで、変換装置１１０＃１〜＃３、２１０＃１〜＃３、３１０＃１〜＃３、４１０＃１〜＃３の電源供給が中断されるとは、変換装置１１０＃１〜＃３、２１０＃１〜＃３、３１０＃１〜＃３、４１０＃１〜＃３、変換装置１１０＃１〜＃３、２１０＃１〜＃３、３１０＃１〜＃３、４１０＃１〜＃３に接続された供給源、及び前記ＤＣ電源の定格のいずれか１つ以上において異常状態が検出されることであってもよい。
【０１９７】
例えば、第１交流電源１０＃１に接続された第１変換装置１１０＃１、２１０＃１、３１０＃１、４１０＃１が第２電力変換装置１２０、２２０、３２０、４２０に前記ＤＣ電源を供給している間に、第１変換装置１１０＃１、２１０＃１、３１０＃１、４１０＃１から出力される前記ＤＣ電源の定格が低下して所定基準以下になると、第１変換装置１１０＃１、２１０＃１、３１０＃１、４１０＃１以外の他の変換装置である第３変換装置１１０＃３、２１０＃３、３１０＃３、４１０＃３により第２電力変換装置１２０、２２０、３２０、４２０に前記ＤＣ電源が供給されるようにしてもよい。
【０１９８】
この場合、１つ以上の第１電力変換装置１１０、２１０、３１０、４１０は、第１変換装置１１０＃１、２１０＃１、３１０＃１、４１０＃１が第３変換装置１１０＃３、２１０＃３、３１０＃３、４１０＃３に切り替えられる間、バッテリ電源１０＃２に接続された第２変換装置１１０＃２、２１０＃２、３１０＃２、４１０＃２により第２電力変換装置１２０、２２０、３２０、４２０に前記ＤＣ電源を供給するようにしてもよい。
【０１９９】
すなわち、バッテリ電源１０＃２に接続された第２変換装置１１０＃２、２１０＃２、３１０＃２、４１０＃２は、第２電力変換装置１２０、２２０、３２０、４２０への前記ＤＣ電源の供給が中断されると、前記ＤＣ電源の供給が切り替えられて復旧されるまで、第２電力変換装置１２０、２２０、３２０、４２０に前記ＤＣ電源を供給するようにしてもよい。
【０２００】
第２電力変換装置１２０、２２０、３２０、４２０は、複数からなるようにしてもよい。
【０２０１】
第２電力変換装置１２０、２２０、３２０、４２０は、供給されたＤＣ電源を前記駆動電源に変換する装置であり、例えばインバータであってもよい。
【０２０２】
第２電力変換装置１２０、２２０、３２０、４２０は、前記負荷がＡＣ電源で駆動される負荷である場合、１つ以上の第１電力変換装置１１０、２１０、３１０、４１０からのＤＣ電源をＡＣの駆動電源に変換するインバータであってもよい。
【０２０３】
第２電力変換装置１２０、２２０、３２０、４２０は、前記負荷がＤＣ電源で駆動される負荷である場合、１つ以上の第１電力変換装置１１０、２１０、３１０、４１０からのＤＣ電源をＤＣの駆動電源に変換するインバータであってもよい。
【０２０４】
第２電力変換装置１２０、２２０、３２０、４２０は、負荷２０に対応する数で備えられてもよい。
【０２０５】
負荷２０は、複数からなるようにしてもよい。
【０２０６】
第２電力変換装置１２０、２２０、３２０、４２０は、負荷２０に対応して、３つ以上の第２電力変換装置１２０＃１〜＃３、２２０＃１〜＃３、３２０＃１〜＃３、４２０＃１〜＃３を含んでもよい。
【０２０７】
第２電力変換装置１２０、２２０、３２０、４２０のそれぞれは、負荷２０のそれぞれに接続され、接続された負荷２０に前記駆動電源を供給するようにしてもよい。
【０２０８】
第２電力変換装置１２０、２２０、３２０、４２０のそれぞれは、前段に接続を開閉する開閉手段を含んでもよい。
【０２０９】
前記開閉手段は、第２電力変換装置１２０、２２０、３２０、４２０のそれぞれの入力端に備えられ、第２電力変換装置１２０、２２０、３２０、４２０に入力される電源を断続するスイッチであってもよい。
【０２１０】
ここで、前記入力端に備えられる開閉手段は、過電流を検知して回路を遮断する遮断器であってもよい。
【０２１１】
第２電力変換装置１２０、２２０、３２０、４２０で変換されて出力される前記駆動電源は、負荷２０のそれぞれに送られるようにしてもよい。
【０２１２】
ここで、負荷２０は、電動機（Ｍ）負荷を含んでもよい。
【０２１３】
複数の電源盤１００、２００、３００、４００のそれぞれは、前記ＤＣ電源が入出力される前記電源端が隣接する２つの電源盤の電源端のそれぞれに接続されてもよい。
【０２１４】
複数の電源盤１００、２００、３００、４００は、一端と他端が接続されるループ構造に形成され、複数の電源盤１００、２００、３００、４００のそれぞれにおいて前記ＤＣ電源が入出力される電源端が接続され、複数の電源盤１００、２００、３００、４００で変換された前記ＤＣ電源が導通する前記ＤＣ電路に接続されてもよい。
【０２１５】
前記ＤＣ電路は、複数の電源盤１００、２００、３００、４００の外部から複数の電源盤１００、２００、３００、４００に接続され、複数の電源盤１００、２００、３００、４００で変換されたＤＣ電源が流れるＤＣ専用電路であってもよい。
【０２１６】
前記ＤＣ電路とは、２つ以上の電源供給源が共通に接続され、電源を送るＤＣ専用電路を意味する。
【０２１７】
前記ＤＣ電路は、前記電源端のうち２つの電源端間を接続する電路が連続的に接続された電路であってもよい。
【０２１８】
前記ＤＣ電路は、複数の電路が接続された形態からなるようにしてもよい。
【０２１９】
前記ＤＣ電路は、環構造に接続される複数の電路からなるようにしてもよい。
【０２２０】
前記ＤＣ電路は、両側に接続された電源端間でＤＣ電源を送るようにしてもよい。
【０２２１】
すなわち、前記ＤＣ電路は、前記複数の電路がループ構造に接続された電路であってもよい。
【０２２２】
よって、前記ＤＣ電路に接続された複数の電源盤１００、２００、３００、４００のそれぞれの電源端は、複数の電源盤１００、２００、３００、４００の外部でアウターループを形成するようにしてもよい。
【０２２３】
前記ＤＣ電路は、複数のＤＣ電源供給源に接続され、複数のＤＣ電源供給源から供給されるＤＣ電源が送られるようにしてもよい。
【０２２４】
例えば、複数の電源盤１００、２００、３００、４００のそれぞれの電源端Ｏ１〜Ｏ４が接続されることにより、複数の電源盤１００、２００、３００、４００間で前記ＤＣ電源を送ることができるようになる。
【０２２５】
前記ＤＣ電路は、１つないし２つの変換装置から供給されるＤＣ電源の大きさの定格であることが好ましい。
【０２２６】
すなわち、前記ＤＣ電路の定格は、２つの変換装置から供給されるＤＣ電源が送られる定格であってもよい。
【０２２７】
前記ＤＣ電路は、複数の遮断器１３０、２３０、３３０、４３０の開閉により前記ＤＣ電源が流れるようにしてもよい。
【０２２８】
前記ＤＣ電路は、複数の遮断器１３０、２３０、３３０、４３０の開閉動作により前記ＤＣ電源が導通するようにしてもよい。
【０２２９】
前記ＤＣ電路は、前記ＤＣ電源が流れるＤＣ電路がループ状に形成されるようにしてもよい。
【０２３０】
すなわち、複数の電源盤１００、２００、３００、４００のそれぞれの前記電源端が前記ループ状に形成された前記ＤＣ電路に接続されることにより、複数の電源盤１００、２００、３００、４００のそれぞれの前記電源端がリング構造に接続されるようにしてもよい。
【０２３１】
よって、システム１０００においては、複数の電源盤１００、２００、３００、４００間の接続が複数の電源盤１００、２００、３００、４００の外部でリング構造に形成される。
【０２３２】
前記ＤＣ電路は、複数の電源盤１００、２００、３００、４００のうちいずれか１つの電源盤の電源端Ｏ１〜Ｏ４と隣接する２つの電源盤の電源端Ｏ１〜Ｏ４のそれぞれが接続される数の電路からなるようにしてもよい。
【０２３３】
例えば、前記ＤＣ電路は、第１電源盤１００と第３電源盤１００が接続される第１電路、第１電源盤１００と第２電源盤２００が接続される第２電路、第３電源盤３００と第４電源盤４００が接続される第３電路、及び第２電源盤２００と第４電源盤４００が接続される第４電路からなるようにしてもよく、また、前記第１〜第４電路がループ状に形成されるようにしてもよい。
【０２３４】
ここで、前記第１電路には第１遮断器１３０が備えられ、前記第２電路には第２遮断器２３０が備えられ、前記第３電路には第３遮断器３３０が備えられ、前記第４電路には第４遮断器４３０が備えられ、それぞれ第１〜第４電路の開閉を断続するようにしてもよい。
【０２３５】
よって、複数の遮断器１３０、２３０、３３０、４３０は、複数の電路がループ状に形成された前記ＤＣ電路を介しての複数の電源盤１００、２００、３００、４００間の接続を断続することができる。
【０２３６】
複数の電源盤１００、２００、３００、４００は、前記ＤＣ電路上で一側の電源盤の電源端と他側の電源盤の電源端が接続され、前記電源端間の接続がループ構造を形成するようにしてもよい。
【０２３７】
複数の電源盤１００、２００、３００、４００は、いずれかの電源盤の電源端と隣接する２つの電源盤の電源端間のそれぞれに複数の遮断器１３０、２３０、３３０、４３０がそれぞれ配置されてもよい。
【０２３８】
複数の電源盤１００、２００、３００、４００のそれぞれの電源端は、複数の遮断器１３０、２３０、３３０、４３０に接続されてもよい。
【０２３９】
複数の電源盤１００、２００、３００、４００のそれぞれは、前記電源端が複数の遮断器１３０、２３０、３３０、４３０のうちいずれか２つの遮断器に接続されてもよい。
【０２４０】
すなわち、複数の電源盤１００、２００、３００、４００のそれぞれの前記電源端は、２つの遮断器１３０、２３０、３３０、４３０に接続されてもよい。
【０２４１】
例えば、複数の電源盤１００、２００、３００、４００が図１に示すように４つである場合、第１電源盤１００が第１遮断器１３０及び第２遮断器２３０に接続され、第２電源盤２００が第２遮断器２３０及び第３遮断器３３０に接続され、第３電源盤３００が第３遮断器３３０及び第４遮断器４３０に接続され、第４電源盤４００が第４遮断器４３０及び第１遮断器１３０に接続されるようにしてもよい。
【０２４２】
つまり、複数の遮断器１３０、２３０、３３０、４３０のそれぞれが２つの電源盤に接続される。
【０２４３】
例えば、第１遮断器１３０は、第１電源盤１００及び第４電源盤４００に接続され、第２遮断器２３０は、第１電源盤１００及び第２電源盤２００に接続され、第３遮断器３３０は、第２電源盤２００及び第３電源盤３００に接続され、第４遮断器４３０は、第４電源盤４００及び第１電源盤１００に接続されるようにしてもよい。
【０２４４】
複数の電源盤１００、２００、３００、４００は、いずれかの電源盤の電源端が他の２つの電源盤の電源端のそれぞれに接続されてもよい。
【０２４５】
すなわち、複数の電源盤１００、２００、３００、４００は、他の２つの電源盤のそれぞれに接続されてもよい。
【０２４６】
例えば、第１電源盤１００は、第１遮断器１３０を介して第４電源盤４００に接続され、第２遮断器２３０を介して第２電源盤２００に接続され、第２及び第４電源盤２００、４００のそれぞれに接続されてもよい。
【０２４７】
また、第２電源盤２００は、第２遮断器２３０を介して第１電源盤１００に接続され、第３遮断器３３０を介して第３電源盤３００に接続され、第１及び第３電源盤１００、３００のそれぞれに接続されてもよい。
【０２４８】
さらに、第３電源盤３００は、第３遮断器３３０を介して第２電源盤２００に接続され、第４遮断器４３０を介して第４電源盤４００に接続され、第２及び第４電源盤２００、４００のそれぞれに接続されてもよい。
【０２４９】
さらに、第４電源盤４００は、第４遮断器４３０を介して第３電源盤３００に接続され、第１遮断器１３０を介して第１電源盤１００に接続され、第１及び第３電源盤１００、３００のそれぞれに接続されてもよい。
【０２５０】
複数の遮断器１３０、２３０、３３０、４３０のそれぞれは、複数の電源盤１００、２００、３００、４００のそれぞれに含まれてもよい。
【０２５１】
前記電源端に接続される複数の遮断器１３０、２３０、３３０、４３０は、ＤＣ電源を遮断するＤＣ遮断器であってもよい。
【０２５２】
前記電源端のそれぞれは、複数の遮断器１３０、２３０、３３０、４３０のいずれか２つに接続されてもよい。
【０２５３】
複数の遮断器１３０、２３０、３３０、４３０は、前記電源端のうち隣接する２つの電源盤の電源端間の電路のそれぞれに配置され、複数の電源盤１００、２００、３００、４００間の接続を断続するようにしてもよい。
【０２５４】
複数の遮断器１３０、２３０、３３０、４３０は、複数の電源盤１００、２００、３００、４００において１つ以上の第１電力変換装置１１０、２１０、３１０、４１０のそれぞれの出力端が接続される前記電源端のうち隣接する２つの電源端が互いに接続される電路のそれぞれに配置されてもよい。
【０２５５】
すなわち、複数の遮断器１３０、２３０、３３０、４３０は、前記電源端間に備えられ、複数の電源盤１００、２００、３００、４００間の接続を断続するようにしてもよい。
【０２５６】
これによれば、複数の電源盤１００、２００、３００、４００は、複数の遮断器１３０、２３０、３３０、４３０を介して互いに接続され、複数の遮断器１３０、２３０、３３０、４３０の開閉により複数の電源盤１００、２００、３００、４００間の接続を断続することができる。
【０２５７】
複数の遮断器１３０、２３０、３３０、４３０は、ＤＣ専用配線用遮断器（ＭＣＣＢ）であってもよい。
【０２５８】
複数の遮断器１３０、２３０、３３０、４３０は、前記ＤＣ電源、前記駆動電源、１つ以上の第１電力変換装置１１０、２１０、３１０、４１０、及び負荷２０の少なくとも１つの状態によって開閉を変えて、複数の電源盤１００、２００、３００、４００間で前記ＤＣ電源を接続又は切断するようにしてもよい。
【０２５９】
ここで、前記少なくとも１つの状態は、前記ＤＣ電源が初期状態から変動した場合、前記駆動電源が初期状態から変動した場合、１つ以上の第１電力変換装置１１０、２１０、３１０、４１０の動作状態が変動した場合、及び負荷２０の駆動状態が変動した場合の１つ以上であってもよい。
【０２６０】
例えば、前記少なくとも１つの状態は、前記ＤＣ電源又は前記駆動電源が基準定格以下となった場合、１つ以上の第１電力変換装置１１０、２１０、３１０、４１０に故障／事故が発生して動作状態が変動した場合、又は負荷２０に供給される前記駆動電源が低下して負荷２０の駆動状態が変動した場合であってもよい。
【０２６１】
複数の遮断器１３０、２３０、３３０、４３０は、複数の電源盤１００、２００、３００、４００に対応する数で備えられてもよい。
【０２６２】
複数の遮断器１３０、２３０、３３０、４３０は、複数の電源盤１００、２００、３００、４００がＮ個の場合、Ｎ個備えられてもよい。
【０２６３】
例えば、複数の電源盤１００、２００、３００、４００が４つの場合、すなわちＮが４である場合、複数の遮断器１３０、２３０、３３０、４３０は、４つであってもよい。
【０２６４】
複数の遮断器１３０、２３０、３３０、４３０のそれぞれは、平時に開路され、動作時に閉路されることにより、複数の電源盤１００、２００、３００、４００間の接続を断続するようにしてもよい。
【０２６５】
よって、複数の電源盤１００、２００、３００、４００のそれぞれは、複数の遮断器１３０、２３０、３３０、４３０のそれぞれの開閉により他の電源盤に接続される。
【０２６６】
複数の遮断器１３０、２３０、３３０、４３０は、複数の電源盤１００、２００、３００、４００間で前記ＤＣ電源を接続する場合に閉路され、複数の電源盤１００、２００、３００、４００間で前記ＤＣ電源を切断する場合に開路されるようにしてもよい。
【０２６７】
複数の電源盤１００、２００、３００、４００のそれぞれが複数の遮断器１３０、２３０、３３０、４３０を介して他の電源盤に接続される形態は、図１に示すようにしてもよい。
【０２６８】
複数の電源盤１００、２００、３００、４００は、前記ＤＣ電源が入出力される電源端のそれぞれが隣接する２つの電源盤の電源端のそれぞれに接続され、一側の電源盤の電源端と他側の電源盤の電源端が接続され、前記電源端間の接続が連続するようにしてもよい。
【０２６９】
複数の電源盤１００、２００、３００、４００は、前記電源端間の接続が連続し、複数の電源盤１００、２００、３００、４００間の接続がアウターループ構造を形成するようにしてもよい。
【０２７０】
すなわち、システム１０００は、複数の電源盤１００、２００、３００、４００がループ構造に接続されてもよい。
【０２７１】
システム１０００は、第１電源盤１００、第２電源盤２００、第３電源盤３００及び第４電源盤４００が順次接続される場合、前記一側に対応する第１電源盤１００の電源端と前記他側に対応する第４電源盤４００の電源端が接続され、前記電源端間の接続がループ構造を形成するようにしてもよい。
【０２７２】
図４ａを参照して、接続形態についてより具体的に説明する。
【０２７３】
第１電源盤１００は、前記ＤＣ電路に接続されて隣接する第２電源盤２００及び第４電源盤４００に接続され、第１及び第２電源盤１００、２００間に第１遮断器１３０が備えられ、第１及び第４電源盤１００、４００間に第４遮断器４３０が備えられ、第１及び第２電源盤１００、２００間の接続は第１電源盤１００の遮断器１３０により断続され、第１及び第４電源盤１００、４００間の接続は第４電源盤４００の遮断器４３０により断続される。
【０２７４】
第２電源盤２００は、前記ＤＣ電路に接続されて隣接する第１電源盤１００及び第３電源盤３００に接続され、第１及び第２電源盤１００、２００間に第１遮断器１３０が備えられ、第２及び第３電源盤２００、３００間に第２遮断器２３０が備えられ、第１及び第２電源盤１００、２００間の接続は第１電源盤１００の遮断器１３０により断続され、第２及び第３電源盤２００、３００間の接続は第２電源盤２００の遮断器２３０により断続される。
【０２７５】
第３電源盤３００は、前記ＤＣ電路に接続されて隣接する第２電源盤２００及び第４電源盤４００に接続され、第２及び第３電源盤２００、３００間に第２遮断器２３０が備えられ、第３及び第４電源盤３００、４００間に第３遮断器３３０が備えられ、第２及び第３電源盤２００、３００間の接続は第２電源盤２００の遮断器２３０により断続され、第３及び第４電源盤３００、４００間の接続は第３電源盤３００の遮断器３３０により断続される。
【０２７６】
第４電源盤４００は、前記ＤＣ電路に接続されて隣接する第３電源盤３００及び第１電源盤１００に接続され、第３及び第４電源盤３００、４００間に第３遮断器３３０が備えられ、第１及び第４電源盤１００、４００間に第４遮断器４３０が備えられ、第３及び第４電源盤３００、４００間の接続は第３電源盤３００の遮断器３３０により断続され、第１及び第４電源盤１００、４００間の接続は第４電源盤４００の遮断器４３０により断続される。
【０２７７】
このように第１〜第４電源盤１００、２００、３００、４００が接続されることにより、複数の電源盤１００、２００、３００、４００が図４ｂに示すようにループ状に接続される。
【０２７８】
このように、複数の電源盤１００、２００、３００、４００のそれぞれが隣接する電源盤に接続されてループ構造を形成することにより、複数の電源盤１００、２００、３００、４００間で前記ＤＣ電源を送ることができるようになる。
【０２７９】
すなわち、複数の電源盤１００、２００、３００、４００のそれぞれが隣接する電源盤に接続され、図４ｂに示すようにループ構造を形成することにより、第１電源盤１００は、第２電源盤２００及び第４電源盤４００に接続されて第２電源盤２００又は第４電源盤４００と前記ＤＣ電源の受供給を行い、第２電源盤２００は、第１電源盤１００及び第３電源盤３００に接続されて第１電源盤１００又は第３電源盤３００と前記ＤＣ電源の受供給を行い、第３電源盤３００は、第２電源盤２００及び第４電源盤４００に接続されて第２電源盤２００又は第４電源盤４００と前記ＤＣ電源の受供給を行い、第４電源盤４００は、第３電源盤３００及び第１電源盤１００に接続されて第３電源盤３００又は第１電源盤１００と前記ＤＣ電源の受供給を行うようにしてもよい。
【０２８０】
このようにループ状に接続される複数の電源盤１００、２００、３００、４００は、複数の遮断器１３０、２３０、３３０、４３０のそれぞれの開閉により、複数の電源盤１００、２００、３００、４００間の前記ＤＣ電源の受供給を行うことができる。
【０２８１】
例えば、第１電源盤１００と第２電源盤２００間の電路に接続された第１遮断器１３０が閉路された場合、第１電源盤１００と第２電源盤２００間の前記ＤＣ電源の受供給を行うことができ、第２電源盤２００と第３電源盤３００間の電路に接続された第２遮断器２３０が閉路された場合、第２電源盤２００と第３電源盤３００間の前記ＤＣ電源の受供給を行うことができ、第３電源盤３００と第４電源盤４００間の電路に接続された第３遮断器３３０が閉路された場合、第３電源盤３００と第４電源盤４００間の前記ＤＣ電源の受供給を行うことができ、第４電源盤４００と第１電源盤１００間の電路に接続された第４遮断器４３０が閉路された場合、第４電源盤４００と第１電源盤１００間の前記ＤＣ電源の受供給を行うことができる。
【０２８２】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視するようにしてもよい。
【０２８３】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果に基づいて、第１〜第４遮断器１３０、２３０、３３０、４３０のそれぞれの開閉を制御するようにしてもよい。
【０２８４】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出するようにしてもよい。
【０２８５】
複数の電源盤１００、２００、３００、４００のそれぞれは、１つ以上の電源供給源１０のいずれかから供給された電源を前記ＤＣ電源に変換するようにしてもよい。
【０２８６】
すなわち、複数の電源盤１００、２００、３００、４００のそれぞれは、１つ以上の電源供給源１０のいずれかから選択的に電源供給を受けるようにしてもよい。
【０２８７】
複数の電源盤１００、２００、３００、４００のそれぞれは、予め設定された供給基準に基づいて、１つ以上の電源供給源１０のいずれかから供給された電源を前記ＤＣ電源に変換するようにしてもよい。
【０２８８】
前記供給基準は、１つ以上の電源供給源１０の電源供給優先順位に関する基準であってもよい。
【０２８９】
複数の電源盤１００、２００、３００、４００は、１つ以上の電源供給源１０の状態によって１つ以上の第１電力変換装置１１０、２１０、３１０、４１０のいずれかを選択し、選択した変換装置により第２電力変換装置１２０、２２０、３２０、４２０に前記ＤＣ電源を送るようにしてもよい。
【０２９０】
すなわち、複数の電源盤１００、２００、３００、４００のそれぞれは、１つ以上の電源供給源１０の状態によって選択した１つの変換装置により第２電力変換装置１２０、２２０、３２０、４２０に前記ＤＣ電源を送るようにしてもよい。
【０２９１】
複数の電源盤１００、２００、３００、４００は、前記駆動電源への変換を行う第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源を送るようにしてもよい。
【０２９２】
すなわち、複数の電源盤１００、２００、３００、４００のそれぞれは、前記ＤＣ電源を送っている変換装置及び前記変換装置に対応する電源供給源のいずれか１つ以上に異常が発生すると、前記変換装置以外の他の変換装置に切り替え、切り替えられた変換装置により第２電力変換装置１２０、２２０、３２０、４２０に前記ＤＣ電源を送るようにしてもよい。
【０２９３】
複数の電源盤１００、２００、３００、４００は、第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源が送られるように、電源供給中の電源供給源及び変換装置を切り替えてもよい。
【０２９４】
複数の遮断器１３０、２３０、３３０、４３０は、複数の電源盤１００、２００、３００、４００の１つ以上の電源供給が中断されると、前記電源供給が中断された電源盤と前記電源供給が中断された電源盤に隣接する電源盤間に配置された１つ以上の遮断器が閉路され、前記電源供給が中断された電源盤を前記隣接する電源盤に接続し、前記隣接する電源盤から前記電源供給が中断された電源盤に前記ＤＣ電源が供給されるようにしてもよい。
【０２９５】
この場合、前記電源供給が中断された電源盤は、前記電源供給が中断されてから前記隣接する電源盤から導通した前記ＤＣ電源が供給されるまで、バッテリ電源Ｂに接続された変換装置から前記ＤＣ電源が供給されるようにしてもよい。
【０２９６】
このようなシステム１０００は、複数の電源盤１００、２００、３００、４００及び複数の遮断器１３０、２３０、３３０、４３０の少なくとも１つの状態を監視し、監視結果に基づいて複数の電源盤１００、２００、３００、４００及び複数の遮断器１３０、２３０、３３０、４３０の少なくとも１つを制御する制御装置６００をさらに含んでもよい。
【０２９７】
すなわち、複数の電源盤１００、２００、３００、４００は、制御装置６００により制御されるようにしてもよい。
【０２９８】
複数の電源盤１００、２００、３００、４００のそれぞれは、制御装置６００と通信を行い、制御装置６００との通信結果に基づいて動作するようにしてもよい。
【０２９９】
例えば、複数の電源盤１００、２００、３００、４００のそれぞれは、制御装置６００から制御命令を受け取り、前記制御命令に基づいて動作するか、又は制御装置６００に状態情報を送信するようにしてもよい。
【０３００】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果に基づいて、制御装置６００に複数の遮断器１３０、２３０、３３０、４３０のそれぞれの開閉制御を要求するようにしてもよい。
【０３０１】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果を制御装置６００に送信するようにしてもよい。
【０３０２】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出した結果を制御装置６００に送信するようにしてもよい。
【０３０３】
ここで、複数の電源盤１００、２００、３００、４００のそれぞれは、１つ以上の第１電力変換装置１１０、２１０、３１０、４１０及び第２電力変換装置１２０、２２０、３２０、４２０を制御し、１つ以上の電源供給源１０、１つ以上の第１電力変換装置１１０、２１０、３１０、４１０、前記ＤＣ電源、前記駆動電源、及び負荷２０の少なくとも１つの異常状態を監視する制御部１４０、２４０、３４０、４４０をさらに含んでもよい。
【０３０４】
制御部１４０、２４０、３４０、４４０は、複数の電源盤１００、２００、３００、４００の中央制御装置であってもよい。
【０３０５】
制御部１４０、２４０、３４０、４４０は、複数の電源盤１００、２００、３００、４００の制御のための複数の制御手段を含んでもよい。
【０３０６】
また、制御部１４０、２４０、３４０、４４０は、複数の電源盤１００、２００、３００、４００の機能実行のための複数の電子機器をさらに含んでもよい。
【０３０７】
例えば、制御部１４０、２４０、３４０、４４０は、複数の電源盤１００、２００、３００、４００の機能実行及び制御のためのソフトウェア／アプリケーション／プログラムが格納される格納手段、前記格納手段が含まれる専用制御手段、通信手段、表示手段及び入力手段の１つ以上を含んでもよい。
【０３０８】
制御部１４０、２４０、３４０、４４０は、１つ以上の第１電力変換装置１１０、２１０、３１０、４１０、第２電力変換装置１２０、２２０、３２０、４２０及び複数の遮断器１３０、２３０、３３０、４３０を制御するようにしてもよい。
【０３０９】
制御部１４０、２４０、３４０、４４０は、１つ以上の第１電力変換装置１１０、２１０、３１０、４１０、第２電力変換装置１２０、２２０、３２０、４２０及び複数の遮断器１３０、２３０、３３０、４３０を制御するＰＬＣ（Programmable Logic Controller）を含んでもよい。
【０３１０】
制御部１４０、２４０、３４０、４４０は、１つ以上の第１電力変換装置１１０、２１０、３１０、４１０、第２電力変換装置１２０、２２０、３２０、４２０及び複数の遮断器１３０、２３０、３３０、４３０の状態を監視し、監視結果に基づいて１つ以上の第１電力変換装置１１０、２１０、３１０、４１０、第２電力変換装置１２０、２２０、３２０、４２０及び複数の遮断器１３０、２３０、３３０、４３０の動作を制御するようにしてもよい。
【０３１１】
また、制御部１４０、２４０、３４０、４４０は、１つ以上の電源供給源１０及び負荷２０の状態に基づいて、１つ以上の第１電力変換装置１１０、２１０、３１０、４１０、第２電力変換装置１２０、２２０、３２０、４２０及び複数の遮断器１３０、２３０、３３０、４３０の動作を制御するようにしてもよい。
【０３１２】
制御部１４０、２４０、３４０、４４０は、１つ以上の第１電力変換装置１１０、２１０、３１０、４１０のそれぞれの動作を制御して、前記ＤＣ電源の変換及び供給を制御してもよい。
【０３１３】
例えば、１つ以上の第１電力変換装置１１０、２１０、３１０、４１０のうち制御対象変換装置の動作を制御し、前記制御対象変換装置により、供給された電源を前記ＤＣ電源に変換して第２電力変換装置１２０、２２０、３２０、４２０に供給するように制御してもよい。
【０３１４】
また、制御部１４０、２４０、３４０、４４０は、１つ以上の第１電力変換装置１１０、２１０、３１０、４１０に含まれる開閉手段のそれぞれの開閉を制御してもよい。
【０３１５】
制御部１４０、２４０、３４０、４４０は、第２電力変換装置１２０、２２０、３２０、４２０のそれぞれの動作を制御して、前記駆動電源の変換及び供給を制御してもよい。
【０３１６】
例えば、第２電力変換装置１２０、２２０、３２０、４２０のうち制御対象変換装置の動作を制御し、前記制御対象変換装置により、前記ＤＣ電源を前記駆動電源に変換して負荷２０に供給するように制御してもよい。
【０３１７】
また、制御部１４０、２４０、３４０、４４０は、第２電力変換装置１２０、２２０、３２０、４２０に含まれる開閉手段のそれぞれの開閉を制御してもよい。
【０３１８】
制御部１４０、２４０、３４０、４４０は、複数の遮断器１３０、２３０、３３０、４３０の動作を制御することにより、前記ＤＣ電源の受給及び供給を制御するようにしてもよい。
【０３１９】
例えば、制御部１４０、２４０、３４０、４４０は、複数の遮断器１３０、２３０、３３０、４３０を閉路することにより、他の電源盤２００、３００もしくは４００から前記ＤＣ電源を供給するか、又は他の電源盤２００、３００もしくは４００に前記ＤＣ電源を供給するように制御してもよい。
【０３２０】
さらに、制御部１４０、２４０、３４０、４４０は、外部の通信装置及び制御装置の少なくとも１つと通信を行い、通信実行結果に基づいて、１つ以上の第１電力変換装置１１０、２１０、３１０、４１０、第２電力変換装置１２０、２２０、３２０、４２０及び複数の遮断器１３０、２３０、３３０、４３０の動作を制御するようにしてもよい。
【０３２１】
例えば、制御部１４０、２４０、３４０、４４０は、前記制御装置から１つ以上の第１電力変換装置１１０、２１０、３１０、４１０、第２電力変換装置１２０、２２０、３２０、４２０及び複数の遮断器１３０、２３０、３３０、４３０の少なくとも１つの動作制御に関する制御命令を受け取り、前記制御命令に基づいて１つ以上の第１電力変換装置１１０、２１０、３１０、４１０、第２電力変換装置１２０、２２０、３２０、４２０及び複数の遮断器１３０、２３０、３３０、４３０の少なくとも１つの動作を制御してもよい。
【０３２２】
制御部１４０、２４０、３４０、４４０は、１つ以上の電源供給源１０のいずれかから供給された電源が前記ＤＣ電源に変換されるように制御してもよい。
【０３２３】
すなわち、制御部１４０、２４０、３４０、４４０は、１つ以上の電源供給源１０のいずれかから選択的に電源が供給されるように制御してもよい。
【０３２４】
制御部１４０、２４０、３４０、４４０は、予め設定された供給基準に基づいて、１つ以上の電源供給源１０のいずれかから供給された電源が前記ＤＣ電源に変換されるように制御してもよい。
【０３２５】
前記供給基準は、１つ以上の電源供給源１０の電源供給優先順位に関する基準であってもよい。
【０３２６】
例えば、前記電源供給優先順位は、第１交流電源１０＃１、第２交流電源１０＃３、バッテリ電源１０＃２の順に設定されてもよい。
【０３２７】
前記供給基準が前記電源供給優先順位に関する基準である場合、制御部１４０、２４０、３４０、４４０は、第１交流電源１０＃１、第２交流電源１０＃３、バッテリ電源１０＃２の順に電源を供給するように制御してもよい。
【０３２８】
制御部１４０、２４０、３４０、４４０は、第１交流電源１０＃１から電源が供給される場合、第１交流電源１０＃１に接続された第１変換装置１１０＃１の動作を制御するようにしてもよい。
【０３２９】
この場合、制御部１４０、２４０、３４０、４４０は、第１変換装置１１０＃１の開閉手段を閉路し、第２変換装置１１０＃２及び第３変換装置１１０＃３の開閉手段を開路することにより、第１変換装置１１０＃１を接続し、第２変換装置１１０＃２及び第３変換装置１１０＃３を分離するようにしてもよい。
【０３３０】
制御部１４０、２４０、３４０、４４０は、第２交流電源１０＃３から電源が供給される場合、第２交流電源１０＃３に接続された第３変換装置１１０＃３の動作を制御するようにしてもよい。
【０３３１】
この場合、制御部１４０、２４０、３４０、４４０は、第３変換装置１１０＃３の開閉手段を閉路し、第１変換装置１１０＃１及び第２変換装置１１０＃２の開閉手段を開路することにより、第３変換装置１１０＃３を接続し、第１変換装置１１０＃１及び第２変換装置１１０＃２を分離するようにしてもよい。
【０３３２】
制御部１４０、２４０、３４０、４４０は、バッテリ電源１０＃２から電源が供給される場合、バッテリ電源１０＃２に接続された第２変換装置１１０＃２の動作を制御するようにしてもよい。
【０３３３】
この場合、制御部１４０、２４０、３４０、４４０は、第２変換装置１１０＃２の開閉手段を閉路し、第１変換装置１１０＃１及び第３変換装置１１０＃３の開閉手段を開路することにより、第２変換装置１１０＃２を接続し、第１変換装置１１０＃１及び第３変換装置１１０＃３を分離するようにしてもよい。
【０３３４】
制御部１４０、２４０、３４０、４４０は、１つ以上の電源供給源１０の状態によって１つ以上の第１電力変換装置１１０、２１０、３１０、４１０のいずれかを選択し、選択した変換装置により第２電力変換装置１２０、２２０、３２０、４２０のそれぞれに前記ＤＣ電源を送るように制御してもよい。
【０３３５】
すなわち、制御部１４０、２４０、３４０、４４０は、１つ以上の第１電力変換装置１１０、２１０、３１０、４１０から選択した１つの変換装置により、供給された電源を前記ＤＣ電源に変換して第２電力変換装置１２０、２２０、３２０、４２０に送るように制御してもよい。
【０３３６】
例えば、１つ以上の電源供給源１０のうち、第１交流電源１０＃１及び第２交流電源１０＃３に異常が発生すると、バッテリ電源１０＃２に接続された第２変換装置１１０＃２を選択し、第２変換装置１１０＃２がバッテリ電源１０＃２から電源供給を受けて前記ＤＣ電源に変換し、前記ＤＣ電源を第２電力変換装置１２０、２２０、３２０、４２０のそれぞれに送るように制御してもよい。
【０３３７】
制御部１４０、２４０、３４０、４４０は、第２電力変換装置１２０、２２０、３２０、４２０に前記ＤＣ電源を送っている変換装置及び前記変換装置に対応する電源供給源１０のいずれか１つ以上に異常が発生すると、前記変換装置以外の他の変換装置により第２電力変換装置１２０、２２０、３２０、４２０に前記ＤＣ電源を送るように制御してもよい。
【０３３８】
制御部１４０、２４０、３４０、４４０は、第２電力変換装置１２０、２２０、３２０、４２０に前記ＤＣ電源を送っている変換装置及び前記変換装置に対応する電源供給源１０のいずれか１つ以上に異常が発生すると、前記変換装置以外の他の変換装置により第２電力変換装置１２０、２２０、３２０、４２０に前記ＤＣ電源が送られるように、電源供給中の電源供給源１０及び変換装置１１０を切り替えてもよい。
【０３３９】
例えば、制御部１４０、２４０、３４０、４４０は、第１変換装置１１０＃１が第１交流電源１０＃１から供給された電源を前記ＤＣ電源に変換している間に、第１変換装置１１０＃１が故障したり、第１交流電源１０＃１にシャットダウンが発生すると、第３変換装置１１０＃３が第２交流電源１０＃３から供給された電源を前記ＤＣ電源に変換して前記ＤＣ電源を第２電力変換装置１２０に送るように、電源供給中の第１交流電源１０＃１を第２交流電源１０＃３に切り替え、第１変換装置１１０＃１を第３変換装置１１０＃３に切り替えてもよい。
【０３４０】
このように１つ以上の第１電力変換装置１１０、２１０、３１０、４１０、第２電力変換装置１２０、２２０、３２０、４２０及び複数の遮断器１３０、２３０、３３０、４３０を制御する制御部１４０、２４０、３４０、４４０は、前記ＤＣ電源又は前記駆動電源の状態によって複数の遮断器１３０、２３０、３３０、４３０の開閉を制御することにより、他の電源盤１００、２００、３００、４００による前記ＤＣ電源の受供給を制御する。
【０３４１】
例えば、前記駆動電源の大きさが負荷２０の必要とする大きさより小さい場合、又は前記ＤＣ電源が不足した場合は、複数の遮断器１３０、２３０、３３０、４３０を閉路して他の電源盤１００、２００、３００もしくは４００から前記ＤＣ電源が供給されるように制御してもよい。
【０３４２】
また、前記駆動電源の大きさが負荷２０の必要とする大きさより大きい場合、又は前記ＤＣ電源に余裕がある場合は、複数の遮断器１３０、２３０、３３０、４３０を閉路して他の電源盤１００、２００、３００もしくは４００に前記ＤＣ電源が供給されるように制御してもよい。
【０３４３】
それとは逆に、１つ以上の第１電力変換装置１１０、２１０、３１０、４１０又は第２電力変換装置１２０、２２０、３２０、４２０に故障が発生して前記出力端に事故電流が流れたり、１つ以上の電源供給源１０又は負荷２０に異常が発生して前記電源端に事故電流が流れた場合は、複数の遮断器１３０、２３０、３３０、４３０を開路して前記事故電流が他の電源盤１００、２００、３００もしくは４００に供給されることを防止するようにしてもよい。
【０３４４】
制御部１４０、２４０、３４０、４４０は、１つ以上の電源供給源１０のうち２つ以上に異常が発生すると、複数の遮断器１３０、２３０、３３０、４３０を閉路し、前記出力端に接続された他の電源盤１００、２００、３００もしくは４００から前記ＤＣ電源が供給されるように制御してもよい。
【０３４５】
制御部１４０、２４０、３４０、４４０は、前記電源端に接続された他の電源盤２００、３００もしくは４００に異常が発生すると、複数の遮断器１３０、２３０、３３０、４３０を閉路し、他の電源盤１００、２００、３００もしくは４００に前記ＤＣ電源が供給されるように制御してもよい。
【０３４６】
制御部１４０、２４０、３４０、４４０は、前記電源端に接続された他の電源盤１００、２００、３００もしくは４００に異常が発生すると、１つ以上の電源供給源１０のいずれかからさらに電源が供給されるように制御し、複数の遮断器１３０、２３０、３３０、４３０を閉路し、前記電源端を介して、さらに電源を供給するように制御した供給源１０及びそれに対応する変換装置で変換された前記ＤＣ電源が他の電源盤１００、２００、３００もしくは４００に供給されるように制御してもよい。
【０３４７】
例えば、１つ以上の電源供給源１０のうち第１交流電源１０＃１から電源が供給されている間に、他の電源盤１００、２００、３００、４００に異常が発生すると、複数の遮断器１３０、２３０、３３０、４３０を閉路し、第２交流電源１０＃３からさらに電源が供給されるように第３変換装置１１０＃３を制御し、第３変換装置１１０＃３で変換された前記ＤＣ電源が前記出力端に接続された他の電源盤１００、２００、３００もしくは４００に供給されるように制御してもよい。
【０３４８】
制御部１４０、２４０、３４０、４４０は、１つ以上の電源供給源１０に異常が発生すると、複数の遮断器１３０、２３０、３３０、４３０を閉路し、前記電源端に接続された他の電源盤１００、２００、３００もしくは４００から前記ＤＣ電源が供給されるように、制御装置６００に制御を要求してもよい。
【０３４９】
制御部１４０、２４０、３４０、４４０は、前記電源端に接続された他の電源盤１００、２００、３００もしくは４００に異常が発生すると、複数の遮断器１３０、２３０、３３０、４３０を閉路し、他の電源盤１００、２００、３００もしくは４００に前記ＤＣ電源が供給されるように、制御装置６００に制御を要求してもよい。
【０３５０】
制御部１４０、２４０、３４０、４４０は、前記電源端に接続された他の電源盤１００、２００、３００もしくは４００に異常が発生すると、１つ以上の電源供給源１０のいずれかからさらに電源が供給されるように制御し、複数の遮断器１３０、２３０、３３０、４３０を閉路し、前記電源端を介して、さらに電源を供給するように制御した供給源１０及びそれに対応する変換装置１１０、２１０、３１０、４１０で変換された前記ＤＣ電源が他の電源盤１００、２００、３００もしくは４００に供給されるように、制御装置６００に制御を要求してもよい。
【０３５１】
制御装置６００は、複数の遮断器１３０、２３０、３３０、４３０の動作を制御することにより、前記ＤＣ電源の受給及び供給を制御するようにしてもよい。
【０３５２】
例えば、複数の遮断器１３０、２３０、３３０、４３０を閉路することにより、複数の電源盤１００、２００、３００、４００間で前記ＤＣ電源を受給又は供給するように制御してもよい。
【０３５３】
制御装置６００は、複数の電源盤１００、２００、３００、４００のそれぞれと通信を行い、複数の電源盤１００、２００、３００、４００のそれぞれから受信した状態情報に基づいて、複数の電源盤１００、２００、３００、４００のそれぞれを制御してもよい。
【０３５４】
例えば、複数の電源盤１００、２００、３００、４００のそれぞれから受信した前記ＤＣ電源及び前記駆動電源の状態情報に基づいて、複数の電源盤１００、２００、３００、４００のそれぞれの前記ＤＣ電源の変換及び供給と、複数の電源盤１００、２００、３００、４００のそれぞれの前記駆動電源の変換及び供給を制御してもよい。
【０３５５】
制御装置６００は、複数の電源盤１００、２００、３００、４００のそれぞれと通信を行い、複数の電源盤１００、２００、３００、４００のそれぞれから受信した状態情報に基づいて、複数の電源盤１００、２００、３００、４００のそれぞれの前記駆動電源の変換及び供給を制御するか、又は複数の遮断器１３０、２３０、３３０、４３０を制御してもよい。
【０３５６】
また、制御装置６００は、１つ以上の電源供給源１０及び負荷２０の状態を検知するか、又は外部の通信手段から１つ以上の電源供給源１０及び負荷２０の状態に関する情報を受信し、１つ以上の電源供給源１０及び負荷２０の状態に基づいて、複数の電源盤１００、２００、３００、４００のそれぞれの前記駆動電源の変換及び供給を制御するか、又は複数の遮断器１３０、２３０、３３０、４３０を制御してもよい。
【０３５７】
この場合、制御装置６００が複数の電源盤１００、２００、３００、４００のそれぞれの前記駆動電源の変換及び供給の制御、又は複数の遮断器１３０、２３０、３３０、４３０の制御に関する制御命令を、複数の電源盤１００、２００、３００、４００のそれぞれ、又は複数の遮断器１３０、２３０、３３０、４３０のそれぞれに送り、複数の電源盤１００、２００、３００、４００のそれぞれに含まれる制御部１４０、２４０、３４０、４４０により前記制御命令に基づいた制御、又は複数の遮断器１３０、２３０、３３０、４３０のそれぞれの開閉制御が行われる。
【０３５８】
例えば、複数の電源盤１００、２００、３００、４００に電源を供給している系統電源Ｇ全体に異常が発生すると、系統電源Ｇからの電源供給を遮断して他の供給源に切り替えるように、複数の遮断器１３０、２３０、３３０、４３０を開路し、系統電源Ｇを除く電源から電源供給を受けて前記ＤＣ電源に変換して供給するように制御する制御命令を複数の電源盤１００、２００、３００、４００のそれぞれに含まれる制御部１４０、２４０、３４０、４４０に送り、複数の遮断器１３０、２３０、３３０、４３０のそれぞれを開路し、バイパス電源Ｐ又はバッテリ電源Ｂから電源供給を受けて前記ＤＣ電源に変換して供給するように制御してもよい。
【０３５９】
制御装置６００は、複数の遮断器１３０、２３０、３３０、４３０の開閉を制御することにより、複数の電源盤１００、２００、３００、４００に前記ＤＣ電源が送られるように制御してもよい。
【０３６０】
制御装置６００は、複数の電源盤１００、２００、３００、４００のいずれか１つ以上に異常が発生すると、前記異常が発生した電源盤と前記異常が発生した電源盤に隣接する電源盤が接続された電路のいずれか１つの電路の遮断器１３０、２３０、３３０、４３０を閉路し、前記隣接する電源盤から前記異常が発生した電源盤に前記ＤＣ電源が供給されるように制御してもよい。
【０３６１】
すなわち、制御装置６００は、複数の電源盤１００、２００、３００、４００のいずれか１つ以上に異常が発生すると、前記異常が発生した電源盤に接続された遮断器１３０、２３０、３３０、４３０のいずれかを閉路し、前記隣接する電源盤から前記異常が発生した電源盤に前記ＤＣ電源が供給されるように制御してもよい。
【０３６２】
例えば、複数の電源盤１００、２００、３００、４００のうち第１電源盤１００の変換装置１１０に故障が発生すると、第２電源盤２００又は第４電源盤４００のいずれかの変換装置２１０又は４１０で変換されたＤＣ電源を第１電源盤１００の第２電力変換装置１２０、２２０、３２０、４２０に供給するように、第１電源盤１００と第２電源盤２００が接続される電路の第１遮断器１３０、又は第１電源盤１００と第４電源盤４００が接続される電路の第４遮断器４３０を閉路し、第１電源盤１００の１つ以上の第１電力変換装置１１０、２１０、３１０、４１０を遮断し、第２電源盤２００又は第４電源盤４００の１つ以上の第１電力変換装置２１０又は４１０のいずれかで変換された前記ＤＣ電源を第１電源盤１００の第２電力変換装置１２０、２２０、３２０、４２０に供給するように制御する制御命令を第１電源盤１００と第２電源盤２００又は第４電源盤４００のそれぞれに送り、第１遮断器１３０又は第４遮断器４３０を閉路し、第２電源盤２００又は第４電源盤４００の１つ以上の第１電力変換装置２１０又は４１０のいずれかが前記ＤＣ電源を第１電源盤１００の第２電力変換装置１２０、２２０、３２０、４２０に供給するように制御してもよい。
【０３６３】
すなわち、複数の電源盤１００、２００、３００、４００のそれぞれは、隣接する電源盤に異常が発生すると、前記異常が発生した電源盤の負荷２０に前記ＤＣ電源を供給するようにしてもよい。
【０３６４】
ここで、複数の電源盤１００、２００、３００、４００は、前記異常が発生した電源盤に前記ＤＣ電源を供給する場合、１つ以上の電源供給源１０の状態によって前記ＤＣ電源への変換を行う１つ以上の第１電力変換装置５１０のいずれかを選択し、選択したコンバータにより前記異常が発生した電源盤に前記ＤＣ電源を送るようにしてもよい。
【０３６５】
すなわち、複数の電源盤１００、２００、３００、４００は、前記異常が発生した電源盤に前記ＤＣ電源を供給する場合、１つ以上の電源供給源１０の状態によって選択した１つのコンバータにより前記異常が発生した電源盤に前記ＤＣ電源を供給するようにしてもよい。
【０３６６】
例えば、第４電源盤４００が第１電源盤１００に前記ＤＣ電源を供給する際に、第４電源盤４００に電源を供給している１つ以上の電源供給源１０のうち系統電源Ｇ及びバイパス電源Ｐの定格が基準定格より低い場合、バッテリ電源Ｂにより前記ＤＣ電源を供給するようにバッテリ電源Ｂに対応する第２変換装置４１０＃２を選択し、選択した第２変換装置４１０＃２によりバッテリ電源Ｂから供給された電源を前記ＤＣ電源に変換して第１電源盤１００に送るようにしてもよい。
【０３６７】
制御装置６００は、複数の電源盤１００、２００、３００、４００のいずれか１つ以上に異常が発生すると、前記異常が発生した電源盤に隣接する複数の電源盤が接続された電路の遮断器１３０、２３０、３３０、４３０の全てを閉路し、前記隣接する電源盤の全てから前記異常が発生した電源盤に前記ＤＣ電源が供給されるように制御してもよい。
【０３６８】
すなわち、制御装置６００は、複数の電源盤１００、２００、３００、４００のいずれか１つ以上に異常が発生すると、前記異常が発生した電源盤に接続された遮断器１３０、２３０、３３０、４３０の全てを閉路し、前記隣接する電源盤の全てから前記異常が発生した電源盤に前記ＤＣ電源が供給されるように制御してもよい。
【０３６９】
例えば、第１電源盤１００に異常が発生した場合は、第１電源盤１００に隣接する第２電源盤２００との接続を断続する第１遮断器１３０及び第４電源盤４００との接続を断続する第４遮断器４３０を閉路し、隣接する第２電源盤２００及び第４電源盤４００から第１電源盤１００に前記ＤＣ電源が供給されるようにしてもよい。
【０３７０】
制御装置６００は、前記異常が発生した電源盤が複数の場合、前記異常が発生した電源盤のそれぞれに最も隣接する電源盤の接続を断続する複数の遮断器１３０、２３０、３３０、４３０を閉路し、前記隣接する電源盤のそれぞれから前記異常が発生した電源盤のそれぞれに前記ＤＣ電源が供給されるように制御してもよい。
【０３７１】
すなわち、制御装置６００は、前記異常が発生した電源盤が複数の場合、前記異常が発生した電源盤のそれぞれに隣接する複数の電源盤のそれぞれから前記異常が発生した電源盤のそれぞれに前記ＤＣ電源が供給されるように制御してもよい。
【０３７２】
例えば、第２電源盤２００及び第３電源盤３００に故障が発生した場合、第２電源盤２００と第１電源盤１００の接続を断続する第１遮断器１３０及び第３電源盤３００と第４電源盤４００の接続を断続する第３遮断器３３０を閉路し、第２電源盤２００には第１電源盤１００から前記ＤＣ電源が供給され、第３電源盤３００には第４電源盤４００から前記ＤＣ電源が供給されるようにしてもよい。
【０３７３】
このように、複数の電源盤１００、２００、３００、４００のいずれか１つ以上に異常が発生すると、前記異常が発生した電源盤に隣接する電源盤の接続を断続する遮断器１３０、２３０、３３０、４３０を閉路し、前記隣接する電源盤から前記異常が発生した電源盤に前記ＤＣ電源が供給されるように制御することにより、複数の電源盤１００、２００、３００、４００のそれぞれがＵＰＳ機能を実行することができる。
【０３７４】
よって、電源供給システム１０００においては、１つ以上の電源供給源１０、複数の電源盤１００、２００、３００、４００及び負荷２０に予期せぬ異常が発生した場合も、負荷２０への前記駆動電源の供給を維持し続けることができ、負荷２０の運転を中断することなく維持することができ、異常発生に対処して適切かつ能動的に電源供給を行うことができ、異常発生の種類及び程度に関係なく負荷２０の運転及び電源供給システム１０００の制御を安定して行うことができる。
【０３７５】
以下、本発明の他の実施形態による電源供給システムについて説明するが、上記内容と重複する内容は可能な限り省略する。
【０３７６】
前記電源供給システムは、前述又は後述する実施形態の組み合わせ又は区分された形態で実施することができる。
【０３７７】
前記電源供給システムは、複数の電源供給装置が含まれる電源供給システムであってもよい。
【０３７８】
前記電源供給システムは、複数のパッケージ化した電源装置を含んで電源を供給するシステムであってもよい。
【０３７９】
ここで、前記電源装置は、複数の電源制御装置をパッケージ化した電源盤であってもよい。
【０３８０】
電源供給システム１０００（以下、システムという）は、図５に示すように、１つ以上の電源供給源１０から供給された電源をＤＣ電源に変換し、前記ＤＣ電源を負荷２０の駆動電源に変換し、負荷２０に供給する複数の電源盤１００、２００、３００、４００と、１つ以上の電源供給源１０から供給された電源をＤＣ電源に変換し、複数の電源盤１００、２００、３００、４００のうちいずれか２つの電源盤間に配置され、前記２つの電源盤のいずれかに接続されると、前記変換されたＤＣ電源を接続された電源盤に供給する供給盤５００と、一端と他端が接続され、複数の電源盤１００、２００、３００、４００及び供給盤５００のそれぞれにおいて前記ＤＣ電源が入出力される電源端が接続され、複数の電源盤１００、２００、３００、４００及び供給盤５００で変換された前記ＤＣ電源が導通するＤＣ電路と、前記ＤＣ電路上で前記電源端間のそれぞれに配置され、配置された電路に接続された２つの電源端を接続又は分離する複数の遮断器１３０、２３０、３３０、４３０、５３０とを含む。
【０３８１】
すなわち、本実施形態のシステム１０００は、前述した実施形態のシステム１０００に供給盤５００がさらに含まれるものである。
【０３８２】
また、システム１０００は、複数の電源盤１００、２００、３００、４００のそれぞれの動作状態によって複数の遮断器１３０、２３０、３３０、４３０、５３０の開閉を制御することにより、複数の電源盤１００、２００、３００、４００のそれぞれの前記ＤＣ電源の受供給を制御する制御装置６００をさらに含んでもよい。
【０３８３】
複数の遮断器１３０、２３０、３３０、４３０、５３０は、複数の電源盤１００、２００、３００、４００の１つ以上の動作状態によって開閉を変えて、複数の電源盤１００、２００、３００、４００間又は複数の電源盤１００、２００、３００、４００と供給盤５００間で前記ＤＣ電源を接続又は切断する。
【０３８４】
すなわち、複数の遮断器１３０、２３０、３３０、４３０、５３０は、複数の電源盤１００、２００、３００、４００の１つ以上の電源供給状態によって開閉を変えて、複数の電源盤１００、２００、３００、４００のそれぞれに隣接する電源盤又は供給盤５００を接続又は分離するようにしてもよい。
【０３８５】
複数の遮断器１３０、２３０、３３０、４３０、５３０は、前記隣接する電源盤及び供給盤５００の１つ以上から前記電源供給が中断された電源盤に前記ＤＣ電源が供給されるように、前記電源供給が中断された電源盤の電源端に接続された遮断器の１つ以上が閉路され、前記電源供給が中断された電源盤の電源端を前記電源供給が中断された電源盤の電源端の両側の電源端の１つ以上に接続する。
【０３８６】
よって、複数の電源盤１００、２００、３００、４００のそれぞれは、前記電源供給が中断されると、両側に接続された遮断器の１つ以上が閉路され、隣接する電源盤又は供給盤５００の電源端に接続されることにより、隣接する電源盤又は供給盤５００から前記ＤＣ電源が供給されることになる。
【０３８７】
例えば、両側に電源盤が接続された電源盤の場合は、両側の電源盤の１つ以上から前記ＤＣ電源が供給され、一側に供給盤５００が接続された電源盤の場合は、供給盤５００又は他側に接続された電源盤の１つ以上から前記ＤＣ電源が供給される。
【０３８８】
すなわち、システム１０００において、複数の電源盤１００、２００、３００、４００のそれぞれは、前記ＤＣ電路上で前記電源端の両側に接続された電源端の１つ以上から前記ＤＣ電源の供給を受けることができる。
【０３８９】
また、複数の遮断器１３０、２３０、３３０、４３０、５３０は、複数の電源盤１００、２００、３００、４００の１つ以上において電源供給が中断されると、供給盤５００から前記電源供給が中断された電源盤に前記ＤＣ電源が供給されるように１つ以上が閉路され、複数の電源盤１００、２００、３００、４００の１つ以上を供給盤５００に接続するようにしてもよい。
【０３９０】
複数の電源盤１００、２００、３００、４００のそれぞれは、図５に示すように、１つ以上の第１電力変換装置１１０、２１０、３１０、４１０、第２電力変換装置１２０、２２０、３２０、４２０、遮断器１３０、２３０、３３０、４３０及び制御部１４０、２４０、３４０、４４０を含んでもよい。
【０３９１】
複数の電源盤１００、２００、３００、４００のそれぞれに含まれる１つ以上の第１電力変換装置１１０、２１０、３１０、４１０のそれぞれは、前記ＤＣ電源が入出力される電源端が１つに接続されるようにしてもよい。
【０３９２】
よって、１つ以上の第１電力変換装置１１０、２１０、３１０、４１０のそれぞれの前記電源端は、前記ＤＣ電源が流れるＤＣ電路を形成することになる。
【０３９３】
複数の電源盤１００、２００、３００、４００は、前記ＤＣ電源が入出力される電源端が隣接する２つの電源盤の電源端のそれぞれに接続されるか、又は隣接する１つの電源盤の電源端及び供給盤５００の電源端のそれぞれに接続されるようにしてもよい。
【０３９４】
複数の電源盤１００、２００、３００、４００のそれぞれは、前記ＤＣ電源が入出力される電源端が隣接する２つの電源盤１００、２００、３００、４００の電源端のそれぞれに接続されるか、又は隣接する１つの電源盤の電源端及び供給盤５００の電源端のそれぞれに接続されるようにしてもよい。
【０３９５】
例えば、図５に示すように、第１電源盤１００の電源端は、第２電源盤２００の電源端及び供給盤５００の電源端に接続され、第２電源盤２００の電源端は、第１電源盤１００の電源端及び第３電源盤３００の電源端に接続され、第３電源盤３００の電源端は、第２電源盤２００の電源端及び第４電源盤４００の電源端に接続され、第４電源盤４００の電源端は、第３電源盤３００の電源端及び供給盤５００の電源端に接続されるようにしてもよい。
【０３９６】
よって、複数の電源盤１００、２００、３００、４００及び供給盤５００は、前記電源端間の接続がループ構造を形成することになる。
【０３９７】
複数の電源盤１００、２００、３００、４００は、前記ＤＣ電源が入出力される電源端が隣接する２つの電源盤の電源端のそれぞれに接続されるか、又は隣接する１つの電源盤の電源端及び供給盤５００の電源端のそれぞれに接続され、一側の電源盤の電源端と他側の電源盤又は供給盤５００の電源端が接続され、前記電源端間の接続が連続するようにしてもよい。
【０３９８】
よって、複数の電源盤１００、２００、３００、４００及び供給盤５００は、前記電源端間の接続が連続し、複数の電源盤１００、２００、３００、４００及び供給盤５００間の接続がリング構造を形成することになる。
【０３９９】
供給盤５００は、複数の電源盤１００、２００、３００、４００のうちいずれか２つの電源盤間に配置されてもよい。
【０４００】
供給盤５００は、複数の電源盤１００、２００、３００、４００の状態によって、１つ以上の電源供給源１０のそれぞれから供給された電源を前記ＤＣ電源に変換し、前記ＤＣ電源を複数の電源盤１００、２００、３００、４００に供給する非常電源供給盤であってもよい。
【０４０１】
供給盤５００は、複数の電源盤１００、２００、３００、４００と同様に、１つ以上の電源供給源１０から供給された電源を前記ＤＣ電源に変換するようにしてもよい。
【０４０２】
供給盤５００に電源を供給する電源供給源１０は、少なくともバッテリ電源１０＃２を含んでもよい。
【０４０３】
供給盤５００は、第１交流電源１０＃１及び第２交流電源１０＃３からさらに電源が供給されるようにしてもよい。
【０４０４】
また、供給盤５００は、複数の電源盤１００、２００、３００、４００と同様に、１つ以上の電源供給源１０から供給された電源を前記ＤＣ電源に変換する１つ以上の第１電力変換装置５１０を含んでもよい。
【０４０５】
すなわち、供給盤５００は、図５に示すように、１つ以上の第１電力変換装置５１０により、系統電源Ｇ、バイパス電源Ｐ及びバッテリ電源Ｂから供給された電源を前記ＤＣ電源に変換するようにしてもよい。
【０４０６】
ここで、供給盤５００に含まれる１つ以上の第１電力変換装置５１０は、前記ＤＣ電源が出力される１つ以上の第１電力変換装置５１０のそれぞれの出力が１つの電源端に接続され、前記電源端が第５遮断器５３０を介して複数の電源盤１００、２００、３００、４００の電源端に接続されるようにしてもよい。
【０４０７】
すなわち、供給盤５００は、複数の電源盤１００、２００、３００、４００に接続される電路に第５遮断器５３０を備え、第５遮断器５３０の開閉により複数の電源盤１００、２００、３００、４００との接続を断続するようにしてもよい。
【０４０８】
供給盤５００は、１つ以上の電源供給源１０の状態によって、１つ以上の第１電力変換装置５１０のいずれかにより複数の電源盤１００、２００、３００、４００に前記ＤＣ電源を供給するようにしてもよい。
【０４０９】
供給盤５００は、１つ以上の第１電力変換装置５１０から出力された前記ＤＣ電源を複数の電源盤１００、２００、３００、４００のうち接続された電源盤の第２電力変換装置１２０、２２０、３２０、４２０に送るようにしてもよい。
【０４１０】
複数の電源盤１００、２００、３００、４００及び供給盤５００は、図５に示すように接続されてもよい。
【０４１１】
複数の電源盤１００、２００、３００、４００及び供給盤５００は、それぞれの電源端が接続され、互いに接続される複数の電源盤１００、２００、３００、４００及び供給盤５００間のそれぞれに複数の遮断器１３０、２３０、３３０、４３０、５３０のそれぞれが接続されてもよい。
【０４１２】
すなわち、第１〜第４電源盤１００、２００、３００、４００及び供給盤５００のそれぞれの電源端が接続され、第１〜第４電源盤１００、２００、３００、４００及び供給盤５００間のそれぞれに第１〜第５遮断器１３０、２３０、３３０、４３０、５３０のそれぞれが備えられてもよい。
【０４１３】
複数の電源盤１００、２００、３００、４００及び供給盤５００は、前記出力端間の接続がループ構造を形成するようにしてもよい。
【０４１４】
すなわち、複数の電源盤１００、２００、３００、４００及び供給盤５００は、前記電源端間の接続がループ構造を形成するように接続されてもよい。
【０４１５】
複数の電源盤１００、２００、３００、４００は、直列順に接続されてもよい。
【０４１６】
例えば、第１電源盤１００、第２電源盤２００、第３電源盤３００及び第４電源盤４００が直列に接続され、第４電源盤４００が第１電源盤１００に接続され、複数の電源盤１００、２００、３００、４００間の接続がループ構造を形成するようにしてもよい。
【０４１７】
供給盤５００は、複数の電源盤１００、２００、３００、４００のうちいずれか２つの電源盤間に備えられてもよい。
【０４１８】
例えば、供給盤５００は、第１電源盤１００と第４電源盤４００間に備えられ、第１電源盤１００と第４電源盤４００に接続されてもよい。
【０４１９】
複数の電源盤１００、２００、３００、４００及び供給盤５００がループ状に接続された形態は図５に示すようにしてもよい。
【０４２０】
第１電源盤１００は、前記ＤＣ電路上で第２電源盤２００及び供給盤５００に接続され、第１及び第２電源盤１００、２００間に第２遮断器２３０が備えられ、第１電源盤１００と供給盤５００間に第１遮断器１３０が備えられ、第１及び第２電源盤１００、２００間の接続は第２電源盤２００の第２遮断器２３０により断続され、第１電源盤１００及び供給盤５００間の接続は第１電源盤１００の第１遮断器１３０により断続されるようにしてもよい。
【０４２１】
第２電源盤２００は、前記ＤＣ電路上で第１電源盤１００及び第３電源盤３００に接続され、第１及び第２電源盤１００、２００間に第２遮断器２３０が備えられ、第２及び第３電源盤２００、３００間に第３遮断器３３０が備えられ、第１及び第２電源盤１００、２００間の接続は第２電源盤２００の第２遮断器２３０により断続され、第２及び第３電源盤２００、３００間の接続は第３電源盤３００の第３遮断器３３０により断続されるようにしてもよい。
【０４２２】
第３電源盤３００は、前記ＤＣ電路上で第２電源盤２００及び第４電源盤４００に接続され、第２及び第３電源盤２００、３００間に第３遮断器３３０が備えられ、第３及び第４電源盤３００、４００間に第４遮断器４３０が備えられ、第２及び第３電源盤２００、３００間の接続は第３電源盤３００の第３遮断器３３０により断続され、第３及び第４電源盤３００、４００間の接続は第４電源盤４００の第４遮断器４３０により断続されるようにしてもよい。
【０４２３】
第４電源盤４００は、前記ＤＣ電路上で第３電源盤３００及び供給盤５００に接続され、第３及び第４電源盤３００、４００間に第４遮断器４３０が備えられ、第４電源盤４００と供給盤５００間に第５遮断器５３０が備えられ、第３及び第４電源盤３００、４００間の接続は第４電源盤４００の第４遮断器４３０により断続され、第４電源盤４００及び供給盤５００間の接続は供給盤５００の第５遮断器５３０により断続されるようにしてもよい。
【０４２４】
供給盤５００は、前記ＤＣ電路上で第４電源盤４００及び第１電源盤１００に接続され、第４電源盤４００と供給盤５００間に第５遮断器５３０が備えられ、供給盤５００と第１電源盤１００間に第１遮断器１３０が備えられ、第４電源盤４００及び供給盤５００間の接続は供給盤５００の第５遮断器５３０により断続され、供給盤５００と第１電源盤１００間の接続は第１電源盤１００の第１遮断器１３０により断続されるようにしてもよい。
【０４２５】
このように第１〜第４電源盤１００、２００、３００、４００及び供給盤５００が接続されることにより、複数の電源盤１００、２００、３００、４００及び供給盤５００がループ状に接続される。
【０４２６】
このように複数の電源盤１００、２００、３００、４００及び供給盤５００がループ状に接続されることにより、複数の電源盤１００、２００、３００、４００又は供給盤５００により前記ＤＣ電源を送ることができるようになる。
【０４２７】
すなわち、複数の電源盤１００、２００、３００、４００のそれぞれが隣接する電源盤又は供給盤５００に接続されてループ構造を形成することにより、第１電源盤１００は、第２電源盤２００及び供給盤５００に接続されて第２電源盤２００又は供給盤５００と前記ＤＣ電源の受供給を行い、第２電源盤２００は、第１電源盤１００及び第３電源盤３００に接続されて第１電源盤１００又は第３電源盤３００と前記ＤＣ電源の受供給を行い、第３電源盤３００は、第２電源盤２００及び第４電源盤４００に接続されて第２電源盤２００又は第４電源盤４００と前記ＤＣ電源の受供給を行い、第４電源盤４００は、第３電源盤３００及び供給盤５００に接続されて第３電源盤３００又は供給盤５００と前記ＤＣ電源の受供給を行い、供給盤５００は、第４電源盤４００及び第１電源盤１００に接続されて第４電源盤４００又は第１電源盤１００と前記ＤＣ電源の受供給を行うようにしてもよい。
【０４２８】
このようにループ状に接続される複数の電源盤１００、２００、３００、４００及び供給盤５００は、複数の遮断器１３０、２３０、３３０、４３０、５３０のそれぞれの開閉により、前記ＤＣ電源の受供給を行うことができる。
【０４２９】
例えば、第１電源盤１００と第２電源盤２００間の電路に接続された第２遮断器２３０が閉路された場合、第１電源盤１００と第２電源盤２００間の前記ＤＣ電源の受供給を行うことができ、第２電源盤２００と第３電源盤３００間の電路に接続された第３遮断器３３０が閉路された場合、第２電源盤２００と第３電源盤３００間の前記ＤＣ電源の受供給を行うことができ、第３電源盤３００と第４電源盤４００間の電路に接続された第４遮断器４３０が閉路された場合、第３電源盤３００と第４電源盤４００間の前記ＤＣ電源の受供給を行うことができ、第４電源盤４００と供給盤５００間の電路に接続された第５遮断器５３０が閉路された場合、第４電源盤４００と供給盤５００間の前記ＤＣ電源の受供給を行うことができ、供給盤５００と第１電源盤１００間の電路に接続された第１遮断器１３０が閉路された場合、供給盤５００と第１電源盤１００間の前記ＤＣ電源の受供給を行うことができる。
【０４３０】
すなわち、複数の電源盤１００、２００、３００、４００のそれぞれは、両側に接続された他の電源盤又は供給盤５００から前記ＤＣ電源の供給を受けることができる。
【０４３１】
また、複数の電源盤１００、２００、３００、４００のそれぞれは、両側に接続された１つ以上の他の電源盤に前記ＤＣ電源を供給することができる。
【０４３２】
このように、電源システム１０００においては、複数の電源盤１００、２００、３００、４００及び供給盤５００が複数の遮断器１３０、２３０、３３０、４３０、５３０により前記ＤＣ電路上でループ状に接続され、複数の電源盤１００、２００、３００、４００のそれぞれが両側の少なくとも１つから前記ＤＣ電源の供給を受けたり、両側の少なくとも１つに前記ＤＣ電源を供給することができる。
【０４３３】
このように、複数の電源盤１００、２００、３００、４００及び供給盤５００がループ状に接続される電源供給システム１０００においては、供給盤５００から複数の電源盤１００、２００、３００、４００に前記ＤＣ電源を送ることにより、前記ＤＣ電源の受供給を行うことができる。
【０４３４】
複数の遮断器１３０、２３０、３３０、４３０、５３０は、複数の電源盤１００、２００、３００、４００間又は複数の電源盤１００、２００、３００、４００と供給盤５００間で前記ＤＣ電源を接続する場合に閉路され、複数の電源盤１００、２００、３００、４００間又は複数の電源盤１００、２００、３００、４００と供給盤５００間で前記ＤＣ電源を切断する場合に開路されるようにしてもよい。
【０４３５】
複数の遮断器１３０、２３０、３３０、４３０、５３０は、複数の電源盤１００、２００、３００、４００のうち供給盤５００に接続された電源盤に異常が発生すると、前記異常が発生した電源盤と供給盤５００間に配置された遮断器が閉路され、前記異常が発生した電源盤を供給盤５００に接続し、供給盤５００から前記異常が発生した電源盤に前記ＤＣ電源が供給されるようにしてもよい。
【０４３６】
複数の遮断器１３０、２３０、３３０、４３０、５３０は、複数の電源盤１００、２００、３００、４００のうち供給盤５００に隣接しない電源盤に異常が発生すると、前記異常が発生した電源盤の両側に配置された遮断器の１つ以上の遮断器が閉路され、前記異常が発生した電源盤に隣接する電源盤の１つ以上から前記異常が発生した電源盤に前記ＤＣ電源が供給されるようにしてもよい。
【０４３７】
また、複数の遮断器１３０、２３０、３３０、４３０、５３０は、複数の電源盤１００、２００、３００、４００のうち供給盤５００に隣接しない電源盤に異常が発生すると、前記異常が発生した電源盤、供給盤５００に隣接する電源盤、及び供給盤５００間のそれぞれに配置された遮断器が閉路され、前記隣接する電源盤から前記異常が発生した電源盤に前記ＤＣ電源が供給され、供給盤５００から前記隣接する電源盤に前記ＤＣ電源が供給されるようにしてもよい。
【０４３８】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視するようにしてもよい。
【０４３９】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果に基づいて、第１〜第４遮断器１３０、２３０、３３０、４３０のそれぞれの開閉を制御するようにしてもよい。
【０４４０】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果を制御装置６００に送信するようにしてもよい。
【０４４１】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出するようにしてもよい。
【０４４２】
複数の電源盤１００、２００、３００、４００のそれぞれは、前記ＤＣ電源及び前記駆動電源の状態を検出し、検出結果を制御装置６００に送信するようにしてもよい。
【０４４３】
供給盤５００は、１つ以上の第１電力変換装置５１０の動作を制御及び監視した結果に基づいて、第５遮断器５１０の開閉を制御するようにしてもよい。
【０４４４】
供給盤５００は、１つ以上の第１電力変換装置５１０の動作を制御及び監視した結果を制御装置６００に送信するようにしてもよい。
【０４４５】
供給盤５００は、１つ以上の第１電力変換装置５１０の動作を制御及び監視し、前記ＤＣ電源の状態を検出するようにしてもよい。
【０４４６】
供給盤５００は、前記ＤＣ電源の状態を検出し、検出結果を制御装置６００に送信するようにしてもよい。
【０４４７】
複数の電源盤１００、２００、３００、４００及び供給盤５００のそれぞれは、１つ以上の電源供給源１０のいずれかから供給された電源を前記ＤＣ電源に変換するようにしてもよい。
【０４４８】
すなわち、複数の電源盤１００、２００、３００、４００及び供給盤５００のそれぞれは、１つ以上の電源供給源１０のいずれかから選択的に電源供給を受けるようにしてもよい。
【０４４９】
複数の電源盤１００、２００、３００、４００及び供給盤５００のそれぞれは、予め設定された供給基準に基づいて、１つ以上の電源供給源１０のいずれかから供給された電源を前記ＤＣ電源に変換するようにしてもよい。
【０４５０】
前記供給基準は、１つ以上の電源供給源１０の電源供給優先順位に関する基準であってもよい。
【０４５１】
複数の電源盤１００、２００、３００、４００は、１つ以上の電源供給源１０の状態によって１つ以上の第１電力変換装置１１０、２１０、３１０、４１０のいずれかを選択し、選択したコンバータにより第２電力変換装置１２０、２２０、３２０、４２０のそれぞれに前記ＤＣ電源を送るようにしてもよい。
【０４５２】
すなわち、複数の電源盤１００、２００、３００、４００のそれぞれは、１つ以上の電源供給源１０の状態によって選択した１つの変換装置により第２電力変換装置１２０、２２０、３２０、４２０のそれぞれに前記ＤＣ電源を送るようにしてもよい。
【０４５３】
複数の電源盤１００、２００、３００、４００は、第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源を送るようにしてもよい。
【０４５４】
すなわち、複数の電源盤１００、２００、３００、４００のそれぞれは、前記ＤＣ電源を送っている変換装置及び前記変換装置に対応する電源供給源のいずれか１つ以上に異常が発生すると、前記変換装置以外の他の変換装置に切り替え、切り替えられた変換装置により第２電力変換装置１２０、２２０、３２０、４２０に前記ＤＣ電源を送るようにしてもよい。
【０４５５】
複数の電源盤１００、２００、３００、４００は、第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源が送られるように、電源供給中の電源供給源及びコンバータを切り替えてもよい。
【０４５６】
供給盤５００は、複数の電源盤１００、２００、３００、４００に前記ＤＣ電源を供給する場合、１つ以上の電源供給源１０の状態によって前記ＤＣ電源への変換を行う１つ以上の第１電力変換装置５１０のいずれかを選択し、選択した変換装置により複数の電源盤１００、２００、３００、４００に前記ＤＣ電源を送るようにしてもよい。
【０４５７】
供給盤５００は、複数の電源盤１００、２００、３００、４００に前記ＤＣ電源を送っている変換装置及び前記変換装置に対応する電源供給源のいずれか１つ以上に異常が発生すると、前記変換装置以外の他の変換装置により複数の電源盤１００、２００、３００、４００に前記ＤＣ電源を送るようにしてもよい。
【０４５８】
すなわち、供給盤５００は、前記ＤＣ電源を送っている変換装置及び前記変換装置に対応する電源供給源のいずれか１つ以上に異常が発生すると、前記変換装置以外の他の変換装置に切り替え、切り替えられた変換装置により複数の電源盤１００、２００、３００、４００に前記ＤＣ電源を送るようにしてもよい。
【０４５９】
このように前記ＤＣ電源の変換及び供給を行う複数の電源盤１００、２００、３００、４００及び供給盤５００は、制御装置６００により制御されるようにしてもよい。
【０４６０】
制御装置６００は、複数の電源盤１００、２００、３００、４００及び供給盤５００のそれぞれと通信を行い、複数の電源盤１００、２００、３００、４００及び供給盤５００のそれぞれから受信した状態情報に基づいて、複数の電源盤１００、２００、３００、４００及び供給盤５００のそれぞれを制御してもよい。
【０４６１】
例えば、複数の電源盤１００、２００、３００、４００及び供給盤５００のそれぞれから受信した前記ＤＣ電源及び前記駆動電源の状態情報に基づいて、複数の電源盤１００、２００、３００、４００及び供給盤５００のそれぞれの前記ＤＣ電源の変換及び供給と、複数の電源盤１００、２００、３００、４００のそれぞれの前記駆動電源の変換及び供給を制御してもよい。
【０４６２】
制御装置６００は、複数の電源盤１００、２００、３００、４００及び供給盤５００のそれぞれと通信を行い、複数の電源盤１００、２００、３００、４００及び供給盤５００のそれぞれから受信した状態情報に基づいて、複数の電源盤１００、２００、３００、４００及び供給盤５００のそれぞれの前記駆動電源の変換及び供給を制御するか、又は複数の電源盤１００、２００、３００、４００及び供給盤５００のそれぞれに含まれる複数の遮断器１３０、２３０、３３０、４３０、５３０を制御してもよい。
【０４６３】
また、制御装置６００は、１つ以上の電源供給源１０及び負荷２０の状態を検知するか、又は外部の通信手段から１つ以上の電源供給源１０及び負荷２０の状態に関する情報を受信し、１つ以上の電源供給源１０及び負荷２０の状態に基づいて、複数の電源盤１００、２００、３００、４００及び供給盤５００のそれぞれの前記駆動電源の変換及び供給を制御するか、又は複数の電源盤１００、２００、３００、４００及び供給盤５００のそれぞれに含まれる複数の遮断器１３０、２３０、３３０、４３０、５３０を制御してもよい。
【０４６４】
この場合、制御装置６００が複数の電源盤１００、２００、３００、４００及び供給盤５００のそれぞれの前記駆動電源の変換及び供給の制御、又は複数の電源盤１００、２００、３００、４００及び供給盤５００のそれぞれに含まれる複数の遮断器１３０、２３０、３３０、４３０、５３０の制御に関する制御命令を、複数の電源盤１００、２００、３００、４００及び供給盤５００のそれぞれに送り、複数の電源盤１００、２００、３００、４００のそれぞれに含まれる制御部１４０、２４０、３４０、４４０により前記制御命令に基づいた制御が行われる。
【０４６５】
例えば、複数の電源盤１００、２００、３００、４００に電源を供給している系統電源Ｇ全体に異常が発生すると、系統電源Ｇからの電源供給を遮断して他の供給源に切り替えるように、複数の遮断器１３０、２３０、３３０、４３０を開路し、系統電源Ｇを除く電源から電源供給を受けて前記ＤＣ電源に変換して供給するように制御する制御命令を複数の電源盤１００、２００、３００、４００のそれぞれに含まれる制御部１４０、２４０、３４０、４４０に送り、複数の遮断器１３０、２３０、３３０、４３０のそれぞれを開路し、バイパス電源Ｐ又はバッテリ電源Ｂから電源供給を受けて前記ＤＣ電源に変換して供給するように制御してもよい。
【０４６６】
制御装置６００は、複数の遮断器１３０、２３０、３３０、４３０の開閉を制御することにより、複数の電源盤１００、２００、３００、４００に前記ＤＣ電源が送られるように制御してもよい。
【０４６７】
複数の遮断器１３０、２３０、３３０、４３０は、平時に開路され、動作時に閉路されることにより、複数の電源盤１００、２００、３００、４００間の接続と複数の電源盤１００、２００、３００、４００及び供給盤５００間の接続を断続するようにしてもよい。
【０４６８】
制御装置６００は、複数の電源盤１００、２００、３００、４００のいずれか１つ以上に異常が発生すると、前記異常が発生した電源盤と前記異常が発生した電源盤に隣接する電源盤又は供給盤５００が接続された電路のいずれか１つの電路の遮断器１３０、２３０、３３０、４３０、５３０を閉路し、前記隣接する電源盤又は供給盤５００から前記異常が発生した電源盤に前記ＤＣ電源が供給されるように制御してもよい。
【０４６９】
すなわち、制御装置６００は、複数の電源盤１００、２００、３００、４００のいずれか１つ以上に異常が発生すると、前記異常が発生した電源盤に接続された遮断器１３０、２３０、３３０、４３０、５３０のうち最も隣接するいずれかを閉路し、前記隣接する電源盤又は供給盤５００から前記異常が発生した電源盤に前記ＤＣ電源が供給されるように制御してもよい。
【０４７０】
制御装置６００は、複数の電源盤１００、２００、３００、４００のいずれか１つ以上に異常が発生すると、供給盤５００から前記異常が発生した電源盤に前記ＤＣ電源が供給されるように制御してもよい。
【０４７１】
例えば、複数の電源盤１００、２００、３００、４００のうち第１電源盤１００の変換装置１１０に故障が発生すると、供給盤５００のいずれかの変換装置５１０で変換されたＤＣ電源を第１電源盤１００の第２電力変換装置１２０、２２０、３２０、４２０に供給するように、第１電源盤１００と供給盤５００が接続される電路の第１遮断器１３０を閉路し、第１電源盤１００の１つ以上の第１電力変換装置１１０、２１０、３１０、４１０を遮断し、供給盤５００の１つ以上の第１電力変換装置５１０のいずれかで変換された前記ＤＣ電源を第１電源盤１００の第２電力変換装置１２０、２２０、３２０、４２０に供給するように制御する制御命令を第１電源盤１００及び供給盤５００のそれぞれに送り、第１遮断器１３０を閉路し、供給盤５００の１つ以上の第１電力変換装置５１０のいずれかが前記ＤＣ電源を第１電源盤１００の第２電力変換装置１２０、２２０、３２０、４２０に供給するように制御してもよい。
【０４７２】
制御装置６００は、複数の電源盤１００、２００、３００、４００のうち供給盤５００に接続された電源盤に異常が発生すると、前記異常が発生した電源盤と供給盤５００が接続された電路の遮断器１３０、２３０、３３０、４３０、５３０を閉路し、供給盤５００から前記異常が発生した電源盤に前記ＤＣ電源が供給されるように制御してもよい。
【０４７３】
すなわち、供給盤５００に接続された電源盤に異常が発生すると、前記異常が発生した電源盤は、供給盤５００から前記ＤＣ電源の供給を受けることができる。
【０４７４】
例えば、複数の電源盤１００、２００、３００、４００のうち、第１電源盤１００及び第４電源盤４００が供給盤５００に接続された場合、第１電源盤１００に異常が発生すると、第１電源盤１００と供給盤５００が接続された電路の第１遮断器１３０を閉路し、供給盤５００から第１電源盤１００に前記ＤＣ電源が供給されるように制御し、第４電源盤４００に異常が発生すると、第４電源盤４００と供給盤５００が接続された電路の第５遮断器５３０を閉路し、供給盤５００から第４電源盤４００に前記ＤＣ電源が供給されるように制御してもよい。
【０４７５】
すなわち、供給盤５００は、複数の電源盤１００、２００、３００、４００に異常が発生すると、前記異常が発生した電源盤の負荷２０に前記ＤＣ電源を供給するようにしてもよい。
【０４７６】
ここで、供給盤５００は、前記異常が発生した電源盤に前記ＤＣ電源を供給する場合、１つ以上の電源供給源１０の状態によって前記ＤＣ電源への変換を行う１つ以上の第１電力変換装置５１０のいずれかを選択し、選択した変換装置により前記異常が発生した電源盤に前記ＤＣ電源を送るようにしてもよい。
【０４７７】
すなわち、供給盤５００は、前記異常が発生した電源盤に前記ＤＣ電源を供給する場合、１つ以上の電源供給源１０の状態によって選択した１つの変換装置により前記異常が発生した電源盤に前記ＤＣ電源を供給するようにしてもよい。
【０４７８】
例えば、供給盤５００が第１電源盤１００に前記ＤＣ電源を供給する際に、供給盤５００に電源を供給する１つ以上の電源供給源１０のうち系統電源Ｇ及びバイパス電源Ｐの定格が基準定格より低い場合、バッテリ電源Ｂにより前記ＤＣ電源を供給するようにバッテリ電源Ｂに対応する第２変換装置５１０＃２を選択し、選択した第２−５変換装置５１０＃２によりバッテリ電源Ｂから供給された電源を前記ＤＣ電源に変換して第１電源盤１００に送るようにしてもよい。
【０４７９】
制御装置６００は、複数の電源盤１００、２００、３００、４００のうち前記供給盤に隣接しない電源盤に異常が発生すると、前記異常が発生した電源盤と供給盤５００間の電路に備えられた遮断器１３０、２３０、３３０、４３０、５３０を閉路し、前記隣接する電源盤から前記異常が発生した電源盤に前記ＤＣ電源が供給され、供給盤５００から前記隣接する電源盤に前記ＤＣ電源が供給されるように制御してもよい。
【０４８０】
すなわち、供給盤５００から前記異常が発生した電源盤への前記ＤＣ電源の供給は、シフト方式で行ってもよい。
【０４８１】
例えば、図５に示すような接続形態において、供給盤５００に隣接しない第３電源盤３００に異常が発生すると、第３電源盤３００と供給盤５００間の電路に備えられた第４遮断器４３０及び第５遮断器５３０を閉路し、第４電源盤４００の１つ以上の第１電力変換装置４１０のいずれかから第３電源盤３００の負荷２０に前記ＤＣ電源が供給され、供給盤５００の１つ以上の第１電力変換装置５１０のいずれかから第４電源盤４００の負荷２０に前記ＤＣ電源が供給されるようにするか、又は第３電源盤３００と供給盤５００間の電路に備えられた第１遮断器１３０、第２遮断器２３０及び第３遮断器３３０を閉路し、第２電源盤２００の１つ以上の第１電力変換装置２１０のいずれかから第３電源盤３００の負荷２０に前記ＤＣ電源が供給され、第１電源盤１００の１つ以上の第１電力変換装置１１０、２１０、３１０、４１０のいずれかから第２電源盤２００の負荷２０に前記ＤＣ電源が供給され、供給盤５００の１つ以上の第１電力変換装置５１０のいずれかから第１電源盤１００の負荷２０に前記ＤＣ電源が供給されるようにしてもよい。
【０４８２】
その場合、供給盤５００から前記異常が発生した電源盤までの経路のうち、前記複数の遮断器の経由が最小になる経路で前記ＤＣ電源の供給が行われるように制御してもよい。
【０４８３】
制御装置６００は、供給盤５００に異常が発生すると、前記異常が発生した電源盤に最も隣接する電源盤の遮断器１３０、２３０、３３０、４３０を閉路し、前記隣接する電源盤から前記異常が発生した電源盤に前記ＤＣ電源が供給されるように制御してもよい。
【０４８４】
すなわち、前記異常が発生した電源盤に前記ＤＣ電源を供給する供給盤５００に異常が発生し、供給盤５００から前記異常が発生した電源盤に前記ＤＣ電源を供給できない場合、制御装置６００は、前記異常が発生した電源盤に最も隣接する電源盤の遮断器１３０、２３０、３３０、４３０を閉路し、前記隣接する電源盤から前記異常が発生した電源盤に前記ＤＣ電源が供給されるように制御してもよい。
【０４８５】
例えば、複数の電源盤１００、２００、３００、４００のうち第１電源盤１００の変換装置１１０及び供給盤５００に故障が発生すると、第１電源盤１００に最も隣接する第２電源盤２００のいずれかの変換装置２１０で変換されたＤＣ電源を第１電源盤１００の第２電力変換装置１２０、２２０、３２０、４２０に供給するように、遮断器２３０を閉路し、第１電源盤１００の１つ以上の第１電力変換装置１１０、２１０、３１０、４１０を遮断し、第２電源盤２００の１つ以上の第１電力変換装置２１０のいずれかで変換された前記ＤＣ電源を第１電源盤１００の第２電力変換装置１２０、２２０、３２０、４２０に供給するように制御する制御命令を第１電源盤１００及び第２電源盤２００のそれぞれに送り、遮断器２３０を閉路し、第２電源盤２００の１つ以上の第１電力変換装置２１０のいずれかが前記ＤＣ電源を第１電源盤１００の第２電力変換装置１２０、２２０、３２０、４２０に供給するように制御してもよい。
【０４８６】
制御装置６００は、前記異常が発生した電源盤が複数の場合、前記異常が発生した電源盤のそれぞれの異常状態によって供給盤５００及び前記異常が発生した電源盤に最も隣接する電源盤の少なくとも１つの遮断器１３０、２３０、３３０、４３０、５３０を閉路し、供給盤５００及び前記隣接する電源盤の少なくとも１つから前記異常が発生した電源盤のそれぞれに前記ＤＣ電源が供給されるように制御してもよい。
【０４８７】
すなわち、制御装置６００は、前記異常が発生した電源盤が複数の場合、前記異常が発生した電源盤のそれぞれの異常状態によって供給盤５００及び前記隣接する電源盤の少なくとも１つから前記異常が発生した電源盤のそれぞれに前記ＤＣ電源が供給されるように制御してもよい。
【０４８８】
例えば、第１電源盤１００において１つ以上の第１電力変換装置１１０、２１０、３１０、４１０の全てに故障が発生し、第４電源盤４００において第２電力変換装置４２０の一部が一時的に動作を中断した場合、制御装置６００は、第１電源盤１００の異常状態が第４電源盤４００の異常状態より深刻であると判断し、供給盤５００により第１電源盤１００の運転を復旧し、第４電源盤４００に隣接する第３電源盤３００により第４電源盤４００の運転を維持するために、供給盤５００により第１電源盤１００に前記ＤＣ電源が供給されるように第１遮断器１３０を閉路制御し、第３電源盤３００により第４電源盤４００に前記ＤＣ電源が供給されるように第４遮断器４３０を閉路制御してもよい。
【０４８９】
このように、複数の電源盤１００、２００、３００、４００のいずれか１つ以上に異常が発生すると、供給盤５００から前記ＤＣ電源が供給されるように制御することにより、供給盤５００が複数の電源盤１００、２００、３００、４００のそれぞれに対してＵＰＳ機能を実行することができる。
【０４９０】
よって、電源供給システム１０００においては、１つ以上の電源供給源１０、複数の電源盤１００、２００、３００、４００及び負荷２０に予期せぬ異常が発生した場合も、負荷２０への前記駆動電源の供給を維持し続けることができ、負荷２０の運転を中断することなく維持することができ、異常発生に対処して適切かつ能動的に電源供給を行うことができ、異常発生の種類及び程度に関係なく負荷２０の運転及び電源供給システム１０００の制御を安定して行うことができる。
【０４９１】
このように電源供給システム１０００において複数の電源盤１００、２００、３００、４００に前記ＤＣ電源を供給する供給盤５００は、複数からなるようにしてもよい。
【０４９２】
供給盤５００が複数からなる場合、複数の電源盤１００、２００、３００、４００間にそれぞれ備えられてもよい。
【０４９３】
例えば、複数の供給盤は、複数の電源盤１００、２００、３００、４００間のそれぞれに備えられ、複数の供給盤のそれぞれが複数の電源盤１００、２００、３００、４００のそれぞれを担当して前記ＤＣ電源を供給するようにしてもよい。
【０４９４】
以上説明したような電源供給システム１０００の運転は、図６〜図９に示すように行われるようにしてもよい。
【０４９５】
図６〜図９に示す運転例は、電源供給システム１０００が４つの電源盤１００、２００、３００、４００及び１つの供給盤５００を含む場合の運転例であり、電源供給システム１０００は、複数の電源盤１００、２００、３００、４００を４つ未満又は４つ以上含んでもよく、また、供給盤５００を複数含んでもよい。
【０４９６】
好ましい実施形態として、電源供給システム１０００は、図６〜図９に示すように、４つの電源盤１００、２００、３００、４００及び１つの供給盤５００を含んでもよい。以下、図６〜図９に示すように複数の電源盤１００、２００、３００、４００が４つであり、供給盤５００が１つである場合を例に挙げて説明する。
【０４９７】
図６は複数の電源盤１００、２００、３００、４００及び供給盤５００のそれぞれが１つ以上の電源供給源１０のうち系統電源Ｇから電源供給を受ける場合であり、この場合、バイパス電源Ｐ及びバッテリ電源Ｂからの電源供給は遮断され、系統電源Ｇから電源供給を受けて前記ＤＣ電源、前記駆動電源の順に変換して負荷２０のそれぞれに供給する。
【０４９８】
図６に示す運転例は、系統電源Ｇから電源供給を受けて運転する一般的な運転の場合であり、電源供給システム１０００の平時運転はこのように行われる。
【０４９９】
図７は複数の電源盤１００、２００、３００、４００及び供給盤５００のそれぞれが１つ以上の電源供給源１０のうちバイパス電源Ｐから電源供給を受ける場合であり、系統電源Ｇに異常が発生した場合がこれに該当し、この場合、系統電源Ｇ及びバッテリ電源Ｂからの電源供給は遮断され、バイパス電源Ｐから電源供給を受けて前記ＤＣ電源、前記駆動電源の順に変換して負荷２０のそれぞれに供給する。
【０５００】
図７に示す運転例は、バイパス電源Ｐから電源供給を受けて運転する特殊運転の場合であり、電源供給システム１０００の特殊運転はこのように行われる。
【０５０１】
図８は複数の電源盤１００、２００、３００、４００及び供給盤５００のそれぞれが１つ以上の電源供給源１０のうちバッテリ電源Ｂから電源供給を受ける場合であり、系統電源Ｇ及びバイパス電源Ｐに異常が発生した場合がこれに該当し、この場合、系統電源Ｇ及びバイパス電源Ｐからの電源供給は遮断され、バッテリ電源Ｂから電源供給を受けて前記ＤＣ電源、前記駆動電源の順に変換して負荷２０のそれぞれに供給する。
【０５０２】
図８に示す運転例は、バッテリ電源Ｂから電源供給を受けて運転する停電運転の場合であり、電源供給システム１０００の停電運転はこのように行われる。
【０５０３】
図９は複数の電源盤１００、２００、３００、４００及び供給盤５００のそれぞれが１つ以上の電源供給源１０のうち非常用電源Ａから電源供給を受ける場合であり、系統電源Ｇ、バイパス電源Ｐ及びバッテリ電源Ｂに異常が発生した場合がこれに該当し、この場合、系統電源Ｇ、バイパス電源Ｐ及びバッテリ電源Ｂからの電源供給は遮断され、非常用電源Ａが負荷２０のそれぞれに前記駆動電源を直接供給する。
【０５０４】
図９に示す運転例は、非常用電源Ａから電源供給を受けて運転する非常運転の場合であり、電源供給システム１０００の非常運転はこのように行われる。
【０５０５】
このように、電源供給システム１０００は、複数の電源盤１００、２００、３００、４００及び供給盤５００のそれぞれが同じ電源供給源から電源供給を受けて運転するようにしてもよく、複数の電源盤１００、２００、３００、４００及び供給盤５００のそれぞれが１つ以上の電源供給源１０のいずれかから選択的に電源供給を受けて運転するようにしてもよい。
【０５０６】
例えば、第１及び第２電源盤１００、２００は系統電源Ｇから電源供給を受けて運転し、第３及び第４電源盤３００、４００はバイパス電源Ｐから電源供給を受けて運転し、供給盤５００はバッテリ電源Ｂから電源供給を受けて運転するようにしてもよい。
【０５０７】
また、複数の電源盤１００、２００、３００、４００及び供給盤５００のそれぞれは、１つ以上の電源供給源１０から電源供給を受けて運転するようにしてもよい。
【０５０８】
例えば、第１電源盤１００に異常が発生して第２電源盤２００から第１電源盤１００に前記ＤＣ電源を供給する場合、第２電源盤２００が、系統電源Ｇから供給された電源を第２−１変換装置２１０＃１により前記ＤＣ電源に変換して第２電力変換装置２２０のそれぞれに送り、さらにバイパス電源Ｐから供給された電源を第２−３変換装置２１０＃３により前記ＤＣ電源に変換し、第２−３変換装置２１０＃３で変換された前記ＤＣ電源を第１電源盤１００の第２電力変換装置１２０、２２０、３２０、４２０のそれぞれに送るようにしてもよい。
【０５０９】
この例においては、第１電源盤１００と第２電源盤２００に接続される第２遮断器２３０を閉路することにより、第１電源盤１００と第２電源盤２００とが接続され、第２電源盤２００から第１電源盤１００への前記ＤＣ電源の供給が行われる。
【０５１０】
このように、複数の電源盤１００、２００、３００、４００及び供給盤５００のそれぞれが１つ以上の電源供給源１０から電源供給を受けて運転することにより、複数の電源盤１００、２００、３００、４００及び供給盤５００間の電源供給、すなわち複数の電源盤１００、２００、３００、４００間のＵＰＳ機能の実行及び供給盤５００のＵＰＳ機能の実行を行うことができる。
【０５１１】
以下、本発明の他の実施形態による電源供給システムについて説明する。
【０５１２】
電源供給システム１０００（以下、システムという）は、図１０に示すように、１つ以上の電源供給源１０から供給された電源をＤＣ電源に変換し、前記変換されたＤＣ電源を負荷２０の駆動電源に変換し、負荷２０に供給する複数の電源盤１００、２００、３００、４００と、１つ以上の電源供給源１０から供給された電源をＤＣ電源に変換し、バスライン１を介して複数の電源盤１００、２００、３００、４００に接続されると、前記変換されたＤＣ電源を複数の電源盤１００、２００、３００、４００に供給する供給盤５００と、複数の電源盤１００、２００、３００、４００のそれぞれの電源端及び供給盤５００の電源端が接続され、複数の電源盤１００、２００、３００、４００及び供給盤５００で変換された前記ＤＣ電源が導通するバスライン１と、前記電源端のそれぞれとバスライン１間に配置され、前記電源端のそれぞれとバスライン１を接続又は分離する複数の遮断器１３０、２３０、３３０、４３０、５３０とを含む。
【０５１３】
システム１０００において、複数の遮断器１３０、２３０、３３０、４３０、５３０は、複数の電源盤１００、２００、３００、４００の１つ以上の電源供給状態によって開閉を変えて、前記電源端とバスライン１間で前記ＤＣ電源を接続又は切断する。
【０５１４】
システム１０００において、複数の遮断器１３０、２３０、３３０、４３０、５３０は、複数の電源盤１００、２００、３００、４００の１つ以上の電源供給が中断されると、バスライン１を介して、複数の電源盤１００、２００、３００、４００間で前記ＤＣ電源が導通するか、又は複数の電源盤１００、２００、３００、４００及び供給盤５００間で前記ＤＣ電源が導通するように、２つ以上が閉路され、複数の電源盤１００、２００、３００、４００及び供給盤５００のうち２つ以上をバスライン１に接続する。
【０５１５】
すなわち、複数の遮断器１３０、２３０、３３０、４３０、５３０は、複数の電源盤１００、２００、３００、４００の１つ以上の電源供給が中断されると、前記電源供給が中断された電源盤に接続された遮断器を含む２つ以上の遮断器が閉路されるようにしてもよい。
【０５１６】
システム１０００において、複数の遮断器１３０、２３０、３３０、４３０、５３０は、バスライン１を介して、前記電源供給が中断された電源盤以外の他の電源盤及び供給盤５００の１つ以上から前記電源供給が中断された電源盤に前記ＤＣ電源が導通するように、前記他の電源盤及び供給盤５００の１つ以上と前記電源供給が中断された電源盤に接続された遮断器が閉路され、前記他の電源盤及び供給盤５００の１つ以上と前記電源供給が中断された電源盤をバスライン１に接続する。
【０５１７】
よって、複数の電源盤１００、２００、３００、４００は、前記電源供給が中断されると、バスライン１を介して前記他の電源盤及び供給盤５００の１つ以上に接続され、前記他の電源盤及び供給盤５００の１つ以上から前記ＤＣ電源の供給を受けることができる。
【０５１８】
ここで、複数の電源盤１００、２００、３００、４００のそれぞれは、図１１及び図１２に示すような電源供給装置１００であってもよい。
【０５１９】
すなわち、複数の電源盤１００、２００、３００、４００は、図１１及び図１２に示すような電源供給装置の構成からなるようにしてもよく、また、電源供給システム１０００は、図１１及び図１２に示すような電源供給装置１００の形態の電源盤を複数含み、複数の電源盤１００、２００、３００、４００を含むようにしてもよい。
【０５２０】
複数の電源盤１００、２００、３００、４００は、複数の電源制御装置が含まれるモジュールであってもよい。
【０５２１】
複数の電源盤１００、２００、３００、４００は、前記複数の電源制御装置をパッケージ化した電源装置であってもよい。
【０５２２】
ここで、複数の電源盤１００、２００、３００、４００のそれぞれは、図１１及び図１２に示すような電源供給装置１００であってもよい。
【０５２３】
すなわち、複数の電源盤１００、２００、３００、４００は、図１１及び図１２に示すような電源供給装置の構成からなるようにしてもよく、また、電源供給システム１０００は、図１１及び図１２に示すような電源供給装置１００の形態の電源盤を複数含み、複数の電源盤１００、２００、３００、４００を含むようにしてもよい。
【０５２４】
複数の電源盤１００、２００、３００、４００は、複数の電源制御装置が含まれるモジュールであってもよい。
【０５２５】
複数の電源盤１００、２００、３００、４００は、前記複数の電源制御装置をパッケージ化した電源装置であってもよい。
【０５２６】
例えば、複数の電源盤１００、２００、３００、４００は、前記複数の電源制御装置をパッケージ化した電源盤であってもよい。
【０５２７】
複数の電源盤１００、２００、３００、４００は、発電所、プラント、工場、ビル、マンションなど高電力を必要とする建物に備えられて電源を供給するパッケージ型電源盤であってもよい。
【０５２８】
また、複数の電源盤１００、２００、３００、４００は、ある１つの空間に構成されるパッケージ型電源盤であってもよい。
【０５２９】
複数の電源盤１００、２００、３００、４００は、前記複数の電源制御装置がパッケージ化され、負荷に電源を供給するようにしてもよい。
【０５３０】
複数の電源盤１００、２００、３００、４００は、図１１に示すように、１つ以上の電源供給源１０のそれぞれから供給された電源を前記ＤＣ電源に変換する１つ以上の第１電力変換装置１１０と、前記ＤＣ電源を負荷２０の駆動のための前記駆動電源に変換し、前記駆動電源を負荷２０に供給する１つ以上の第２電力変換装置１２０とを含んでもよい。
【０５３１】
このように、複数の電源盤１００、２００、３００、４００は、１つ以上の第１電力変換装置１１０、２１０、３１０、４１０及び第２電力変換装置１２０、２２０、３２０、４２０を含み、１つ以上の電源供給源１０から供給された電源を前記駆動電源に変換して負荷２０に供給する。
【０５３２】
１つ以上の第１電力変換装置１１０、２１０、３１０、４１０及び第２電力変換装置１２０、２２０、３２０、４２０を含む複数の電源盤１００、２００、３００、４００の具体的な構成は、図１１及び図１２に示すようにしてもよい。
【０５３３】
複数の電源盤１００、２００、３００、４００に電源を供給する１つ以上の電源供給源１０は、外部から１つ以上の第１電力変換装置１１０、２１０、３１０、４１０に接続され、１つ以上の第１電力変換装置１１０、２１０、３１０、４１０のそれぞれに電源を供給するようにしてもよい。
【０５３４】
１つ以上の電源供給源１０のそれぞれは、１つ以上の第１電力変換装置１１０、２１０、３１０、４１０のそれぞれに接続され、１つ以上の第１電力変換装置１１０、２１０、３１０、４１０のそれぞれに直流又は交流電源を供給するようにしてもよい。
【０５３５】
１つ以上の電源供給源１０は、図１１及び図１２に示すように、ＡＣ電源を供給する第１交流電源１０＃１及び第２交流電源１０＃３と、ＤＣ電源を蓄えるバッテリ電源１０＃２とを含んでもよい。
【０５３６】
ここで、第１交流電源１０＃１はＡＣ電源を供給する主系統電源Ｇであり、第２交流電源１０＃３はＡＣ電源を供給するバイパス系統電源Ｐであり、バッテリ電源１０＃２はＤＣ電源を供給するバッテリ電源Ｂであってもよい。
【０５３７】
すなわち、１つ以上の電源供給源１０は、図１３に示すように、系統電源Ｇ、バイパス電源Ｐ及びバッテリ電源Ｂを含んでもよい。
【０５３８】
よって、複数の電源盤１００、２００、３００、４００のそれぞれには、系統電源Ｇ、バイパス電源Ｐ及びバッテリ電源Ｂのそれぞれから電源が供給されることになる。
【０５３９】
第１交流電源１０＃１は、系統電源Ｇであってもよい。
【０５４０】
第１交流電源１０＃１は、４４０［Ｖ］のＡＣ電源を供給する系統電源Ｇであってもよい。
【０５４１】
第２交流電源１０＃３は、バイパス電源Ｐであってもよい。
【０５４２】
第２交流電源１０＃３は、４４０［Ｖ］のＡＣ電源を供給するバイパス電源Ｐであってもよい。
【０５４３】
バッテリ電源１０＃２は、ＤＣ電源を蓄え、非常時に蓄えられたＤＣ電源を供給する非常用バッテリであってもよい。
【０５４４】
バッテリ電源１０＃２は、第１交流電源１０＃１及び第２交流電源１０＃３に異常が発生すると、蓄えられたＤＣ電源を複数の電源盤１００、２００、３００、４００に供給するようにしてもよい。
【０５４５】
バッテリ電源Ｂには前記ＤＣ電源が蓄えられており、第１交流電源１０＃１及び第２交流電源１０＃３の電源供給が中断されると、前記電源供給が切り替えられて復旧される間、バッテリ電源Ｂに蓄えられた電源が複数の電源盤１００、２００、３００、４００に供給されるようにしてもよい。
【０５４６】
バッテリ電源Ｂは、前記電源供給が中断されてから前記電源供給が切り替えられて復旧されるまで、前記蓄えられた電源を複数の電源盤１００、２００、３００、４００に無瞬断で供給するようにしてもよい。
【０５４７】
また、１つ以上の電源供給源１０は、第１交流電源Ｇ、第２交流電源Ｐ及びバッテリ電源Ｂの電源供給が中断されると、非常発電電源を負荷２０に供給する非常用電源Ａをさらに含んでもよい。
【０５４８】
非常用電源Ａは、第１交流電源Ｇ、第２交流電源Ｐ及びバッテリ電源Ｂに異常が発生すると、非常発電電源を負荷２０に供給するようにしてもよい。
【０５４９】
非常用電源Ａは、複数の電源盤１００、２００、３００、４００のそれぞれに電源を供給する第１交流電源Ｇ、第２交流電源Ｐ及びバッテリ電源Ｂの全てに異常が発生して電源を供給できない場合、非常用電源を負荷２０のそれぞれに供給して負荷２０の駆動を所定時間維持する電源であってもよい。
【０５５０】
例えば、非常用電源Ａは、非常用発電機を含む電源であってもよい。
【０５５１】
複数の電源盤１００、２００、３００、４００のそれぞれには、図１０に示すように、３つの電源供給源１０、すなわち系統電源Ｇ、バイパス電源Ｐ及びバッテリ電源Ｂから電源が供給され、非常用電源Ａからは系統電源Ｇ、バイパス電源Ｐ及びバッテリ電源Ｂが電源を供給できない場合にのみ電源が供給されることが好ましい。
【０５５２】
ここで、複数の電源盤１００、２００、３００、４００のそれぞれに電源を供給する１つ以上の電源供給源１０のそれぞれは、１つの系統から複数の電源盤１００、２００、３００、４００のそれぞれに電源を供給するようにしてもよく、分離された配電盤により分離された配電盤のそれぞれから複数の電源盤１００、２００、３００、４００のそれぞれに電源を供給するようにしてもよい。
【０５５３】
複数の電源盤１００、２００、３００、４００のそれぞれは、１つ以上の電源供給源１０から供給された電源を前記ＤＣ電源に変換する１つ以上の第１電力変換装置１１０、２１０、３１０、４１０と、１つ以上の第１電力変換装置１１０、２１０、３１０、４１０から供給された前記ＤＣ電源を前記駆動電源に変換して負荷２０に供給する第２電力変換装置１２０、２２０、３２０、４２０とを含んでもよい。
【０５５４】
ここで、１つ以上の第１電力変換装置１１０、２１０、３１０、４１０及び第２電力変換装置１２０、２２０、３２０、４２０は、複数からなるようにしてもよい。
【０５５５】
複数の電源盤１００、２００、３００、４００のそれぞれは、１つ以上の電源供給源１０の状態によって、１つ以上の第１電力変換装置１１０、２１０、３１０、４１０のいずれかにより１つ以上の第２電力変換装置１２０、２２０、３２０、４２０に前記ＤＣ電源が供給されるようにしてもよい。
【０５５６】
第１電力変換装置１１０、２１０、３１０、４１０は、供給された電源をＤＣ電源に変換する装置であり、例えばコンバータであってもよい。
【０５５７】
第１電力変換装置１１０、２１０、３１０、４１０は、ＡＣ電源をＤＣ電源に変換するＡＣ／ＤＣコンバータであってもよく、ＤＣ電源をＤＣ電源に変換するＤＣ／ＤＣコンバータであってもよい。
【０５５８】
１つ以上の第１電力変換装置１１０、２１０、３１０、４１０は、ＡＣ電源をＤＣ電源に変換するＡＣ／ＤＣコンバータ及びＤＣ電源のレベルを変換するＤＣ／ＤＣコンバータの１つ以上を含んでもよい。
【０５５９】
１つ以上の第１電力変換装置１１０、２１０、３１０、４１０は、１つ以上の電源供給源１０のそれぞれに対応して、３つの変換装置１１０＃１〜＃３、２１０＃１〜＃３、３１０＃１〜＃３、４１０＃１〜＃３を含んでもよい。
【０５６０】
１つ以上の第１電力変換装置１１０、２１０、３１０、４１０は、第１交流電源１０＃１、バッテリ電源１０＃２及び第２交流電源１０＃３のそれぞれに接続され、接続された電源供給源から電源が供給される第１〜第３変換装置１１０＃１〜＃３、２１０＃１〜＃３、３１０＃１〜＃３、４１０＃１〜＃３を含んでもよい。
【０５６１】
これによれば、第１交流電源１０＃１は、第１変換装置１１０＃１、２１０＃１、３１０＃１、４１０＃１に接続され、第１変換装置１１０＃１、２１０＃１、３１０＃１、４１０＃１にＡＣ電源を供給し、バッテリ電源１０＃２は、第２変換装置１１０＃２、２１０＃２、３１０＃２、４１０＃２に接続され、第２変換装置１１０＃２、２１０＃２、３１０＃２、４１０＃２にＤＣ電源を供給し、第２交流電源１０＃３は、第３変換装置１１０＃３、２１０＃３、３１０＃３、４１０＃３に接続され、第３変換装置１１０＃３、２１０＃３、３１０＃３、４１０＃３にＡＣ電源を供給することになる。
【０５６２】
第１変換装置１１０＃１、２１０＃１、３１０＃１、４１０＃１は、ＡＣ電源をＤＣ電源に変換するＡＣ／ＤＣコンバータであってもよく、また、第２変換装置１１０＃２、２１０＃２、３１０＃２、４１０＃２は、ＤＣ電源のレベルを変換するＤＣ／ＤＣコンバータであってもよく、また、第３変換装置１１０＃３、２１０＃３、３１０＃３、４１０＃３は、ＡＣ電源をＤＣ電源に変換するＡＣ／ＤＣコンバータであってもよい。
【０５６３】
１つ以上の第１電力変換装置１１０、２１０、３１０、４１０のそれぞれは、前段及び後段のそれぞれに接続を開閉する開閉手段を含んでもよい。
【０５６４】
前記開閉手段は、１つ以上の第１電力変換装置１１０、２１０、３１０、４１０のそれぞれの入力端及び出力端のそれぞれに備えられ、１つ以上の第１電力変換装置１１０、２１０、３１０、４１０において入出力される電源を断続するスイッチであってもよい。
【０５６５】
ここで、前記入力端に備えられる開閉手段は、過電流を検知して回路を遮断する遮断器であってもよい。
【０５６６】
より具体的には、第１交流電源１０＃１及び第２交流電源１０＃３からＡＣ電源が供給される第１変換装置１１０＃１、２１０＃１、３１０＃１、４１０＃１及び第３変換装置１１０＃３、２１０＃３、３１０＃３、４１０＃３の入力端には、交流気中遮断器（ACB: Air Circuit Breaker）が備えられ、バッテリ電源１０＃２からＤＣ電源が供給される第２変換装置１１０＃２、２１０＃２、３１０＃２、４１０＃２の入力端には、直流配線用遮断器（MCCB: Molded Circuit Breaker）が備えられてもよい。
【０５６７】
前記開閉手段は、１つ以上の第１電力変換装置１１０、２１０、３１０、４１０の動作によって１つ以上の第１電力変換装置１１０、２１０、３１０、４１０の接続を開閉するようにしてもよい。
【０５６８】
例えば、１つ以上の電源供給源１０から電源供給を受けない場合、前記入力端及び前記出力端のそれぞれに備えられる開閉手段が開路され、当該変換装置の接続が分離されるようにしてもよい。
【０５６９】
１つ以上の第１電力変換装置１１０、２１０、３１０、４１０は、前記出力端が１つの電源端に接続されてもよい。
【０５７０】
すなわち、１つ以上の第１電力変換装置１１０、２１０、３１０、４１０は、前記出力端が前記電源端に共通に接続され、１つ以上の第１電力変換装置１１０、２１０、３１０、４１０で変換された前記ＤＣ電源が流れるようにしてもよい。
【０５７１】
よって、前記電源端は、１つ以上の第１電力変換装置１１０、２１０、３１０、４１０の出力端が共通に接続され、１つ以上の第１電力変換装置１１０、２１０、３１０、４１０から出力された前記ＤＣ電源が流れる電路であってもよい。
【０５７２】
前記電源端は、バスライン１及び第２電力変換装置１２０、２２０、３２０、４２０の入力端に接続されてもよい。
【０５７３】
前記電源端は、バスライン１及び第２電力変換装置１２０、２２０、３２０、４２０の入力端に接続され、前記電源端を介して、前記ＤＣ電源がバスライン１又は第２電力変換装置１２０、２２０、３２０、４２０に送られるようにしてもよい。
【０５７４】
このように、１つ以上の第１電力変換装置１１０、２１０、３１０、４１０の出力端が共通に接続された前記電源端がバスライン１及び第２電力変換装置１２０、２２０、３２０、４２０の入力端に接続されることにより、前記電源端を介して、１つ以上の第１電力変換装置１１０、２１０、３１０、４１０で変換されて出力された前記ＤＣ電源を送ることができるようになる。
【０５７５】
１つ以上の第１電力変換装置１１０、２１０、３１０、４１０で変換されて出力された前記ＤＣ電源は、第２電力変換装置１２０、２２０、３２０、４２０に送られるようにしてもよい。
【０５７６】
１つ以上の第１電力変換装置１１０、２１０、３１０、４１０は、第１〜第３変換装置１１０＃１〜＃３、２１０＃１〜＃３、３１０＃１〜＃３、４１０＃１〜＃３のいずれかが動作し、第２電力変換装置１２０、２２０、３２０、４２０に前記ＤＣ電源を供給するようにしてもよい。
【０５７７】
複数の電源盤１００、２００、３００、４００は、第２電力変換装置１２０、２２０、３２０、４２０に前記ＤＣ電源を供給する変換装置１１０＃１〜＃３、２１０＃１〜＃３、３１０＃１〜＃３、４１０＃１〜＃３の電源供給が中断されると、変換装置１１０＃１〜＃３、２１０＃１〜＃３、３１０＃１〜＃３、４１０＃１〜＃３以外の他の変換装置により第２電力変換装置１２０、２２０、３２０、４２０に前記ＤＣ電源が供給されるようにしてもよい。
【０５７８】
１つ以上の第１電力変換装置１１０、２１０、３１０、４１０は、第２電力変換装置１２０、２２０、３２０、４２０に前記ＤＣ電源を供給する変換装置１１０＃１〜＃３、２１０＃１〜＃３、３１０＃１〜＃３、４１０＃１〜＃３の電源供給が中断されると、変換装置１１０＃１〜＃３、２１０＃１〜＃３、３１０＃１〜＃３、４１０＃１〜＃３が前記他の変換装置に切り替えられる間、バッテリ電源１０＃２から電源供給を受ける変換装置１１０＃２、２１０＃２、３１０＃２、４１０＃２により第２電力変換装置１２０、２２０、３２０、４２０に前記ＤＣ電源を供給するようにしてもよい。
【０５７９】
ここで、変換装置１１０＃１〜＃３、２１０＃１〜＃３、３１０＃１〜＃３、４１０＃１〜＃３の電源供給が中断されるとは、変換装置１１０＃１〜＃３、２１０＃１〜＃３、３１０＃１〜＃３、４１０＃１〜＃３、変換装置１１０＃１〜＃３、２１０＃１〜＃３、３１０＃１〜＃３、４１０＃１〜＃３に接続された供給源、及び前記ＤＣ電源の定格のいずれか１つ以上において異常状態が検出されることであってもよい。
【０５８０】
例えば、第１交流電源１０＃１に接続された第１変換装置１１０＃１、２１０＃１、３１０＃１、４１０＃１が第２電力変換装置１２０、２２０、３２０、４２０に前記ＤＣ電源を供給している間に、第１変換装置１１０＃１、２１０＃１、３１０＃１、４１０＃１から出力される前記ＤＣ電源の定格が低下して所定基準以下になると、第１変換装置１１０＃１、２１０＃１、３１０＃１、４１０＃１以外の他の変換装置である第３変換装置１１０＃３、２１０＃３、３１０＃３、４１０＃３により第２電力変換装置１２０、２２０、３２０、４２０に前記ＤＣ電源が供給されるようにしてもよい。
【０５８１】
この場合、１つ以上の第１電力変換装置１１０、２１０、３１０、４１０は、第１変換装置１１０＃１、２１０＃１、３１０＃１、４１０＃１が第３変換装置１１０＃３、２１０＃３、３１０＃３、４１０＃３に切り替えられる間、バッテリ電源１０＃２に接続された第２変換装置１１０＃２、２１０＃２、３１０＃２、４１０＃２により第２電力変換装置１２０、２２０、３２０、４２０に前記ＤＣ電源を供給するようにしてもよい。
【０５８２】
すなわち、バッテリ電源１０＃２に接続された第２変換装置１１０＃２、２１０＃２、３１０＃２、４１０＃２は、第２電力変換装置１２０、２２０、３２０、４２０への前記ＤＣ電源の供給が中断されると、前記ＤＣ電源の供給が切り替えられて復旧されるまで、第２電力変換装置１２０、２２０、３２０、４２０に前記ＤＣ電源を供給するようにしてもよい。
【０５８３】
第２電力変換装置１２０、２２０、３２０、４２０は、複数からなるようにしてもよい。
【０５８４】
第２電力変換装置１２０、２２０、３２０、４２０は、供給されたＤＣ電源を前記駆動電源に変換する装置であり、例えばインバータであってもよい。
【０５８５】
第２電力変換装置１２０、２２０、３２０、４２０は、前記負荷がＡＣ電源で駆動される負荷である場合、１つ以上の第１電力変換装置１１０、２１０、３１０、４１０からのＤＣ電源をＡＣの駆動電源に変換するインバータであってもよい。
【０５８６】
第２電力変換装置１２０、２２０、３２０、４２０は、前記負荷がＤＣ電源で駆動される負荷である場合、１つ以上の第１電力変換装置１１０、２１０、３１０、４１０からのＤＣ電源をＤＣの駆動電源に変換するインバータであってもよい。
【０５８７】
第２電力変換装置１２０、２２０、３２０、４２０は、負荷２０に対応する数で備えられてもよい。
【０５８８】
負荷２０は、複数からなるようにしてもよい。
【０５８９】
第２電力変換装置１２０、２２０、３２０、４２０は、負荷２０に対応して、３つ以上の第２電力変換装置１２０＃１〜＃３、２２０＃１〜＃３、３２０＃１〜＃３、４２０＃１〜＃３を含んでもよい。
【０５９０】
第２電力変換装置１２０、２２０、３２０、４２０のそれぞれは、負荷２０のそれぞれに接続され、接続された負荷２０に前記駆動電源を供給するようにしてもよい。
【０５９１】
第２電力変換装置１２０、２２０、３２０、４２０のそれぞれは、前段に接続を開閉する開閉手段を含んでもよい。
【０５９２】
前記開閉手段は、第２電力変換装置１２０、２２０、３２０、４２０のそれぞれの入力端に備えられ、第２電力変換装置１２０、２２０、３２０、４２０に入力される電源を断続するスイッチであってもよい。
【０５９３】
ここで、前記入力端に備えられる開閉手段は、過電流を検知して回路を遮断する遮断器であってもよい。
【０５９４】
第２電力変換装置１２０、２２０、３２０、４２０で変換されて出力される前記駆動電源は、負荷２０のそれぞれに送られるようにしてもよい。
【０５９５】
ここで、負荷２０は、電動機（Ｍ）負荷を含んでもよい。
【０５９６】
複数の電源盤１００、２００、３００、４００のそれぞれは、前記電源端がバスライン１を介して供給盤５００に接続されてもよい。
【０５９７】
複数の電源盤１００、２００、３００、４００は、前記電源端とバスライン１間に複数の遮断器１３０、２３０、３３０、４３０がそれぞれ配置されてもよい。
【０５９８】
複数の電源盤１００、２００、３００、４００のそれぞれの前記電源端は、複数の遮断器１３０、２３０、３３０、４３０に接続され、複数の遮断器１３０、２３０、３３０、４３０を介してバスライン１に接続された供給盤５００に接続されてもよい。
【０５９９】
供給盤５００は、複数の電源盤１００、２００、３００、４００に前記ＤＣ電源を供給する補助電源盤であってもよい。
【０６００】
供給盤５００は、バスライン１に接続され、複数の電源盤１００、２００、３００、４００に前記ＤＣ電源を供給する非常電源供給盤であってもよい。
【０６０１】
供給盤５００は、複数の電源盤１００、２００、３００、４００と同様に、１つ以上の電源供給源１０の少なくとも１つから供給された電源を前記ＤＣ電源に変換するようにしてもよい。
【０６０２】
供給盤５００は、前記電源端が共通に接続され、複数の電源盤１００、２００、３００、４００の状態によって、１つ以上の電源供給源１０の少なくとも１つから供給された電源を前記ＤＣ電源に変換し、バスライン１を介して複数の電源盤１００、２００、３００、４００に前記ＤＣ電源を供給する電源補助供給用電源盤であってもよい。
【０６０３】
すなわち、供給盤５００は、バスライン１を介して複数の電源盤１００、２００、３００、４００に前記ＤＣ電源を供給するようにしてもよい。
【０６０４】
供給盤５００に電源を供給する電源供給源１０は、少なくともバッテリ電源１０＃２を含んでもよい。
【０６０５】
すなわち、供給盤５００は、少なくともバッテリ電源１０＃２から電源が供給されるようにしてもよい。
【０６０６】
供給盤５００は、第１交流電源１０＃１及び第２交流電源１０＃３からさらに電源が供給されるようにしてもよい。
【０６０７】
すなわち、供給盤５００は、複数の電源盤１００、２００、３００、４００と同様に、複数の電源盤１００、２００、３００、４００に電源を供給する系統電源Ｇ、バイパス電源Ｐ及びバッテリ電源Ｂのいずれか１つ以上から供給された電源を前記ＤＣ電源に変換するようにしてもよい。
【０６０８】
例えば、供給盤５００は、バッテリ電源Ｂから供給された電源を前記ＤＣ電源に変換するようにしてもよい。
【０６０９】
供給盤５００は、第１交流電源１０＃１、第２交流電源１０＃３及びバッテリ電源１０＃２のそれぞれから供給された電源を前記ＤＣ電源に変換する１つ以上の第１電力変換装置５１０を含んでもよい。
【０６１０】
すなわち、供給盤５００は、図１０に示すように、１つ以上の第１電力変換装置５１０により、系統電源Ｇ、バイパス電源Ｐ及びバッテリ電源Ｂから供給された電源を前記ＤＣ電源に変換するようにしてもよい。
【０６１１】
ここで、供給盤５００に含まれる１つ以上の第１電力変換装置５１０は、前記ＤＣ電源が出力される出力端が１つの前記電源端に接続され、前記電源端がバスライン１に接続されるようにしてもよい。
【０６１２】
供給盤５００は、１つ以上の第１電力変換装置５１０から出力された前記ＤＣ電源をバスライン１に送るようにしてもよい。
【０６１３】
供給盤５００は、前記ＤＣ電源を前記駆動電源に変換し、前記駆動電源を供給盤５００に接続された特定の負荷に供給するようにしてもよい。
【０６１４】
供給盤５００は、前記電源端が供給盤５００に接続された遮断器５３０を介してバスライン１に接続されるようにしてもよい。
【０６１５】
供給盤５００は、１つ以上の電源供給源１０の状態によって、１つ以上の第１電力変換装置５１０のいずれかにより複数の電源盤１００、２００、３００、４００に前記ＤＣ電源を供給するようにしてもよい。
【０６１６】
複数の電源盤１００、２００、３００、４００及び供給盤５００のそれぞれは、１つ以上の電源供給源１０のいずれかから供給された電源を前記ＤＣ電源に変換するようにしてもよい。
【０６１７】
すなわち、複数の電源盤１００、２００、３００、４００及び供給盤５００のそれぞれは、１つ以上の電源供給源１０のいずれかから選択的に電源供給を受けるようにしてもよい。
【０６１８】
複数の電源盤１００、２００、３００、４００及び供給盤５００のそれぞれは、予め設定された供給基準に基づいて、１つ以上の電源供給源１０のいずれかから供給された電源を前記ＤＣ電源に変換するようにしてもよい。
【０６１９】
前記供給基準は、１つ以上の電源供給源１０の電源供給優先順位に関する基準であってもよい。
【０６２０】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視するようにしてもよい。
【０６２１】
複数の電源盤１００、２００、３００、４００は、１つ以上の電源供給源１０の状態によって１つ以上の第１電力変換装置１１０、２１０、３１０、４１０のいずれかを選択し、選択した変換装置により第２電力変換装置１２０、２２０、３２０、４２０のそれぞれに前記ＤＣ電源を送るようにしてもよい。
【０６２２】
すなわち、複数の電源盤１００、２００、３００、４００のそれぞれは、１つ以上の電源供給源１０の状態によって選択した１つの変換装置により第２電力変換装置１２０、２２０、３２０、４２０に前記ＤＣ電源を送るようにしてもよい。
【０６２３】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果に基づいて、第１〜第４遮断器１３０、２３０、３３０、４３０のそれぞれの開閉を制御するようにしてもよい。
【０６２４】
また、供給盤５００は、１つ以上の電源供給源１０の状態によって１つ以上の第１電力変換装置５１０のいずれかを選択し、選択した変換装置によりバスライン１に前記ＤＣ電源を送るようにしてもよい。
【０６２５】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出するようにしてもよい。
【０６２６】
複数の電源盤１００、２００、３００、４００は、１つ以上の第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源を送るようにしてもよい。
【０６２７】
すなわち、複数の電源盤１００、２００、３００、４００のそれぞれは、前記ＤＣ電源を送っている変換装置及び前記変換装置に対応する電源供給源のいずれか１つ以上に異常が発生すると、前記変換装置以外の他の変換装置に切り替え、切り替えられた変換装置により第２電力変換装置１２０、２２０、３２０、４２０に前記ＤＣ電源を送るようにしてもよい。
【０６２８】
複数の電源盤１００、２００、３００、４００は、第２電力変換装置１２０、２２０、３２０、４２０に前記ＤＣ電源を送っている変換装置及び前記変換装置に対応する電源供給源のいずれか１つ以上に異常が発生すると、前記変換装置以外の他の変換装置により第２電力変換装置１２０、２２０、３２０、４２０に前記ＤＣ電源が送られるように、電源供給中の電源供給源及び変換装置を切り替えてもよい。
【０６２９】
供給盤５００は、１つ以上の第１電力変換装置５１０の動作を制御及び監視した結果に基づいて、複数の電源盤１００、２００、３００、４００への前記ＤＣ電源の供給を制御するようにしてもよい。
【０６３０】
供給盤５００は、１つ以上の第１電力変換装置５１０の動作を制御及び監視し、前記ＤＣ電源の状態を検出するようにしてもよい。
【０６３１】
供給盤５００は、複数の電源盤１００、２００、３００、４００に前記ＤＣ電源を送っている変換装置及び前記変換装置に対応する電源供給源のいずれか１つ以上に異常が発生すると、前記変換装置以外の他の変換装置により複数の電源盤１００、２００、３００、４００に前記ＤＣ電源を送るようにしてもよい。
【０６３２】
すなわち、供給盤５００は、前記ＤＣ電源を送っている変換装置及び前記変換装置に対応する電源供給源のいずれか１つ以上に異常が発生すると、前記変換装置以外の他の変換装置に切り替え、切り替えられた変換装置により複数の電源盤１００、２００、３００、４００に前記ＤＣ電源を送るようにしてもよい。
【０６３３】
供給盤５００は、複数の電源盤１００、２００、３００、４００に前記ＤＣ電源を送っている変換装置及び前記変換装置に対応する電源供給源のいずれか１つ以上に異常が発生すると、前記変換装置以外の他の変換装置により複数の電源盤１００、２００、３００、４００に前記ＤＣ電源が送られるように、電源供給中の電源供給源及び変換装置を切り替えてもよい。
【０６３４】
このようにシステム１０００において複数の電源盤１００、２００、３００、４００に前記ＤＣ電源を供給する供給盤５００は、複数からなるようにしてもよい。
【０６３５】
このように、複数からなる供給盤５００は、複数の供給盤５００毎にそれぞれ複数の電源盤１００、２００、３００、４００のうち前記ＤＣ電源を供給する供給対象が予め指定され、前記予め指定された供給対象に対して前記ＤＣ電源を供給することができる。
【０６３６】
例えば、第１供給盤には、第１及び第２電源盤１００、２００が供給対象として予め指定され、第２供給盤には、第３及び第４電源盤３００、４００が供給対象として予め指定されており、第１及び第２電源盤１００、２００に異常が発生すると、第１供給盤が第１及び第２電源盤１００、２００に前記ＤＣ電源を供給し、第３及び第４電源盤３００、４００に異常が発生すると、第２供給盤が第３及び第４電源盤３００、４００に前記ＤＣ電源を供給するようにしてもよい。
【０６３７】
この場合、前記第１及び第２供給盤は、複数の電源盤１００、２００、３００、４００の異常状態によって前記供給対象がスイッチングされるようにしてもよい。
【０６３８】
供給盤５００は、複数の電源盤１００、２００、３００、４００のそれぞれが所定距離以内で離隔する位置に備えられてもよい。
【０６３９】
供給盤５００は、複数の電源盤１００、２００、３００、４００のそれぞれとの離隔距離が最小となる位置に備えられてもよい。
【０６４０】
例えば、供給盤５００は、複数の電源盤１００、２００、３００、４００の配置構造において中心部に該当する位置に備えられてもよい。
【０６４１】
すなわち、供給盤５００は、複数の電源盤１００、２００、３００、４００が配置された構造において中央部に配置されてもよい。
【０６４２】
このように、供給盤５００が複数の電源盤１００、２００、３００、４００の配置構造において中心部に該当する位置に備えられた場合、複数の電源盤１００、２００、３００、４００のそれぞれへの前記ＤＣ電源の供給を容易に行うことができ、前記ＤＣ電源の供給過程で発生する損失を低減することができる。
【０６４３】
複数の遮断器１３０、２３０、３３０、４３０、５３０は、複数の電源盤１００、２００、３００、４００のそれぞれの電源端及び供給盤５００の電源端とバスライン１間のそれぞれに配置されてもよい。
【０６４４】
複数の遮断器１３０、２３０、３３０、４３０、５３０は、ＤＣ電源を遮断するＤＣ遮断器であってもよい。
【０６４５】
複数の遮断器１３０、２３０、３３０、４３０、５３０は、１つ以上の第１電力変換装置１１０、２１０、３１０、４１０のそれぞれの出力端が接続される前記電源端及び供給盤５００の電源端とバスライン１間に配置されてもよい。
【０６４６】
すなわち、複数の遮断器１３０、２３０、３３０、４３０、５３０は、複数の電源盤１００、２００、３００、４００の前記電源端及び供給盤５００の電源端がバスライン１に接続される電路に備えられ、複数の電源盤１００、２００、３００、４００及び供給盤５００とバスライン１の接続を断続するようにしてもよい。
【０６４７】
これによれば、複数の電源盤１００、２００、３００、４００は、前記電源端を介して供給盤５００に接続され、複数の遮断器１３０、２３０、３３０、４３０、５３０の開閉により供給盤５００との接続を断続することができる。
【０６４８】
複数の電源盤１００、２００、３００、４００と供給盤５００が接続されるバスライン１は、ＤＣ電源が流れるＤＣ電路であってもよい。
【０６４９】
バスライン１は、複数の電源盤１００、２００、３００、４００と供給盤５００が接続される電路であり、複数の電源盤１００、２００、３００、４００及び供給盤５００間で前記ＤＣ電源が送られる電路であってもよい。
【０６５０】
バスライン１は、少なくとも１つないし２つの変換装置から供給されるＤＣ電源の大きさの定格であってもよい。
【０６５１】
すなわち、バスライン１の定格は、少なくとも２つの変換装置から供給されるＤＣ電源が送られる定格であってもよい。
【０６５２】
バスライン１は、バスライン１に接続された全ての電源盤間でＤＣ電源を送ることができる大きさの定格であることが好ましい。
【０６５３】
バスライン１は、複数の遮断器１３０、２３０、３３０、４３０、５３０の開閉により前記ＤＣ電源が流れるようにしてもよい。
【０６５４】
前記電源端とバスライン１間に備えられて前記電源端とバスライン１の接続を断続する複数の遮断器１３０、２３０、３３０、４３０、５３０は、ＤＣ専用配線用遮断器（ＭＣＣＢ）であってもよい。
【０６５５】
複数の遮断器１３０、２３０、３３０、４３０、５３０は、複数の電源盤１００、２００、３００、４００及び供給盤５００の１つ以上の電源供給状態によって開閉を変えて、複数の電源盤１００、２００、３００、４００及び供給盤５００間で前記ＤＣ電源を接続又は切断するようにしてもよい。
【０６５６】
複数の遮断器１３０、２３０、３３０、４３０、５３０は、複数の電源盤１００、２００、３００、４００及び供給盤５００の前記ＤＣ電源、前記駆動電源、１つ以上の第１電力変換装置１１０、２１０、３１０、４１０、５１０、及び負荷２０の少なくとも１つの状態によって開閉を変えて、複数の電源盤１００、２００、３００、４００及び供給盤５００間で前記ＤＣ電源を接続又は切断するようにしてもよい。
【０６５７】
ここで、前記少なくとも１つの状態は、前記ＤＣ電源が初期状態から変動した場合、前記駆動電源が初期状態から変動した場合、１つ以上の第１電力変換装置１１０、２１０、３１０、４１０、５１０の電源供給状態が変動した場合、及び負荷２０の駆動状態が変動した場合の１つ以上であってもよい。
【０６５８】
例えば、前記少なくとも１つの状態は、前記ＤＣ電源又は前記駆動電源が基準定格以下となった場合、１つ以上の第１電力変換装置１１０、２１０、３１０、４１０、５１０に故障／事故が発生して電源供給状態が変動した場合、又は負荷２０に供給される前記駆動電源が低下して負荷２０の駆動状態が変動した場合であってもよい。
【０６５９】
複数の遮断器１３０、２３０、３３０、４３０、５３０は、平時に開路され、動作時に閉路されることにより、複数の電源盤１００、２００、３００、４００及び供給盤５００間の接続を断続するようにしてもよい。
【０６６０】
よって、複数の電源盤１００、２００、３００、４００のそれぞれは、複数の遮断器１３０、２３０、３３０、４３０、５３０のそれぞれの開閉により供給盤５００に接続される。
【０６６１】
複数の遮断器１３０、２３０、３３０、４３０、５３０は、複数の電源盤１００、２００、３００、４００及び供給盤５００の前記電源端とバスライン１間で前記ＤＣ電源を接続する場合に閉路され、複数の電源盤１００、２００、３００、４００及び供給盤５００の前記電源端とバスライン１間で前記ＤＣ電源を切断する場合に開路されるようにしてもよい。
【０６６２】
複数の遮断器１３０、２３０、３３０、４３０、５３０は、複数の電源盤１００、２００、３００、４００の１つ以上の電源供給が中断されると、前記電源供給が中断された電源盤に接続された遮断器及び供給盤５００に接続された遮断器が閉路され、前記電源供給が中断された電源盤と供給盤５００をバスライン１に接続し、供給盤５００から前記電源供給が中断された電源盤に前記ＤＣ電源が供給されるようにしてもよい。
【０６６３】
この場合、前記電源供給が中断された電源盤は、前記電源供給が中断されてから供給盤５００から導通した前記ＤＣ電源が供給されるまで、バッテリ電源Ｂに接続された変換装置から前記ＤＣ電源が供給されるようにしてもよい。
【０６６４】
また、複数の遮断器１３０、２３０、３３０、４３０、５３０は、複数の電源盤１００、２００、３００、４００の１つ以上の電源供給が中断されると、前記電源供給が中断された電源盤に接続された遮断器及び前記電源供給が中断された電源盤以外の他の電源盤に接続された遮断器が閉路され、前記電源供給が中断された電源盤と前記他の電源盤をバスライン１に接続し、前記他の電源盤から前記電源供給が中断された電源盤に前記ＤＣ電源が供給されるようにしてもよい。
【０６６５】
すなわち、複数の電源盤１００、２００、３００、４００は、前記電源供給が中断されると、前記他の電源盤に接続され、前記他の電源盤から前記ＤＣ電源が供給されるようにしてもよい。
【０６６６】
さらに、複数の遮断器１３０、２３０、３３０、４３０、５３０は、複数の電源盤１００、２００、３００、４００の１つ以上の電源供給が中断されると、前記電源供給が中断された電源盤に接続された遮断器、前記他の電源盤の１つ以上の電源盤に接続された遮断器、及び供給盤５００に接続された遮断器が閉路され、バスライン１を介して、前記他の電源盤の１つ以上及び供給盤５００から前記電源供給が中断された電源盤に前記ＤＣ電源が供給されるようにしてもよい。
【０６６７】
よって、複数の電源盤１００、２００、３００、４００は、バスライン１を介して、供給盤５００を含む複数の供給源に接続され、前記複数の供給源から前記ＤＣ電源の供給を受けることができる。
【０６６８】
このようなシステム１０００は、複数の電源盤１００、２００、３００、４００、供給盤５００及び複数の遮断器１３０、２３０、３３０、４３０、５３０の少なくとも１つの状態を監視し、監視結果に基づいて複数の電源盤１００、２００、３００、４００、供給盤５００及び複数の遮断器１３０、２３０、３３０、４３０、５３０の少なくとも１つを制御する制御装置６００をさらに含んでもよい。
【０６６９】
すなわち、複数の電源盤１００、２００、３００、４００、供給盤５００及び複数の遮断器１３０、２３０、３３０、４３０、５３０は、制御装置６００により制御されるようにしてもよい。
【０６７０】
複数の電源盤１００、２００、３００、４００及び供給盤５００のそれぞれは、制御装置６００と通信を行い、制御装置６００との通信結果に基づいて動作するようにしてもよい。
【０６７１】
例えば、複数の電源盤１００、２００、３００、４００及び供給盤５００のそれぞれは、制御装置６００から制御命令を受け取り、前記制御命令に基づいて動作するか、又は制御装置６００に状態情報を送信するようにしてもよい。
【０６７２】
複数の電源盤１００、２００、３００、４００及び供給盤５００のそれぞれは、それぞれに含まれる１つ以上の第１電力変換装置１１０、２１０、３１０、４１０、５１０及び第２電力変換装置１２０、２２０、３２０、４２０、５２０の動作を制御及び監視した結果に基づいて、制御装置６００に複数の遮断器１３０、２３０、３３０、４３０、５３０のそれぞれの開閉制御を要求するようにしてもよい。
【０６７３】
複数の電源盤１００、２００、３００、４００及び供給盤５００のそれぞれは、それぞれに含まれる１つ以上の第１電力変換装置１１０、２１０、３１０、４１０、５１０及び第２電力変換装置１２０、２２０、３２０、４２０、５２０の動作を制御及び監視した結果を制御装置６００に送信するようにしてもよい。
【０６７４】
複数の電源盤１００、２００、３００、４００及び供給盤５００のそれぞれは、それぞれに含まれる１つ以上の第１電力変換装置１１０、２１０、３１０、４１０、５１０及び第２電力変換装置１２０、２２０、３２０、４２０、５２０の動作を制御及び監視し、前記ＤＣ電源及び前記駆動電源の状態を検出した結果を制御装置６００に送信するようにしてもよい。
【０６７５】
ここで、複数の電源盤１００、２００、３００、４００及び供給盤５００のそれぞれは、１つ以上の第１電力変換装置１１０、２１０、３１０、４１０及び第２電力変換装置１２０、２２０、３２０、４２０を制御し、１つ以上の電源供給源１０、１つ以上の第１電力変換装置１１０、２１０、３１０、４１０、前記ＤＣ電源、前記駆動電源、及び負荷２０の少なくとも１つの異常状態を監視する制御部１４０、２４０、３４０、４４０をさらに含んでもよい。
【０６７６】
制御部１４０、２４０、３４０、４４０は、複数の電源盤１００、２００、３００、４００の中央制御装置であってもよい。
【０６７７】
制御部１４０、２４０、３４０、４４０は、複数の電源盤１００、２００、３００、４００の制御のための複数の制御手段を含んでもよい。
【０６７８】
また、制御部１４０、２４０、３４０、４４０は、複数の電源盤１００、２００、３００、４００の機能実行のための複数の電子機器をさらに含んでもよい。
【０６７９】
例えば、制御部１４０、２４０、３４０、４４０は、複数の電源盤１００、２００、３００、４００の機能実行及び制御のためのソフトウェア／アプリケーション／プログラムが格納される格納手段、前記格納手段が含まれる専用制御手段、通信手段、表示手段及び入力手段の１つ以上を含んでもよい。
【０６８０】
制御部１４０、２４０、３４０、４４０は、１つ以上の第１電力変換装置１１０、２１０、３１０、４１０、第２電力変換装置１２０、２２０、３２０、４２０及び複数の遮断器１３０、２３０、３３０、４３０を制御するようにしてもよい。
【０６８１】
制御部１４０、２４０、３４０、４４０は、１つ以上の第１電力変換装置１１０、２１０、３１０、４１０、第２電力変換装置１２０、２２０、３２０、４２０及び複数の遮断器１３０、２３０、３３０、４３０を制御するＰＬＣ（Programmable Logic Controller）を含んでもよい。
【０６８２】
制御部１４０、２４０、３４０、４４０は、１つ以上の第１電力変換装置１１０、２１０、３１０、４１０、第２電力変換装置１２０、２２０、３２０、４２０及び複数の遮断器１３０、２３０、３３０、４３０の状態を監視し、監視結果に基づいて１つ以上の第１電力変換装置１１０、２１０、３１０、４１０、第２電力変換装置１２０、２２０、３２０、４２０及び複数の遮断器１３０、２３０、３３０、４３０の動作を制御するようにしてもよい。
【０６８３】
また、制御部１４０、２４０、３４０、４４０は、１つ以上の電源供給源１０及び負荷２０の状態に基づいて、１つ以上の第１電力変換装置１１０、２１０、３１０、４１０、第２電力変換装置１２０、２２０、３２０、４２０及び複数の遮断器１３０、２３０、３３０、４３０の動作を制御するようにしてもよい。
【０６８４】
制御部１４０、２４０、３４０、４４０は、１つ以上の第１電力変換装置１１０、２１０、３１０、４１０のそれぞれの動作を制御して、前記ＤＣ電源の変換及び供給を制御してもよい。
【０６８５】
例えば、１つ以上の第１電力変換装置１１０、２１０、３１０、４１０のうち制御対象変換装置の動作を制御し、前記制御対象変換装置により、供給された電源を前記ＤＣ電源に変換して第２電力変換装置１２０、２２０、３２０、４２０に供給するように制御してもよい。
【０６８６】
また、制御部１４０、２４０、３４０、４４０は、１つ以上の第１電力変換装置１１０、２１０、３１０、４１０に含まれる開閉手段のそれぞれの開閉を制御してもよい。
【０６８７】
制御部１４０、２４０、３４０、４４０は、第２電力変換装置１２０、２２０、３２０、４２０のそれぞれの動作を制御して、前記駆動電源の変換及び供給を制御してもよい。
【０６８８】
例えば、第２電力変換装置１２０、２２０、３２０、４２０のうち制御対象変換装置の動作を制御し、前記制御対象変換装置により、前記ＤＣ電源を前記駆動電源に変換して負荷２０に供給するように制御してもよい。
【０６８９】
また、制御部１４０、２４０、３４０、４４０は、第２電力変換装置１２０、２２０、３２０、４２０に含まれる開閉手段のそれぞれの開閉を制御してもよい。
【０６９０】
制御部１４０、２４０、３４０、４４０は、複数の遮断器１３０、２３０、３３０、４３０の動作を制御することにより、前記ＤＣ電源の受給及び供給を制御するようにしてもよい。
【０６９１】
例えば、制御部１４０、２４０、３４０、４４０は、複数の遮断器１３０、２３０、３３０、４３０を閉路することにより、バスライン１から前記ＤＣ電源を供給するか、又はバスライン１に前記ＤＣ電源を供給するように制御してもよい。
【０６９２】
さらに、制御部１４０、２４０、３４０、４４０は、外部の通信装置及び制御装置の少なくとも１つと通信を行い、通信実行結果に基づいて、１つ以上の第１電力変換装置１１０、２１０、３１０、４１０、第２電力変換装置１２０、２２０、３２０、４２０及び複数の遮断器１３０、２３０、３３０、４３０の動作を制御するようにしてもよい。
【０６９３】
例えば、制御部１４０、２４０、３４０、４４０は、前記制御装置から１つ以上の第１電力変換装置１１０、２１０、３１０、４１０、第２電力変換装置１２０、２２０、３２０、４２０及び複数の遮断器１３０、２３０、３３０、４３０の少なくとも１つの動作制御に関する制御命令を受け取り、前記制御命令に基づいて１つ以上の第１電力変換装置１１０、２１０、３１０、４１０、第２電力変換装置１２０、２２０、３２０、４２０及び複数の遮断器１３０、２３０、３３０、４３０の少なくとも１つの動作を制御してもよい。
【０６９４】
制御部１４０、２４０、３４０、４４０は、１つ以上の電源供給源１０のいずれかから供給された電源が前記ＤＣ電源に変換されるように制御してもよい。
【０６９５】
すなわち、制御部１４０、２４０、３４０、４４０は、１つ以上の電源供給源１０のいずれかから選択的に電源が供給されるように制御してもよい。
【０６９６】
制御部１４０、２４０、３４０、４４０は、予め設定された供給基準に基づいて、１つ以上の電源供給源１０のいずれかから供給された電源が前記ＤＣ電源に変換されるように制御してもよい。
【０６９７】
前記供給基準は、１つ以上の電源供給源１０の電源供給優先順位に関する基準であってもよい。
【０６９８】
例えば、前記電源供給優先順位は、第１交流電源１０＃１、第２交流電源１０＃３、バッテリ電源１０＃２の順に設定されてもよい。
【０６９９】
前記供給基準が前記電源供給優先順位に関する基準である場合、制御部１４０、２４０、３４０、４４０は、第１交流電源１０＃１、第２交流電源１０＃３、バッテリ電源１０＃２の順に電源を供給するように制御してもよい。
【０７００】
制御部１４０、２４０、３４０、４４０は、第１交流電源１０＃１から電源が供給される場合、第１交流電源１０＃１に接続された第１変換装置１１０＃１、２１０＃１、３１０＃１、４１０＃１の動作を制御するようにしてもよい。
【０７０１】
この場合、制御部１４０、２４０、３４０、４４０は、第１変換装置１１０＃１、２１０＃１、３１０＃１、４１０＃１の開閉手段を閉路し、第２変換装置１１０＃２、２１０＃２、３１０＃２、４１０＃２及び第３変換装置１１０＃３、２１０＃３、３１０＃３、４１０＃３の開閉手段を開路することにより、第１変換装置１１０＃１、２１０＃１、３１０＃１、４１０＃１を接続し、第２変換装置１１０＃２、２１０＃２、３１０＃２、４１０＃２及び第３変換装置１１０＃３、２１０＃３、３１０＃３、４１０＃３を分離するようにしてもよい。
【０７０２】
制御部１４０、２４０、３４０、４４０は、第２交流電源１０＃３から電源が供給される場合、第２交流電源１０＃３に接続された第３変換装置１１０＃３、２１０＃３、３１０＃３、４１０＃３の動作を制御するようにしてもよい。
【０７０３】
この場合、制御部１４０、２４０、３４０、４４０は、第３変換装置１１０＃３、２１０＃３、３１０＃３、４１０＃３の開閉手段を閉路し、第１変換装置１１０＃１、２１０＃１、３１０＃１、４１０＃１及び第２変換装置１１０＃２、２１０＃２、３１０＃２、４１０＃２の開閉手段を開路することにより、第３変換装置１１０＃３、２１０＃３、３１０＃３、４１０＃３を接続し、第１変換装置１１０＃１、２１０＃１、３１０＃１、４１０＃１及び第２変換装置１１０＃２、２１０＃２、３１０＃２、４１０＃２を分離するようにしてもよい。
【０７０４】
制御部１４０、２４０、３４０、４４０は、バッテリ電源１０＃２から電源が供給される場合、バッテリ電源１０＃２に接続された第２変換装置１１０＃２、２１０＃２、３１０＃２、４１０＃２の動作を制御するようにしてもよい。
【０７０５】
この場合、制御部１４０、２４０、３４０、４４０は、第２変換装置１１０＃２、２１０＃２、３１０＃２、４１０＃２の開閉手段を閉路し、第１変換装置１１０＃１、２１０＃１、３１０＃１、４１０＃１及び第３変換装置１１０＃３、２１０＃３、３１０＃３、４１０＃３の開閉手段を開路することにより、第２変換装置１１０＃２、２１０＃２、３１０＃２、４１０＃２を接続し、第１変換装置１１０＃１、２１０＃１、３１０＃１、４１０＃１及び第３変換装置１１０＃３、２１０＃３、３１０＃３、４１０＃３を分離するようにしてもよい。
【０７０６】
制御部１４０、２４０、３４０、４４０は、１つ以上の電源供給源１０の状態によって１つ以上の第１電力変換装置１１０、２１０、３１０、４１０のいずれかを選択し、選択した変換装置１１０により第２電力変換装置１２０、２２０、３２０、４２０のそれぞれに前記ＤＣ電源を送るように制御してもよい。
【０７０７】
すなわち、制御部１４０、２４０、３４０、４４０は、１つ以上の第１電力変換装置１１０、２１０、３１０、４１０から選択した１つの変換装置１１０により、供給された電源を前記ＤＣ電源に変換して第２電力変換装置１２０、２２０、３２０、４２０に送るように制御してもよい。
【０７０８】
例えば、１つ以上の電源供給源１０のうち、第１交流電源１０＃１及び第２交流電源１０＃３に異常が発生すると、バッテリ電源１０＃２に接続された第２変換装置１１０＃２、２１０＃２、３１０＃２、４１０＃２を選択し、第２変換装置１１０＃２、２１０＃２、３１０＃２、４１０＃２がバッテリ電源１０＃２から電源供給を受けて前記ＤＣ電源に変換し、前記ＤＣ電源を第２電力変換装置１２０、２２０、３２０、４２０のそれぞれに送るように制御してもよい。
【０７０９】
制御部１４０、２４０、３４０、４４０は、第２電力変換装置１２０、２２０、３２０、４２０に前記ＤＣ電源を送っている変換装置１１０及び変換装置１１０に対応する電源供給源１０のいずれか１つ以上に異常が発生すると、変換装置１１０以外の他の変換装置１１０により第２電力変換装置１２０、２２０、３２０、４２０に前記ＤＣ電源を送るように制御してもよい。
【０７１０】
制御部１４０、２４０、３４０、４４０は、第２電力変換装置１２０、２２０、３２０、４２０に前記ＤＣ電源を送っている変換装置１１０及び変換装置１１０に対応する電源供給源１０のいずれか１つ以上に異常が発生すると、変換装置１１０以外の他の変換装置１１０により第２電力変換装置１２０、２２０、３２０、４２０に前記ＤＣ電源が送られるように、電源供給中の電源供給源１０及び変換装置１１０を切り替えてもよい。
【０７１１】
例えば、制御部１４０、２４０、３４０、４４０は、第１変換装置１１０＃１、２１０＃１、３１０＃１、４１０＃１が第１交流電源１０＃１から供給された電源を前記ＤＣ電源に変換している間に、第１変換装置１１０＃１、２１０＃１、３１０＃１、４１０＃１が故障したり、第１交流電源１０＃１にシャットダウンが発生すると、第３変換装置１１０＃３、２１０＃３、３１０＃３、４１０＃３が第２交流電源１０＃３から供給された電源を前記ＤＣ電源に変換して前記ＤＣ電源をインバータ１２０に送るように、電源供給中の第１交流電源１０＃１を第２交流電源１０＃３に切り替え、第１変換装置１１０＃１、２１０＃１、３１０＃１、４１０＃１を第３変換装置１１０＃３、２１０＃３、３１０＃３、４１０＃３に切り替えてもよい。
【０７１２】
このように１つ以上の第１電力変換装置１１０、２１０、３１０、４１０、第２電力変換装置１２０、２２０、３２０、４２０及び複数の遮断器１３０、２３０、３３０、４３０を制御する制御部１４０、２４０、３４０、４４０は、前記ＤＣ電源又は前記駆動電源の状態によって複数の遮断器１３０、２３０、３３０、４３０の開閉を制御することにより、バスライン１を介しての前記ＤＣ電源の受供給を制御する。
【０７１３】
例えば、前記駆動電源の大きさが負荷２０の必要とする大きさより小さい場合、又は前記ＤＣ電源が不足した場合は、複数の遮断器１３０、２３０、３３０、４３０を閉路してバスライン１から前記ＤＣ電源が供給されるように制御してもよい。
【０７１４】
また、前記駆動電源の大きさが負荷２０の必要とする大きさより大きい場合、又は前記ＤＣ電源に余裕がある場合は、複数の遮断器１３０、２３０、３３０、４３０を閉路してバスライン１に前記ＤＣ電源が供給されるように制御してもよい。
【０７１５】
それとは逆に、１つ以上の第１電力変換装置１１０、２１０、３１０、４１０又は第２電力変換装置１２０、２２０、３２０、４２０に故障が発生して前記出力端に事故電流が流れたり、１つ以上の電源供給源１０又は負荷２０に異常が発生して前記出力端に事故電流が流れた場合は、複数の遮断器１３０、２３０、３３０、４３０を開路して前記事故電流がバスライン１に供給されることを防止するようにしてもよい。
【０７１６】
制御部１４０、２４０、３４０、４４０は、１つ以上の電源供給源１０のうち２つ以上に異常が発生すると、複数の遮断器１３０、２３０、３３０、４３０を閉路し、バスライン１を介して、バスライン１に接続された他の電源供給装置から前記ＤＣ電源が供給されるように制御してもよい。
【０７１７】
制御部１４０、２４０、３４０、４４０は、１つ以上の電源供給源１０のうち２つ以上に異常が発生すると、１つ以上の電源供給源１０と１つ以上の第１電力変換装置１１０、２１０、３１０、４１０の接続を分離し、複数の遮断器１３０、２３０、３３０、４３０を閉路し、バスライン１を介して、バスライン１に接続された他の電源供給装置２００、３００、４００又は供給盤５００から前記ＤＣ電源が供給されるように制御してもよい。
【０７１８】
例えば、１つ以上の電源供給源１０のうち、第１交流電源１０＃１及び第２交流電源１０＃３に異常が発生すると、複数の遮断器１３０、２３０、３３０、４３０を閉路し、バスライン１を介して、バスライン１に接続された他の電源供給装置２００、３００、４００又は供給盤５００から前記ＤＣ電源が供給されるように制御してもよい。
【０７１９】
制御部１４０、２４０、３４０、４４０は、バスライン１に接続された他の電源供給装置２００、３００、４００に異常が発生すると、複数の遮断器１３０、２３０、３３０、４３０を閉路し、バスライン１を介して、他の電源供給装置２００、３００、４００にＤＣ電源が供給されるように制御してもよい。
【０７２０】
制御部１４０、２４０、３４０、４４０は、バスライン１に接続された他の電源供給装置２００、３００、４００に異常が発生すると、１つ以上の電源供給源１０のいずれかからさらに電源が供給されるように制御し、複数の遮断器１３０、２３０、３３０、４３０を閉路し、バスライン１を介して、さらに電源を供給するように制御した供給源１０及びそれに対応する変換装置１１０で変換された前記ＤＣ電源が他の電源供給装置２００、３００、４００に供給されるように制御してもよい。
【０７２１】
例えば、１つ以上の電源供給源１０のうち第１交流電源１０＃１から電源が供給されている間に、他の電源供給装置２００、３００、４００に異常が発生すると、複数の遮断器１３０、２３０、３３０、４３０を閉路し、第２交流電源１０＃３からさらに電源が供給されるように第３変換装置１１０＃３、２１０＃３、３１０＃３、４１０＃３を制御し、バスライン１を介して、第３変換装置１１０＃３、２１０＃３、３１０＃３、４１０＃３で変換された前記ＤＣ電源がバスライン１に接続された他の電源供給装置２００、３００、４００に供給されるように制御してもよい。
【０７２２】
制御部１４０、２４０、３４０、４４０は、１つ以上の電源供給源１０に異常が発生すると、複数の遮断器１３０、２３０、３３０、４３０、５３０を閉路し、供給盤５００から前記ＤＣ電源が供給されるように、制御装置６００に制御を要求してもよい。
【０７２３】
制御装置６００は、複数の遮断器１３０、２３０、３３０、４３０、５３０のそれぞれの開閉を制御することにより、複数の電源盤１００、２００、３００、４００又は供給盤５００がバスライン１に接続されるようにしてもよい。
【０７２４】
バスライン１には、複数の電源盤１００、２００、３００、４００及び供給盤５００が接続されるようにしてもよい。
【０７２５】
複数の電源盤１００、２００、３００、４００及び供給盤５００は、複数の遮断器１３０、２３０、３３０、４３０、５３０を介してバスライン１に接続されるようにしてもよい。
【０７２６】
複数の遮断器１３０、２３０、３３０、４３０、５３０は、複数の電源盤１００、２００、３００、４００のそれぞれとバスライン１間、及び供給盤５００とバスライン１間のそれぞれに配置されてもよい。
【０７２７】
複数の遮断器１３０、２３０、３３０、４３０、５３０は、複数の電源盤１００、２００、３００、４００のそれぞれとバスライン１の接続を断続する第１〜第４遮断器１３０、２３０、３３０、４３０と、供給盤５００とバスライン１の接続を断続する第５遮断器５３０とを含んでもよい。
【０７２８】
すなわち、供給盤５００は、バスライン１が接続される電路に第５遮断器５３０が備えられ、第５遮断器５３０の開閉によりバスライン１との接続を断続するようにしてもよい。
【０７２９】
供給盤５００は、１つ以上の第１電力変換装置５１０から出力された前記ＤＣ電源をバスライン１に送るようにしてもよい。
【０７３０】
バスライン１は、複数の電源盤１００、２００、３００、４００及び供給盤５００のそれぞれにおいて前記ＤＣ電源が入出力される電源端が共通に接続され、複数の電源盤１００、２００、３００、４００及び供給盤５００で変換された前記ＤＣ電源が送られるようにしてもよい。
【０７３１】
バスライン１は、ＤＣ電源が流れるＤＣバスラインであり、複数の電源盤１００、２００、３００、４００及び供給盤５００のそれぞれの前記電源端を介して送られたＤＣ電源が流れるようにしてもよい。
【０７３２】
すなわち、バスライン１は、複数の遮断器１３０、２３０、３３０、４３０、５３０のそれぞれの開閉により前記ＤＣ電源が流れるようにしてもよい。
【０７３３】
このように、複数の電源盤１００、２００、３００、４００及び供給盤５００が複数の遮断器１３０、２３０、３３０、４３０、５３０を介してバスライン１に接続されることにより、バスライン１を介して、複数の電源盤１００、２００、３００、４００及び供給盤５００間で前記ＤＣ電源を送ることができるようになる。
【０７３４】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視した結果を制御装置６００に送信するようにしてもよい。
【０７３５】
複数の電源盤１００、２００、３００、４００のそれぞれは、それぞれに含まれる１つ以上の第１電力変換装置１１０、２１０、３１０、４１０及び第２電力変換装置１２０、２２０、３２０、４２０の動作を制御及び監視し、前記ＤＣ電源及び前記駆動電源の状態を検出するようにしてもよい。
【０７３６】
複数の電源盤１００、２００、３００、４００のそれぞれは、前記ＤＣ電源及び前記駆動電源の状態を検出し、検出結果を制御装置６００に送信するようにしてもよい。
【０７３７】
供給盤５００は、１つ以上の第１電力変換装置５１０の動作を制御及び監視した結果に基づいて、第５遮断器５１０の開閉を制御するようにしてもよい。
【０７３８】
供給盤５００は、１つ以上の第１電力変換装置５１０の動作を制御及び監視した結果を制御装置６００に送信するようにしてもよい。
【０７３９】
供給盤５００は、１つ以上の第１電力変換装置５１０の動作を制御及び監視し、前記ＤＣ電源の状態を検出するようにしてもよい。
【０７４０】
供給盤５００は、前記ＤＣ電源の状態を検出し、検出結果を制御装置６００に送信するようにしてもよい。
【０７４１】
制御装置６００は、複数の電源盤１００、２００、３００、４００及び供給盤５００のそれぞれと通信を行い、複数の電源盤１００、２００、３００、４００及び供給盤５００のそれぞれから受信した状態情報に基づいて、複数の電源盤１００、２００、３００、４００及び供給盤５００のそれぞれを制御してもよい。
【０７４２】
例えば、複数の電源盤１００、２００、３００、４００及び供給盤５００のそれぞれから受信した前記ＤＣ電源及び前記駆動電源の状態情報に基づいて、複数の電源盤１００、２００、３００、４００及び供給盤５００のそれぞれの前記ＤＣ電源の変換及び供給と、複数の電源盤１００、２００、３００、４００のそれぞれの前記駆動電源の変換及び供給を制御してもよい。
【０７４３】
制御装置６００は、複数の電源盤１００、２００、３００、４００及び供給盤５００のそれぞれと通信を行い、複数の電源盤１００、２００、３００、４００及び供給盤５００のそれぞれから受信した状態情報に基づいて、複数の電源盤１００、２００、３００、４００及び供給盤５００のそれぞれの前記駆動電源の変換及び供給を制御するか、又は複数の電源盤１００、２００、３００、４００及び供給盤５００のそれぞれに含まれる複数の遮断器１３０、２３０、３３０、４３０、５３０を制御してもよい。
【０７４４】
また、制御装置６００は、１つ以上の電源供給源１０及び負荷２０の状態を検知するか、又は外部の通信手段から１つ以上の電源供給源１０及び負荷２０の状態に関する情報を受信し、１つ以上の電源供給源１０及び負荷２０の状態に基づいて、複数の電源盤１００、２００、３００、４００及び供給盤５００のそれぞれの前記駆動電源の変換及び供給を制御するか、又は複数の電源盤１００、２００、３００、４００及び供給盤５００のそれぞれに含まれる複数の遮断器１３０、２３０、３３０、４３０、５３０を制御してもよい。
【０７４５】
この場合、制御装置６００が複数の電源盤１００、２００、３００、４００及び供給盤５００のそれぞれの前記駆動電源の変換及び供給の制御、又は複数の電源盤１００、２００、３００、４００及び供給盤５００のそれぞれに含まれる複数の遮断器１３０、２３０、３３０、４３０、５３０の制御に関する制御命令を、複数の電源盤１００、２００、３００、４００及び供給盤５００のそれぞれに送り、複数の電源盤１００、２００、３００、４００のそれぞれに含まれる制御部１４０、２４０、３４０、４４０により前記制御命令に基づいた制御が行われる。
【０７４６】
例えば、複数の電源盤１００、２００、３００、４００に電源を供給している系統電源Ｇ全体に異常が発生すると、系統電源Ｇからの電源供給を遮断して他の供給源に切り替えるように、複数の遮断器１３０、２３０、３３０、４３０を開路し、系統電源Ｇを除く電源から電源供給を受けて前記ＤＣ電源に変換して供給するように制御する制御命令を複数の電源盤１００、２００、３００、４００のそれぞれに含まれる制御部１４０、２４０、３４０、４４０に送り、複数の遮断器１３０、２３０、３３０、４３０のそれぞれを開路し、バイパス電源Ｐ又はバッテリ電源Ｂから電源供給を受けて前記ＤＣ電源に変換して供給するように制御してもよい。
【０７４７】
制御装置６００は、複数の電源盤１００、２００、３００、４００のいずれか１つ以上に異常が発生すると、前記異常が発生した電源盤及び供給盤５００の遮断器１３０、２３０、３３０、４３０、５３０を閉路し、バスライン１を介して、供給盤５００から前記異常が発生した電源盤に前記ＤＣ電源が供給されるように制御してもよい。
【０７４８】
例えば、複数の電源盤１００、２００、３００、４００のうち第１電源盤１００の変換装置１１０に故障が発生すると、バスライン１を介して供給盤５００のいずれかの変換装置５１０で変換されたＤＣ電源を第１電源盤１００の第２電力変換装置１２０、２２０、３２０、４２０に供給するように、第１電源盤１００及び供給盤５００のそれぞれの遮断器１３０、５３０を閉路し、第１電源盤１００の１つ以上の第１電力変換装置１１０、２１０、３１０、４１０を遮断し、バスライン１を介して供給盤５００の１つ以上の第１電力変換装置５１０のいずれかで変換された前記ＤＣ電源を第１電源盤１００の第２電力変換装置１２０、２２０、３２０、４２０に供給するように制御する制御命令を第１電源盤１００及び供給盤５００のそれぞれに送り、第１電源盤１００及び供給盤５００のそれぞれの遮断器１３０、５３０を閉路し、バスライン１を介して、供給盤５００の１つ以上の第１電力変換装置５１０のいずれかが前記ＤＣ電源を第１電源盤１００の第２電力変換装置１２０、２２０、３２０、４２０に供給するように制御してもよい。
【０７４９】
すなわち、供給盤５００は、複数の電源盤１００、２００、３００、４００に異常が発生すると、バスライン１を介して、前記異常が発生した電源盤の負荷２０に前記ＤＣ電源を供給するようにしてもよい。
【０７５０】
供給盤５００は、前記異常が発生した電源盤に前記ＤＣ電源を供給する場合、１つ以上の電源供給源１０の状態によって前記ＤＣ電源への変換を行う１つ以上の第１電力変換装置５１０のいずれかを選択し、選択したコンバータによりバスライン１に前記ＤＣ電源を送るようにしてもよい。
【０７５１】
すなわち、供給盤５００は、前記異常が発生した電源盤に前記ＤＣ電源を供給する場合、１つ以上の電源供給源１０の状態によって選択した１つのコンバータによりバスライン１に前記ＤＣ電源を送り、前記異常が発生した電源盤に前記ＤＣ電源を供給するようにしてもよい。
【０７５２】
例えば、供給盤５００に電源を供給する１つ以上の電源供給源１０のうち系統電源Ｇ及びバイパス電源Ｐの定格が基準定格より低い場合、バッテリ電源Ｂにより前記ＤＣ電源を供給するようにバッテリ電源Ｂ対応する第２−５変換装置５１０＃２を選択し、選択した第２−５変換装置５１０＃２によりバッテリ電源Ｂから供給された電源を前記ＤＣ電源に変換してバスライン１に送るようにしてもよい。
【０７５３】
制御装置６００は、供給盤５００に異常が発生すると、前記異常が発生した電源盤に最も隣接する電源盤の遮断器を閉路し、バスライン１を介して、前記隣接する電源盤から前記異常が発生した電源盤に前記ＤＣ電源が供給されるように制御してもよい。
【０７５４】
すなわち、前記異常が発生した電源盤に前記ＤＣ電源を供給する供給盤５００に異常が発生し、供給盤５００から前記異常が発生した電源盤に前記ＤＣ電源を供給できない場合、制御装置６００は、前記異常が発生した電源盤及び当該電源盤に最も隣接する電源盤の遮断器１３０、２３０、３３０、４３０を閉路し、バスライン１を介して、前記隣接する電源盤から前記異常が発生した電源盤に前記ＤＣ電源が供給されるように制御してもよい。
【０７５５】
例えば、複数の電源盤１００、２００、３００、４００のうち第１電源盤１００の変換装置１１０及び供給盤５００に故障が発生すると、バスライン１を介して第１電源盤１００に最も隣接する第２電源盤２００のいずれかの変換装置２１０で変換されたＤＣ電源を第１電源盤１００の第２電力変換装置１２０、２２０、３２０、４２０に供給するように、第１電源盤１００及び第２電源盤２００のそれぞれの遮断器１３０、２３０を閉路し、第１電源盤１００の１つ以上の第１電力変換装置１１０、２１０、３１０、４１０を遮断し、バスライン１を介して第２電源盤２００の１つ以上の第１電力変換装置２１０のいずれかで変換された前記ＤＣ電源を第１電源盤１００の第２電力変換装置１２０、２２０、３２０、４２０に供給するように制御する制御命令を第１電源盤１００及び第２電源盤２００のそれぞれに送り、第１電源盤１００及び第２電源盤２００のそれぞれの遮断器１３０、２３０を閉路し、バスライン１を介して、第２電源盤２００の１つ以上の第１電力変換装置２１０のいずれかが前記ＤＣ電源を第１電源盤１００の第２電力変換装置１２０、２２０、３２０、４２０に供給するように制御してもよい。
【０７５６】
制御装置６００は、前記異常が発生した電源盤が複数の場合、前記異常が発生した電源盤のそれぞれの異常状態によって供給盤５００及び前記異常が発生した電源盤に最も隣接する電源盤の１つ以上の遮断器１３０、２３０、３３０、４３０、５３０を閉路し、バスライン１を介して、供給盤５００及び前記隣接する電源盤の少なくとも１つから前記異常が発生した電源盤のそれぞれに前記ＤＣ電源が供給されるように制御してもよい。
【０７５７】
すなわち、制御装置６００は、前記異常が発生した電源盤が複数の場合、前記異常が発生した電源盤のそれぞれの異常状態によって供給盤５００及び前記隣接する電源盤の少なくとも１つから前記異常が発生した電源盤のそれぞれに前記ＤＣ電源が供給されるように制御してもよい。
【０７５８】
例えば、第１電源盤１００において１つ以上の第１電力変換装置１１０、２１０、３１０、４１０の全てに故障が発生し、第２電源盤２００において第２電力変換装置２２０の一部が一時的に動作を中断した場合、制御装置６００は、第１電源盤１００の異常状態が第２電源盤２００の異常状態より深刻であると判断し、供給盤５００により第１電源盤１００の運転を復旧し、第２電源盤２００に隣接する第３電源盤３００により第２電源盤２００の運転を維持するために、供給盤５００により第１電源盤１００に前記ＤＣ電源が供給されるように第１及び第５遮断器１３０、５３０を閉路制御し、第３電源盤３００により第２電源盤２００に前記ＤＣ電源が供給されるように第２及び第３遮断器２３０、３３０を閉路制御してもよい。
【０７５９】
このように、複数の電源盤１００、２００、３００、４００のいずれか１つ以上に異常が発生すると、バスライン１を介して、供給盤５００から前記ＤＣ電源が供給されるように制御することにより、供給盤５００が複数の電源盤１００、２００、３００、４００のそれぞれに対してＵＰＳ機能を実行することができる。
【０７６０】
よって、電源供給システム１０００においては、１つ以上の電源供給源１０、複数の電源盤１００、２００、３００、４００及び負荷２０に予期せぬ異常が発生した場合も、負荷２０への前記駆動電源の供給を維持し続けることができ、負荷２０の運転を中断することなく維持することができ、異常発生に対処して適切かつ能動的に電源供給を行うことができ、異常発生の種類及び程度に関係なく負荷２０の運転及び電源供給システム１０００の制御を安定して行うことができる。
【０７６１】
以上説明したような電源供給システム１０００の運転は、図１３〜図１６に示すように行われるようにしてもよい。
【０７６２】
図１３〜図１６に示す運転例は、電源供給システム１０００が４つの電源盤１００、２００、３００、４００及び１つの供給盤５００を含む場合の運転例であり、電源供給システム１０００は、複数の電源盤１００、２００、３００、４００を４つ未満又は４つ以上含んでもよく、また、供給盤５００を複数含んでもよい。
【０７６３】
好ましい実施形態として、電源供給システム１０００は、図１３〜図１６に示すように、４つの電源盤１００、２００、３００、４００及び１つの供給盤５００を含んでもよい。以下、図１３〜図１６に示すように、複数の電源盤１００、２００、３００、４００が４つであり、供給盤５００が１つである場合を例に挙げて説明する。
【０７６４】
図１３は複数の電源盤１００、２００、３００、４００及び供給盤５００のそれぞれが１つ以上の電源供給源１０のうち系統電源Ｇから電源供給を受ける場合であり、この場合、バイパス電源Ｐ及びバッテリ電源Ｂからの電源供給は遮断され、系統電源Ｇから電源供給を受けて前記ＤＣ電源、前記駆動電源の順に変換して負荷２０のそれぞれに供給する。
【０７６５】
図１３に示す運転例は、系統電源Ｇから電源供給を受けて運転する一般的な運転の場合であり、電源供給システム１０００の平時運転はこのように行われる。
【０７６６】
図１４は複数の電源盤１００、２００、３００、４００及び供給盤５００のそれぞれが１つ以上の電源供給源１０のうちバイパス電源Ｐから電源供給を受ける場合であり、系統電源Ｇに異常が発生した場合がこれに該当し、この場合、系統電源Ｇ及びバッテリ電源Ｂからの電源供給は遮断され、バイパス電源Ｐから電源供給を受けて前記ＤＣ電源、前記駆動電源の順に変換して負荷２０のそれぞれに供給する。
【０７６７】
図１４に示す運転例は、バイパス電源Ｐから電源供給を受けて運転する特殊運転の場合であり、電源供給システム１０００の特殊運転はこのように行われる。
【０７６８】
図１５は複数の電源盤１００、２００、３００、４００及び供給盤５００のそれぞれが１つ以上の電源供給源１０のうちバッテリ電源Ｂから電源供給を受ける場合であり、系統電源Ｇ及びバイパス電源Ｐに異常が発生した場合がこれに該当し、この場合、系統電源Ｇ及びバイパス電源Ｐからの電源供給は遮断され、バッテリ電源Ｂから電源供給を受けて前記ＤＣ電源、前記駆動電源の順に変換して負荷２０のそれぞれに供給する。
【０７６９】
図１５に示す運転例は、バッテリ電源Ｂから電源供給を受けて運転する停電運転の場合であり、電源供給システム１０００の停電運転はこのように行われる。
【０７７０】
図１６は複数の電源盤１００、２００、３００、４００及び供給盤５００のそれぞれが１つ以上の電源供給源１０のうち非常用電源Ａから電源供給を受ける場合であり、系統電源Ｇ、バイパス電源Ｐ及びバッテリ電源Ｂに異常が発生した場合がこれに該当し、この場合、系統電源Ｇ、バイパス電源Ｐ及びバッテリ電源Ｂからの電源供給は遮断され、非常用電源Ａが負荷２０のそれぞれに前記駆動電源を直接供給する。
【０７７１】
図１６に示す運転例は、非常用電源Ａから電源供給を受けて運転する非常運転の場合であり、電源供給システム１０００の非常運転はこのように行われる。
【０７７２】
このように、電源供給システム１０００は、複数の電源盤１００、２００、３００、４００及び供給盤５００のそれぞれが同じ電源供給源から電源供給を受けて運転するようにしてもよく、複数の電源盤１００、２００、３００、４００及び供給盤５００のそれぞれが１つ以上の電源供給源１０のいずれかから選択的に電源供給を受けて運転するようにしてもよい。
【０７７３】
例えば、第１及び第２電源盤１００、２００は系統電源Ｇから電源供給を受けて運転し、第３及び第４電源盤３００、４００はバイパス電源Ｐから電源供給を受けて運転し、供給盤５００は、バッテリ電源Ｂから電源供給を受けて運転するようにしてもよい。
【０７７４】
また、複数の電源盤１００、２００、３００、４００及び供給盤５００のそれぞれは、１つ以上の電源供給源１０から電源供給を受けて運転するようにしてもよい。
【０７７５】
例えば、第１電源盤１００に異常が発生して第２電源盤２００から第１電源盤１００に前記ＤＣ電源を供給する場合、第２電源盤２００が、系統電源Ｇから供給された電源を第２−１変換装置２１０＃１により前記ＤＣ電源に変換して第２電力変換装置２２０のそれぞれに送り、さらにバイパス電源Ｐから供給された電源を第２−３変換装置２１０＃３により前記ＤＣ電源に変換し、バスライン１を介して第２−３変換装置２１０＃３で変換された前記ＤＣ電源を第１電源盤１００の第２電力変換装置１２０、２２０、３２０、４２０のそれぞれに送るようにしてもよい。
【０７７６】
この例においては、第１電源盤１００及び第２電源盤２００のそれぞれの第１及び第２遮断器１３０、２３０を閉路することにより、第１電源盤１００及び第２電源盤２００がバスライン１に接続され、バスライン１を介して第２電源盤２００から第１電源盤１００への前記ＤＣ電源の供給が行われる。
【０７７７】
このように、複数の電源盤１００、２００、３００、４００及び供給盤５００のそれぞれが１つ以上の電源供給源１０から電源供給を受けて運転することにより、複数の電源盤１００、２００、３００、４００及び供給盤５００間の電源供給、すなわち複数の電源盤１００、２００、３００、４００間のＵＰＳ機能の実行及び供給盤５００のＵＰＳ機能の実行を行うことができる。
【０７７８】
前述したような本発明の実施形態による電源供給システムは、ＤＣ電源を供給／使用する電源供給装置、電源供給システム、電源供給システムの運用方法に適用することができる。特に、ＤＣ ＵＰＳモジュール及びそれを備える電源供給システムに有効に適用することができ、複数のモータ負荷を制御するモータ制御盤、モータ制御システム、モータ運転システムなどにも適用して実施することができる。
【０７７９】
以上、本発明の具体的な実施形態について説明したが、本発明の範囲から外れない限り、様々な変形が可能であることは言うまでもない。よって、本発明の範囲は、上記実施形態に限定して定められるものではなく、請求の範囲及びその均等物などにより定められるべきである。
【０７８０】
以上、本発明を限定された実施形態と図面により説明したが、本発明は、上記実施形態に限定されるものではなく、本発明の属する技術の分野における通常の知識を有する者であれば、その記載から様々な変更及び変形が可能である。よって、本発明の思想は、請求の範囲によってのみ把握されるべきであり、その均等又は等価的変形の全てが本発明の思想のカテゴリーに属するといえる。
【符号の説明】
【０７８１】
１０  電源供給源
２０  負荷
１００（２００、３００、４００）  電源供給装置（電源盤）
１１０（２１０、３１０、４１０、５１０）  第１電力変換装置（コンバータ）
１２０（２２０、３２０、４２０）  第２電力変換装置（インバータ）
１３０（２３０、３３０、４３０、５３０）  遮断器
１４０（２４０、３４０、４４０）  制御部
５００  供給盤
６００  制御装置
１０００  電源供給システム
【図１】
2021536218.tif 000003
【図２】
2021536218.tif 000004
【図３】
2021536218.tif 000005
【図４Ａ】
2021536218.tif 000006
【図４Ｂ】
2021536218.tif 000007
【図５】
2021536218.tif 000008
【図６】
2021536218.tif 000009
【図７】
2021536218.tif 000010
【図８】
2021536218.tif 000011
【図９】
2021536218.tif 000012
【図１０】
2021536218.tif 000013
【図１１】
2021536218.tif 000014
【図１２】
2021536218.tif 000015
【図１３】
2021536218.tif 000016
【図１４】
2021536218.tif 000017
【図１５】
2021536218.tif 000018
【図１６】
2021536218.tif 000019
【国際調査報告】
2021536218.tif 000020
2021536218.tif 000021
2021536218.tif 000022
2021536218.tif 000023